(57)【要約】【課題】先バレによる演出効果の低下を抑制する。【解決手段】変動演出中に大当たりの信頼度を示唆する特定演出が実行される。また、特定演出の開始前に実行可能な示唆演出が実行されることがある。示唆演出では、メータ表示部２２０に表示されるメータにより、獲得ポイントが報知される。獲得ポイントが高いほど、以後に特定演出が実行される期待値が高くなる。メータ表示部２２０におけるメータ値が最大になった場合には、特定演出の実行が確定する。メータ値が最大になった場合、即座に特定演出が実行される場合と、メータ値が最大になった後、所定時間が経過してから特定演出が実行される場合とがある。所定時間中は、メータ表示部２２０に待機中と表示される。【選択図】図６０
2020198985.tif 000002
【特許請求の範囲】
【請求項１】
特定演出の実行有無を決定する特定演出実行決定手段と、
前記特定演出の実行が決定された場合に、前記特定演出を実行する特定演出実行手段と、
前記特定演出の開始前に実行可能な示唆演出の実行有無を決定する示唆演出実行決定手段と、
前記示唆演出の実行が決定された場合に、前記示唆演出を実行する示唆演出実行手段と、
所定の実行パターンで前記示唆演出が実行された後、前記特定演出の開始前に所定演出を実行し得る所定演出実行手段と、
を備え、
前記示唆演出の実行後、前記所定演出が実行されてから前記特定演出が実行される第１のパターンと、前記示唆演出の実行後、前記所定演出が実行されずに前記特定演出が実行される第２のパターンとがあることを特徴とする遊技機。
【請求項２】
前記特定演出実行決定手段は、
前記示唆演出が実行されてから第１の期間が経過したとき、または、前記示唆演出が実行されてから、前記第１の期間と異なる第２の期間が経過したときを、前記特定演出の実行タイミングとして決定可能であり、
前記所定演出実行手段は、
前記示唆演出が実行されてから前記第２の期間が経過したときが、前記特定演出の実行タイミングとして決定された場合、前記第２の期間中に前記所定演出を実行することを特徴とする請求項１に記載の遊技機。
【発明の詳細な説明】
【技術分野】
【０００１】
本発明は、特定演出が実行される遊技機に関する。
【背景技術】
【０００２】
従来、例えば特許文献１、２に示されるように、ポイントを獲得する演出が実行され、獲得したポイントにより、期待値の高い演出の出現確率が示唆される遊技機が知られている。
【先行技術文献】
【特許文献】
【０００３】
【特許文献１】特開２０１８−９９３０１号公報
【特許文献２】特開２０１７−７０７６５号公報
【発明の概要】
【発明が解決しようとする課題】
【０００４】
上記の演出は、各種演出の実行タイミング等により、期待値の高い演出が出現するか否かを遊技者が容易に推測できてしまうという実態がある。こうした所謂先バレが生じると、演出効果が低下するという課題がある。
【０００５】
本発明は、先バレによる演出効果の低下を抑制可能な遊技機を提供することを目的とする。
【課題を解決するための手段】
【０００６】
上記課題を解決するために、本発明の遊技機は、特定演出の実行有無を決定する特定演出実行決定手段と、前記特定演出の実行が決定された場合に、前記特定演出を実行する特定演出実行手段と、前記特定演出の開始前に実行可能な示唆演出の実行有無を決定する示唆演出実行決定手段と、前記示唆演出の実行が決定された場合に、前記示唆演出を実行する示唆演出実行手段と、所定の実行パターンで前記示唆演出が実行された後、前記特定演出の開始前に所定演出を実行し得る所定演出実行手段と、を備え、前記示唆演出の実行後、前記所定演出が実行されてから前記特定演出が実行される第１のパターンと、前記示唆演出の実行後、前記所定演出が実行されずに前記特定演出が実行される第２のパターンとがあることを特徴とする。
【０００７】
また、前記特定演出実行決定手段は、前記示唆演出が実行されてから第１の期間が経過したとき、または、前記示唆演出が実行されてから、前記第１の期間と異なる第２の期間が経過したときを、前記特定演出の実行タイミングとして決定可能であり、前記所定演出実行手段は、前記示唆演出が実行されてから前記第２の期間が経過したときが、前記特定演出の実行タイミングとして決定された場合、前記第２の期間中に前記所定演出を実行してもよい。
【発明の効果】
【０００８】
本発明によれば、先バレによる演出効果の低下を抑制することができる。
【図面の簡単な説明】
【０００９】
【図１】扉が開放された状態を示す遊技機の斜視図である。
【図２】遊技機の正面図である。
【図３】遊技機のブロック図である。
【図４】メインＣＰＵが用いるメモリ領域のアドレスマップである。
【図５】低確時大当たり決定乱数判定テーブルを説明する図である。
【図６】高確時大当たり決定乱数判定テーブルを説明する図である。
【図７】当たり図柄乱数判定テーブルを説明する図である。
【図８】リーチグループ決定乱数判定テーブルを説明する図である。
【図９】リーチモード決定乱数判定テーブルを説明する図である。
【図１０】変動パターン乱数判定テーブルを説明する図である。
【図１１】変動時間決定テーブルを説明する図である。
【図１２】特別電動役物作動ラムセットテーブルを説明する図である。
【図１３】大役遊技の終了後の遊技状態を設定するための遊技状態設定テーブルを説明する図である。
【図１４】当たり決定乱数判定テーブルを説明する図である。
【図１５】（ａ）は普通図柄変動時間データテーブルを説明する図であり、（ｂ）は開閉制御パターンテーブルを説明する図である。
【図１６】遊技機状態フラグを説明する図である。
【図１７】主制御基板におけるＣＰＵ初期化処理を説明する第１のフローチャートである。
【図１８】主制御基板におけるＣＰＵ初期化処理を説明する第２のフローチャートである。
【図１９】主制御基板におけるサブコマンド群セット処理を説明するフローチャートである。
【図２０】主制御基板における電源断時退避処理を説明するフローチャートである。
【図２１】主制御基板におけるタイマ割込み処理を説明するフローチャートである。
【図２２】主制御基板における設定関連処理を説明するフローチャートである。
【図２３】主制御基板におけるスイッチ管理処理を説明するフローチャートである。
【図２４】主制御基板におけるゲート通過処理を説明するフローチャートである。
【図２５】主制御基板における第１始動口通過処理を説明するフローチャートである。
【図２６】主制御基板における第２始動口通過処理を説明するフローチャートである。
【図２７】主制御基板における特別図柄乱数取得処理を説明するフローチャートである。
【図２８】特別遊技管理フェーズを説明する図である。
【図２９】主制御基板における特別遊技管理処理を説明するフローチャートである。
【図３０】主制御基板における特別図柄変動待ち処理を説明するフローチャートである。
【図３１】主制御基板における特別図柄当たり判定処理を説明するフローチャートである。
【図３２】主制御基板における特別図柄変動番号決定処理を説明するフローチャートである。
【図３３】主制御基板における特別図柄変動中処理を説明するフローチャートである。
【図３４】主制御基板における特別図柄停止図柄表示処理を説明するフローチャートである。
【図３５】主制御基板における変動状態更新処理を説明するフローチャートである。
【図３６】主制御基板における大入賞口開放前処理を説明するフローチャートである。
【図３７】主制御基板における大入賞口開閉切替処理を説明するフローチャートである。
【図３８】主制御基板における大入賞口開放制御処理を説明するフローチャートである。
【図３９】主制御基板における大入賞口閉鎖有効処理を説明するフローチャートである。
【図４０】主制御基板における大入賞口終了ウェイト処理を説明するフローチャートである。
【図４１】普通遊技管理フェーズを説明する図である。
【図４２】主制御基板における普通遊技管理処理を説明するフローチャートである。
【図４３】主制御基板における普通図柄変動待ち処理を説明するフローチャートである。
【図４４】主制御基板における普通図柄変動中処理を説明するフローチャートである。
【図４５】主制御基板における普通図柄停止図柄表示処理を説明するフローチャートである。
【図４６】主制御基板における普通電動役物入賞口開放前処理を説明するフローチャートである。
【図４７】主制御基板における普通電動役物入賞口開閉切替処理を説明するフローチャートである。
【図４８】主制御基板における普通電動役物入賞口開放制御処理を説明するフローチャートである。
【図４９】主制御基板における普通電動役物入賞口閉鎖有効処理を説明するフローチャートである。
【図５０】主制御基板における普通電動役物入賞口終了ウェイト処理を説明するフローチャートである。
【図５１】リーチなし変動パターンの変動演出の一例を説明する図である。
【図５２】リーチ変動パターンの変動演出の一例を説明する図である。
【図５３】擬似連続リーチ変動パターンの変動演出の一例を説明する図である。
【図５４】変動演出決定テーブルを説明する図である。
【図５５】保留表示演出の一例を説明する図である。
【図５６】特定演出の一例を説明する図である。
【図５７】示唆演出の一例を説明する図である。
【図５８】第１示唆パターンの示唆演出の一例を説明する図である。
【図５９】第２示唆パターンの示唆演出の一例を説明する図である。
【図６０】第３示唆パターンの示唆演出の一例を説明する図である。
【図６１】（ａ）は特定変動情報の一例を説明する図であり、（ｂ）は特定演出の発生タイミングの一例を説明する図である。
【図６２】特定演出実行抽選テーブルを説明する図である。
【図６３】（ａ）は演出系統決定テーブルを説明する図であり、（ｂ）は追加抽選テーブルを説明する図である。
【図６４】示唆演出決定テーブルを説明する図である。
【図６５】獲得ポイント抽選テーブルを説明する図である。
【図６６】副制御基板におけるサブＣＰＵ初期化処理を説明するフローチャートである。
【図６７】副制御基板におけるサブタイマ割込み処理を説明するフローチャートである。
【図６８】副制御基板における先読み指定コマンド受信処理を説明するフローチャートである。
【図６９】副制御基板における変動コマンド受信処理を説明するフローチャートである。
【発明を実施するための形態】
【００１０】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１１】
本発明の実施形態の理解を容易にするため、まず、遊技機の機械的構成および電気的構成を簡単に説明し、その後、各基板における具体的な処理を説明する。
【００１２】
図１は、本実施形態の遊技機１００の斜視図であり、扉が開放された状態を示している。図示のように、遊技機１００は、略矩形状に組まれた四辺によって囲繞空間が形成される外枠１０２と、この外枠１０２にヒンジ機構によって開閉自在に取り付けられた中枠１０４と、この中枠１０４に、ヒンジ機構によって開閉自在に取り付けられた前枠１０６と、を備えている。
【００１３】
中枠１０４は、外枠１０２と同様に、略矩形状に組まれた四辺によって囲繞空間が形成されており、この囲繞空間に遊技盤１０８が保持されている。また、前枠１０６には、ガラス製または樹脂製の透過板１１０が保持されている。そして、これら中枠１０４および前枠１０６を外枠１０２に対して閉じると、遊技盤１０８と透過板１１０とが所定の間隔を維持して略平行に対面するとともに、遊技機１００の正面側から、透過板１１０を介して遊技盤１０８が視認可能となる。
【００１４】
図２は、遊技機１００の正面図である。この図に示すように、前枠１０６の下部には、遊技機１００の正面側に突出する操作ハンドル１１２が設けられている。この操作ハンドル１１２は、遊技者が回転操作可能に設けられており、遊技者が操作ハンドル１１２を回転させて発射操作を行うと、当該操作ハンドル１１２の回転角度に応じた強度で、不図示の発射機構によって遊技球が発射される。このようにして発射された遊技球は、遊技盤１０８に設けられたレール１１４ａ、１１４ｂ間を上昇して遊技領域１１６に導かれることとなる。
【００１５】
遊技領域１１６は、遊技盤１０８と透過板１１０との間隔に形成される空間であって、遊技球が流下または転動可能な領域である。遊技盤１０８には、多数の釘や風車が設けられており、遊技領域１１６に導かれた遊技球が釘や風車に衝突して、不規則な方向に流下、転動するようにしている。
【００１６】
遊技領域１１６は、発射機構の発射強度に応じて遊技球の進入度合いを互いに異にする第１遊技領域１１６ａおよび第２遊技領域１１６ｂを備えている。第１遊技領域１１６ａは、遊技機１００に正対した遊技者から見て遊技領域１１６の左側に位置し、第２遊技領域１１６ｂは、遊技機１００に正対した遊技者から見て遊技領域１１６の右側に位置している。レール１１４ａ、１１４ｂが遊技領域１１６の左側にあることから、発射機構によって所定の強度未満の発射強度で発射された遊技球は第１遊技領域１１６ａに進入し、所定の強度以上の発射強度で発射された遊技球は第２遊技領域１１６ｂに進入することとなる。
【００１７】
また、遊技領域１１６には、遊技球が入球可能な一般入賞口１１８、第１始動口１２０、第２始動口１２２が設けられており、これら一般入賞口１１８、第１始動口１２０、第２始動口１２２に遊技球が入球すると、それぞれ所定の賞球が遊技者に払い出される。なお、賞球数は１個以上であれば何個でもよく、また、一般入賞口１１８、第１始動口１２０、第２始動口１２２のそれぞれで払い出す賞球数を異ならせてもよいし、同じ賞球数に設定してもよい。このとき、第１始動口１２０に遊技球が入球して払い出す賞球数を、第２始動口１２２に遊技球が入球して払い出す賞球数よりも少なく設定することも可能である。
【００１８】
なお、詳しくは後述するが、第１始動口１２０内には第１始動領域が設けられ、また、第２始動口１２２内には第２始動領域が設けられている。そして、第１始動口１２０または第２始動口１２２に遊技球が入球して第１始動領域または第２始動領域に遊技球が進入すると、予め設けられた複数の特別図柄の中からいずれか１の特別図柄を決定するための抽選が行われる。各特別図柄には、遊技者にとって有利な大役遊技または小当たり遊技の実行可否や、以後の遊技状態をどのような遊技状態にするかといった種々の遊技利益が対応付けられている。したがって、遊技者は、第１始動口１２０または第２始動口１２２に遊技球が入球すると、所定の賞球を獲得するのと同時に、種々の遊技利益を受ける権利獲得の機会を獲得することとなる。
【００１９】
第１始動口１２０は、遊技領域１１６の下部であって、第１遊技領域１１６ａを流下する遊技球のみが入球可能であるか、もしくは、第１遊技領域１１６ａに進入した遊技球の方が、第２遊技領域１１６ｂに進入した遊技球よりも進入しやすい位置に配置されている。
【００２０】
また、第２始動口１２２は、第２遊技領域１１６ｂに位置しており、第２遊技領域１１６ｂを流下する遊技球のみが入球可能であるか、もしくは、第２遊技領域１１６ｂに進入した遊技球の方が、第１遊技領域１１６ａに進入した遊技球よりも進入しやすい位置に配置されている。この第２始動口１２２は、可動片１２２ｂを有する可変始動口（始動可変入賞装置）によって構成されており、第２始動口１２２への遊技球の進入容易性が可変するようになっている。具体的には、第２始動口１２２は、可動片１２２ｂが開閉可能に設けられており、この可動片１２２ｂが閉状態にあるときには、第２始動口１２２への遊技球の進入が不可能もしくは困難となっている。
【００２１】
これに対して、第２遊技領域１１６ｂに設けられたゲート１２４を遊技球が通過すると、第２始動口１２２が開放される補助遊技の実行有無が決定され、補助遊技の実行が決定された場合に、第２始動口１２２が開閉制御される補助遊技が実行される。より詳細には、ゲート１２４を遊技球が通過したことを条件として、後述する普通図柄の抽選が行われ、この抽選によって当たりに当選すると、可動片１２２ｂが所定時間、開状態に制御される。このように、可動片１２２ｂが開状態になると、当該可動片１２２ｂが遊技球を第２始動口１２２に導く受け皿として機能し、第２始動口１２２への遊技球の入球が容易となる。
【００２２】
さらに、遊技領域１１６の下部には、第１大入賞口１２６および第２大入賞口１２８が設けられている。第１大入賞口１２６および第２大入賞口１２８は、少なくとも第２遊技領域１１６ｂを流下する遊技球が入球可能な位置に配置されている。第１大入賞口１２６には、開閉扉１２６ｂが開閉可能に設けられており、通常、開閉扉１２６ｂが第１大入賞口１２６を閉鎖して、第１大入賞口１２６への遊技球の入球が不可能となっている。これに対して、前述の小当たり遊技が実行されると、開閉扉１２６ｂが開放されて、開閉扉１２６ｂが受け皿として機能し、第１大入賞口１２６への遊技球の入球が可能となる。そして、第１大入賞口１２６に遊技球が入球すると、所定の賞球が遊技者に払い出される。
【００２３】
また、第２大入賞口１２８には、開閉扉１２８ｂが開閉可能に設けられており、通常、開閉扉１２８ｂが第２大入賞口１２８を閉鎖して、第２大入賞口１２８への遊技球の入球を不可能となっている。これに対して、前述の大役遊技が実行されると、開閉扉１２８ｂが開放されて、開閉扉１２８ｂが受け皿として機能し、第２大入賞口１２８への遊技球の入球が可能となる。そして、第２大入賞口１２８に遊技球が入球すると、所定の賞球が遊技者に払い出される。なお、第１大入賞口１２６および第２大入賞口１２８をまとめて単に大入賞口とも呼ぶ。
【００２４】
なお、遊技領域１１６の最下部には、一般入賞口１１８、第１始動口１２０、第２始動口１２２、第１大入賞口１２６、第２大入賞口１２８のいずれにも入球しなかった遊技球を、遊技領域１１６から遊技盤１０８の背面側に排出する排出口１３０が設けられている。
【００２５】
そして、遊技機１００には、遊技の進行中等に演出を行う演出装置として、液晶表示装置からなる演出表示装置２００、可動装置からなる演出役物装置２０２、さまざまな点灯態様や発光色に制御されるランプからなる演出照明装置２０４、スピーカからなる音声出力装置２０６、遊技者の操作を受け付ける演出ボタン２０８が設けられている。
【００２６】
演出表示装置２００は、画像を表示する画像表示部からなるメイン演出表示部２００ａおよびサブ演出表示部２０１ａを備えている。メイン演出表示部２００ａは、遊技盤１０８の略中央部分において、遊技機１００の正面側から視認可能に配置されている。このメイン演出表示部２００ａには、図示のように演出図柄２１０ａ、２１０ｂ、２１０ｃが変動表示され、これら各演出図柄２１０ａ、２１０ｂ、２１０ｃの停止表示態様によって大役抽選結果が遊技者に報知される変動演出が実行されることとなる。また、サブ演出表示部２０１ａは、メイン演出表示部２００ａの上方に設けられており、変動演出中に補助的な演出画像が表示される。
【００２７】
演出役物装置２０２は、メイン演出表示部２００ａよりも前面に配置され、通常、遊技盤１０８の背面側に退避しているが、上記の演出図柄２１０ａ、２１０ｂ、２１０ｃの変動表示中などに、メイン演出表示部２００ａの前面まで可動して、遊技者に大当たりの期待感を付与するものである。
【００２８】
演出照明装置２０４は、演出役物装置２０２や遊技盤１０８等に設けられており、メイン演出表示部２００ａに表示される画像等に合わせて、さまざまに点灯制御される。
【００２９】
音声出力装置２０６は、前枠１０６の上部位置や外枠１０２の最下部位置に設けられ、メイン演出表示部２００ａに表示される画像等に合わせて、遊技機１００の正面側に向けてさまざまな音声を出力する。
【００３０】
演出ボタン２０８は、遊技者の押下操作を受け付けるボタンで構成され、遊技機１００の幅方向略中央位置であって、かつ、透過板１１０よりも下方位置に設けられている。この演出ボタン２０８は、メイン演出表示部２００ａに表示される画像等に合わせて有効化されるものであり、操作有効時間内に遊技者の操作を受け付けると、当該操作に応じて、さまざまな演出が実行される。
【００３１】
十字キー２０９は、遊技者の押下操作を受け付ける上ボタン、下ボタン、左ボタン、右ボタンの４つのボタンで構成され、演出ボタン２０８の近傍に設けられている。演出ボタン２０８および十字キー２０９は、各種の設定を行う際に用いられることもある。
【００３２】
なお、図中符号１３２は、遊技機１００から払い出される賞球や、遊技球貸出装置から貸し出される遊技球が導かれる上皿であり、この上皿１３２が遊技球で一杯になると、遊技球は下皿１３４に導かれることとなる。また、この下皿１３４の底面には、当該下皿１３４から遊技球を排出するための球抜き孔（不図示）が形成されている。この球抜き孔は、通常、開閉板（不図示）によって閉じられているが、球抜きつまみ１３４ａを押し込ませることにより、当該球抜きつまみ１３４ａと一体となって開閉板がスライドし、球抜き孔から下皿１３４の下方に遊技球を排出することが可能となっている。
【００３３】
また、遊技盤１０８には、遊技領域１１６の外方であって、かつ、遊技者が視認可能な位置に、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２が設けられている。これら各表示器１６０〜１７２は、遊技に係る種々の状況を表示するための装置であるが、その詳細については後述する。
【００３４】
（制御手段の内部構成）
図３は、遊技の進行を制御する制御手段の内部構成を示すブロック図である。
【００３５】
主制御基板３００は遊技の基本動作を制御する。この主制御基板３００は、メインＣＰＵ３００ａ、メインＲＯＭ３００ｂ、メインＲＡＭ３００ｃを備えている。メインＣＰＵ３００ａは、各検出スイッチやタイマからの入力信号に基づいて、メインＲＯＭ３００ｂに格納されたプログラムを読み出して演算処理を行うとともに、各装置や表示器を直接制御したり、あるいは演算処理の結果に応じて他の基板にコマンドを送信したりする。メインＲＡＭ３００ｃは、メインＣＰＵ３００ａの演算処理時におけるデータのワークエリアとして機能する。
【００３６】
本実施形態の遊技機１００は、主に第１始動口１２０または第２始動口１２２への遊技球の入球によって開始される特別遊技と、ゲート１２４を遊技球が通過することによって開始される普通遊技とに大別される。そして、主制御基板３００のメインＲＯＭ３００ｂには、特別遊技および普通遊技を進行するための種々のプログラムや、各種の遊技に必要なデータ、テーブルが記憶されている。
【００３７】
上記主制御基板３００には、一般入賞口１１８に遊技球が入球したことを検出する一般入賞口検出スイッチ１１８ｓ、第１始動口１２０に遊技球が入球したことを検出する第１始動口検出スイッチ１２０ｓ、第２始動口１２２に遊技球が入球したことを検出する第２始動口検出スイッチ１２２ｓ、ゲート１２４を遊技球が通過したことを検出するゲート検出スイッチ１２４ｓ、第１大入賞口１２６に遊技球が入球したことを検出する第１大入賞口検出スイッチ１２６ｓ、第２大入賞口１２８に遊技球が入球したことを検出する第２大入賞口検出スイッチ１２８ｓ、遊技領域１１６から排出された遊技球を検出するアウト球検出スイッチ１３０ｓが接続されており、これら各検出スイッチから主制御基板３００に検出信号が入力されるようになっている。
【００３８】
なお、遊技盤１０８の背面には合流通路が設けられており、一般入賞口１１８、第１始動口１２０、第２始動口１２２、第１大入賞口１２６、第２大入賞口１２８にそれぞれ入球した遊技球と、排出口１３０から背面側に導かれた遊技球とが合流通路で合流して、遊技場の設備に導かれるように構成されている。アウト球検出スイッチ１３０ｓは、合流通路に設けられており、遊技領域１１６から排出された全ての遊技球、換言すれば、遊技領域１１６に発射された全ての遊技球が、アウト球検出スイッチ１３０ｓによって検出される。
【００３９】
また、主制御基板３００には、第２始動口１２２の可動片１２２ｂを作動する普通電動役物ソレノイド１２２ｃと、第１大入賞口１２６を開閉する開閉扉１２６ｂを作動する第１大入賞口ソレノイド１２６ｃと、第２大入賞口１２８を開閉する開閉扉１２８ｂを作動する第２大入賞口ソレノイド１２８ｃと、が接続されており、主制御基板３００によって、第２始動口１２２、第１大入賞口１２６、第２大入賞口１２８の開閉制御がなされるようになっている。
【００４０】
さらに、主制御基板３００には、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２が接続されており、主制御基板３００によって、これら各表示器の表示制御がなされるようになっている。
【００４１】
また、遊技機１００には、電波を検知する電波検知センサ、磁気を検知する磁気検知センサ、中枠１０４や前枠１０６の開放状態を検知する扉開放センサ等、異常または不正の可能性があることを検知する異常検知センサ１７４が複数設けられており、各異常検知センサ１７４から主制御基板３００に異常検知信号が入力されるように構成されている。
【００４２】
さらに、遊技盤１０８の背面には、設定変更スイッチ１８０ｓが設けられている。設定変更スイッチ１８０ｓは、専用の鍵によってアクセス可能に構成されている。設定変更スイッチ１８０ｓがオンしていることを条件として、設定値を変更、確認する操作が可能となる。詳しくは後述するが、本実施形態の遊技機１００は、有利度合いが異なる６段階の設定値のいずれかが設定値バッファに登録設定値として記憶され、記憶されている登録設定値に応じて遊技が進行する。
【００４３】
また、遊技盤１０８の背面には、ＲＡＭクリアボタンが押下操作可能に設けられており、このＲＡＭクリアボタンの押下操作がＲＡＭクリアスイッチ１８２ｓによって検出される。ＲＡＭクリアスイッチ１８２ｓは主制御基板３００に接続されており、ＲＡＭクリアスイッチ１８２ｓから主制御基板３００にＲＡＭクリア操作信号が入力される。電源投入時にＲＡＭクリアスイッチ１８２ｓからＲＡＭクリア操作信号が入力されている場合、メインＣＰＵ３００ａは、メインＲＡＭ３００ｃをクリアする。
【００４４】
また、遊技盤１０８の背面には、性能表示モニタ１８４が設けられている。主制御基板３００により、性能表示モニタ１８４に登録設定値やベース比率が表示される。
【００４５】
また、主制御基板３００には、払出制御基板３１０および副制御基板３３０が接続されている。
【００４６】
払出制御基板３１０は、遊技球を発射させるための制御、および、賞球を払い出すための制御を行う。この払出制御基板３１０も、ＣＰＵ、ＲＯＭ、ＲＡＭを備えており、主制御基板３００に対して双方向に通信可能に接続されている。この払出制御基板３１０には遊技情報出力端子板３１２が接続されており、主制御基板３００から出力される遊技進行上の種々の情報が、払出制御基板３１０および遊技情報出力端子板３１２を介して、遊技店のホールコンピュータ等に出力されることとなる。
【００４７】
また、払出制御基板３１０には、貯留部に貯留された遊技球を賞球として遊技者に払い出すための払出モータ３１４が接続されている。払出制御基板３１０は、主制御基板３００から送信された払出個数指定コマンドに基づいて払出モータ３１４を制御して所定の賞球を遊技者に払い出すように制御する。このとき、払い出された遊技球数が払出球計数スイッチ３１６ｓによって検出され、払い出すべき賞球が遊技者に払い出されたかが把握されるようになっている。
【００４８】
また、払出制御基板３１０には、下皿１３４の満タン状態を検出する皿満タン検出スイッチ３１８ｓが接続されている。この皿満タン検出スイッチ３１８ｓは、賞球として払い出される遊技球を下皿１３４に導く通路に設けられており、当該通路を遊技球が通過するたびに、遊技球検出信号が払出制御基板３１０に入力されるようになっている。
【００４９】
そして、下皿１３４に所定量以上の遊技球が貯留されて満タン状態になると、下皿１３４に向かう通路内に遊技球が滞留し、皿満タン検出スイッチ３１８ｓから払出制御基板３１０に向けて、遊技球検出信号が連続的に入力される。払出制御基板３１０は、遊技球検出信号が所定時間連続して入力された場合に、下皿１３４が満タン状態であると判断し、皿満タンコマンドを主制御基板３００に送信する。一方、皿満タンコマンドを送信した後、遊技球検出信号の連続入力が途絶えた場合には、満タン状態が解除されたと判断し、皿満タン解除コマンドを主制御基板３００に送信する。
【００５０】
また、払出制御基板３１０には、発射制御回路３２０が双方向に通信可能に接続されている。この発射制御回路３２０は、払出制御基板３１０から発射制御データを受信すると発射の許可を行う。この発射制御回路３２０には、操作ハンドル１１２に設けられ、当該操作ハンドル１１２に遊技者が触れたことを検出するタッチセンサ１１２ｓと、操作ハンドル１１２の操作角度を検出する操作ボリューム１１２ａと、が接続されている。そして、タッチセンサ１１２ｓおよび操作ボリューム１１２ａから信号が入力されると、発射制御回路３２０において、遊技球発射装置に設けられた発射用ソレノイド１１２ｃを通電して遊技球を発射させる制御がなされる。
【００５１】
副制御基板３３０は、主に遊技中や待機中等の各演出を制御する。この副制御基板３３０は、サブＣＰＵ３３０ａ、サブＲＯＭ３３０ｂ、サブＲＡＭ３３０ｃ、ＲＴＣ３３０ｄを備えており、主制御基板３００に対して、当該主制御基板３００から副制御基板３３０への一方向に通信可能に接続されている。サブＣＰＵ３３０ａは、主制御基板３００から送信されたコマンドやタイマからの入力信号等に基づいて、サブＲＯＭ３３０ｂに格納されたプログラムを読み出して演算処理を行うとともに、演出を実行制御する。このとき、サブＲＡＭ３３０ｃは、サブＣＰＵ３３０ａの演算処理時におけるデータのワークエリアとして機能する。
【００５２】
具体的には、副制御基板３３０は、上記メイン演出表示部２００ａおよびサブ演出表示部２０１ａに画像を表示させる画像表示制御を行う。サブＲＯＭ３３０ｂには、メイン演出表示部２００ａおよびサブ演出表示部２０１ａに表示される種々の画像データが多数格納されており、サブＣＰＵ３３０ａが、画像データをサブＲＯＭ３３０ｂから不図示のＶＲＡＭに読み出して、メイン演出表示部２００ａおよびサブ演出表示部２０１ａの画像表示を制御する。
【００５３】
また、副制御基板３３０は、演出役物装置２０２を可動したり演出照明装置２０４を点灯制御したりするとともに、音声出力装置２０６から音声を出力させる音声出力制御を行う。さらには、演出ボタン２０８が押下操作されたことを検出する演出ボタン検出スイッチ２０８ｓ、および、十字キー２０９が押下操作されたことを検出する十字キー検出スイッチ２０９ｓから操作検出信号が入力された際に、所定の処理を行う。
【００５４】
なお、各基板には、不図示の電源基板が接続されており、電源基板を介して商用電源から各基板に電力供給がなされている。また、電源基板にはコンデンサからなるバックアップ電源が設けられている。副制御基板３３０に設けられたＲＴＣ３３０ｄは、このバックアップ電源から電源供給を受けて現在時刻を計時する。
【００５５】
図４は、メインＣＰＵ３００ａが用いるメモリ領域のアドレスマップである。なお、図４において、アドレスは１６進数で示しており、「Ｈ」は１６進数であることを示している。図４に示すように、メインＣＰＵ３００ａが用いるメモリ領域は、メインＲＯＭ３００ｂに割り当てられたメモリ領域（００００Ｈ〜２ＦＦＦＨ）と、メインＲＡＭ３００ｃに割り当てられたメモリ領域（Ｆ０００Ｈ〜Ｆ３ＦＦＨ）とを含んでいる。
【００５６】
メインＲＯＭ３００ｂのメモリ領域は、遊技の進行を制御するためのプログラムおよびデータを格納する使用領域（００００Ｈ〜１Ａ７ＡＨ）と、使用領域以外の領域であって、遊技機規則で定める試験を行うための処理や、性能表示モニタ１８４を表示するための処理（性能表示モニタ１８４に表示するベース比率を算出するための処理を含む）を実行するためのプログラムおよびデータを格納する使用外領域（２０００Ｈ〜２ＢＦＦＨ）とが設けられている。
【００５７】
メインＲＯＭ３００ｂの使用領域には、遊技の進行を制御するためのプログラムが格納されるプログラム領域（００００Ｈ〜０Ａ８９Ｈ）、未使用領域（０Ａ８ＡＨ〜０ＦＦＦＨ）、プログラム以外のデータが格納されるデータ領域（１０００Ｈ〜１Ａ７ＡＨ）が設けられている。なお、使用領域は、未使用領域（０Ａ８ＡＨ〜０ＦＦＦＨ）を含めないようにしてもよい。
【００５８】
メインＲＯＭ３００ｂの使用外領域には、遊技機規則で定める試験を行うための処理や、性能表示モニタ１８４を表示するための処理を実行するためのプログラムが格納されるプログラム領域（２０００Ｈ〜２７ＦＦＨ）、これらのプログラム以外のデータが格納されるデータ領域（２８００Ｈ〜２ＢＦＦＨ）が設けられている。
【００５９】
また、メインＲＯＭ３００ｂのメモリ領域には、使用領域および使用外領域以外にも、未使用領域（１Ａ７ＢＨ〜１ＤＦＦＨ）、プログラムのタイトル、バージョン等の任意のデータが格納されるＲＯＭコメント領域（１Ｅ００Ｈ〜１ＥＦＦＨ）、未使用領域（１Ｆ００Ｈ〜１ＦＦＦＨ）、未使用領域（２Ｃ００Ｈ〜２ＦＢＦＨ）、メインＣＰＵ３００ａがプログラムを実行するために必要な情報が格納されるプログラム管理領域（２ＦＣ０Ｈ〜２ＦＦＦＨ）が設けられている。
【００６０】
メインＲＡＭ３００ｃのメモリ領域は、遊技の進行を制御するためのプログラムが実行されている際に一時的に用いられる使用領域（Ｆ０００Ｈ〜Ｆ１ＦＦＨ）と、使用領域以外の領域であって、遊技機規則で定める試験を行うための処理や、性能表示モニタ１８４を表示するための処理のプログラムが実行されている際に一時的に用いられる使用外領域（Ｆ２１０Ｈ〜Ｆ２２８Ｈ）とが設けられている。
【００６１】
メインＲＡＭ３００ｃの使用領域には、遊技の進行を制御するためのプログラムが実行されている際に一時的に用いられるワーク領域（Ｆ０００Ｈ〜Ｆ１２ＡＨ）、未使用領域（Ｆ１２ＢＨ〜Ｆ１Ｄ７Ｈ）、遊技の進行を制御するためのプログラムの実行中にデータを一時的に退避させるスタック領域（Ｆ１Ｄ８Ｈ〜Ｆ１ＦＦＨ）が設けられている。なお、使用領域は、未使用領域（Ｆ１２ＢＨ〜Ｆ１Ｄ７Ｈ）を含めないようにしてもよい。
【００６２】
メインＲＡＭ３００ｃの使用外領域には、遊技機規則で定める試験を行うための処理や、性能表示モニタ１８４を表示するための処理のプログラムが実行されている際に一時的に用いられるワーク領域（Ｆ２１０Ｈ〜Ｆ２１ＦＨ）、これらのプログラムが実行されている際にデータを一時的に退避させるスタック領域（Ｆ２２０Ｈ〜Ｆ２２８Ｈ）が設けられている。
【００６３】
また、メインＲＡＭ３００ｃのメモリ領域には、使用領域および使用外領域以外にも、未使用領域（Ｆ２００Ｈ〜Ｆ２０ＦＨ）、未使用領域（Ｆ２２９Ｈ〜Ｆ３ＦＦＨ）が設けられている。
【００６４】
このように、メインＲＯＭ３００ｂおよびメインＲＡＭ３００ｃでは、遊技の進行を制御するために用いられる使用領域と、遊技機規則で定める試験を行うための処理や、性能表示モニタ１８４の表示制御をするための処理を実行するために用いられる使用外領域とが分かれて設けられている。
【００６５】
そして、メインＲＡＭ３００ｃでは、使用領域と使用外領域との間に、１６バイトの未使用領域（Ｆ２００Ｈ〜Ｆ２０ＦＨ）が設けられている。この未使用領域（Ｆ２００Ｈ〜Ｆ２０ＦＨ）は、使用領域および使用外領域を分ける境界領域として設定されており、使用領域と使用外領域との境界が明確となり、遊技の進行を制御するためのプログラムが実行されている際に使用外領域が用いられること、および、遊技機規則で定める試験を行うための処理や、性能表示モニタ１８４の表示制御をするための処理のプログラムが実行されている際に使用領域が用いられることを防止している。
【００６６】
なお、使用領域と使用外領域との間に設けられる未使用領域は、少なくとも１バイト以上であればよく、不正防止の観点から、４バイト以上であることが望ましく、１６バイト以上に設定されることがより望ましい。また、未使用領域は、データの書き込みおよび読み出しが禁止されているが、不正防止の観点から、所定のタイミングでクリアするようにしてもよい。
【００６７】
次に、本実施形態の遊技機１００における遊技について、メインＲＯＭ３００ｂに記憶されている各種テーブルと併せて説明する。
【００６８】
前述したように、本実施形態の遊技機１００は、特別遊技と普通遊技の２種類の遊技が並行して進行するものであり、これら両遊技を進行する際の遊技状態として、低確率遊技状態または高確率遊技状態のいずれかの遊技状態と、非時短遊技状態または時短遊技状態のいずれかの遊技状態と、が組み合わされたいずれかの遊技状態にて遊技が進行する。
【００６９】
各遊技状態の詳細については後述するが、低確率遊技状態というのは、第１大入賞口１２６および第２大入賞口１２８が開放される大役遊技を実行する権利獲得の確率が低く設定された遊技状態であり、高確率遊技状態というのは、大役遊技を実行する権利獲得の確率が高く設定された遊技状態である。
【００７０】
また、非時短遊技状態というのは、可動片１２２ｂが開状態になりにくく、第２始動口１２２に遊技球が入球しにくい遊技状態であり、時短遊技状態というのは、非時短遊技状態よりも可動片１２２ｂが開状態になりやすく、第２始動口１２２に遊技球が入球しやすい遊技状態である。なお、遊技機１００の初期状態は、低確率遊技状態および非時短遊技状態に設定され、この遊技状態を本実施形態では通常遊技状態と称する。
【００７１】
遊技者が操作ハンドル１１２を操作して遊技領域１１６に遊技球を発射させるとともに、遊技領域１１６を流下する遊技球が第１始動口１２０または第２始動口１２２に入球すると、遊技者に遊技利益を付与するか否かの抽選（以下、「大役抽選」という）が行われる。この大役抽選において、大当たりまたは小当たりに当選すると、第１大入賞口１２６および第２大入賞口１２８が開放されるとともに当該第１大入賞口１２６および第２大入賞口１２８への遊技球の入球が可能となる大役遊技または小当たり遊技が実行される。また、大役遊技の終了後の遊技状態には、上記のいずれかの遊技状態に設定される。以下では、大役抽選方法について説明する。
【００７２】
なお、詳しくは後述するが、第１始動口１２０または第２始動口１２２に遊技球が入球すると、大役抽選に係る種々の乱数値（大当たり決定乱数、当たり図柄乱数、リーチグループ決定乱数、リーチモード決定乱数、変動パターン乱数）が取得されるとともに、これら各乱数値がメインＲＡＭ３００ｃの特図保留記憶領域に記憶される。以下では、第１始動口１２０に遊技球が入球して特図保留記憶領域に記憶された種々の乱数を総称して特１保留とよび、第２始動口１２２に遊技球が入球して特図保留記憶領域に記憶された種々の乱数を総称して特２保留と呼ぶ。
【００７３】
メインＲＡＭ３００ｃの特図保留記憶領域は、第１特図保留記憶領域と第２特図保留記憶領域とを備えている。第１特図保留記憶領域および第２特図保留記憶領域は、それぞれ４つの記憶部（第１〜第４記憶部）を有している。そして、第１始動口１２０に遊技球が入球すると、特１保留を第１特図保留記憶領域の第１記憶部から順に記憶し、第２始動口１２２に遊技球が入球すると、特２保留を第２特図保留記憶領域の第１記憶部から順に記憶する。
【００７４】
例えば、第１始動口１２０に遊技球が入球したとき、第１特図保留記憶領域の第１記憶部〜第４記憶部のいずれにも保留が記憶されていない場合には、第１記憶部に特１保留を記憶する。また、例えば、第１記憶部〜第３記憶部に特１保留が記憶されている状態で、第１始動口１２０に遊技球が入球した場合には、特１保留を第４記憶部に記憶する。また、第２始動口１２２に遊技球が入球した場合にも、上記と同様に、第２特図保留記憶領域の第１記憶部〜第４記憶部の中で、特２保留が記憶されていない、最も番号（序数）の小さい記憶部に特２保留が記憶される。
【００７５】
ただし、第１特図保留記憶領域および第２特図保留記憶領域に記憶可能な特１保留数（Ｘ１）および特２保留数（Ｘ２）は、それぞれ４つに設定されている。したがって、例えば、第１始動口１２０に遊技球が入球したときに、第１特図保留記憶領域に既に４つの特１保留が記憶されている場合には、当該第１始動口１２０への遊技球の入球によって新たに特１保留が記憶されることはない。同様に、第２始動口１２２に遊技球が入球したときに、第２特図保留記憶領域に既に４つの特２保留が記憶されている場合には、当該第２始動口１２２への遊技球の入球によって新たに特２保留が記憶されることはない。
【００７６】
図５は、低確時大当たり決定乱数判定テーブルを説明する図である。第１始動口１２０または第２始動口１２２に遊技球が入球すると、０〜６５５３５の範囲内から１つの大当たり決定乱数が取得される。そして、大役抽選を開始するとき、すなわち、大当たりの判定を行うときの遊技状態に応じて大当たり決定乱数判定テーブルが選択され、当該選択された大当たり決定乱数判定テーブルと取得された大当たり決定乱数とによって大役抽選が行われる。
【００７７】
低確率遊技状態において、特１保留および特２保留について大役抽選を開始する場合には、低確時大当たり決定乱数判定テーブルが参照される。ここで、本実施形態では、有利度合いを異にする６段階の設定値が設けられており、低確時大当たり決定乱数判定テーブルは、設定値ごとに設けられている。遊技中は、設定値が６段階のうちのいずれかに設定されており、現在設定されている設定値（設定値バッファに記憶されている登録設定値）に対応する低確時大当たり決定乱数判定テーブルを参照して大役抽選が行われる。
【００７８】
低確率遊技状態であって、設定値＝１に設定されている場合（登録設定値＝１）には、図５（ａ）に示す低確時大当たり決定乱数判定テーブルａを参照して大役抽選が行われる。この低確時大当たり決定乱数判定テーブルａによれば、大当たり決定乱数が１０００１〜１０２１８であった場合に大当たりと判定し、大当たり決定乱数が２０００１〜２１３１０であった場合に小当たりと判定し、その他の大当たり決定乱数であった場合にはハズレと判定する。したがって、この場合の大当たり確率は約１／３００．６となり、小当たり確率は約１／５０となる。
【００７９】
低確率遊技状態であって、設定値＝２に設定されている場合（登録設定値＝２）には、図５（ｂ）に示す低確時大当たり決定乱数判定テーブルｂを参照して大役抽選が行われる。この低確時大当たり決定乱数判定テーブルｂによれば、大当たり決定乱数が１０００１〜１０２２５であった場合に大当たりと判定し、大当たり決定乱数が２０００１〜２１３１０であった場合に小当たりと判定し、その他の大当たり決定乱数であった場合にはハズレと判定する。したがって、この場合の大当たり確率は約１／２９１．２となり、小当たり確率は約１／５０となる。
【００８０】
低確率遊技状態であって、設定値＝３に設定されている場合（登録設定値＝３）には、図５（ｃ）に示す低確時大当たり決定乱数判定テーブルｃを参照して大役抽選が行われる。この低確時大当たり決定乱数判定テーブルｃによれば、大当たり決定乱数が１０００１〜１０２３２であった場合に大当たりと判定し、大当たり決定乱数が２０００１〜２１３１０であった場合に小当たりと判定し、その他の大当たり決定乱数であった場合にはハズレと判定する。したがって、この場合の大当たり確率は約１／２８２．４となり、小当たり確率は約１／５０となる。
【００８１】
低確率遊技状態であって、設定値＝４に設定されている場合（登録設定値＝４）には、図５（ｄ）に示す低確時大当たり決定乱数判定テーブルｄを参照して大役抽選が行われる。この低確時大当たり決定乱数判定テーブルｄによれば、大当たり決定乱数が１０００１〜１０２３９であった場合に大当たりと判定し、大当たり決定乱数が２０００１〜２１３１０であった場合に小当たりと判定し、その他の大当たり決定乱数であった場合にはハズレと判定する。したがって、この場合の大当たり確率は約１／２７４．２となり、小当たり確率は約１／５０となる。
【００８２】
低確率遊技状態であって、設定値＝５に設定されている場合（登録設定値＝５）には、図５（ｅ）に示す低確時大当たり決定乱数判定テーブルｅを参照して大役抽選が行われる。この低確時大当たり決定乱数判定テーブルｅによれば、大当たり決定乱数が１０００１〜１０２４６であった場合に大当たりと判定し、大当たり決定乱数が２０００１〜２１３１０であった場合に小当たりと判定し、その他の大当たり決定乱数であった場合にはハズレと判定する。したがって、この場合の大当たり確率は約１／２６６．４となり、小当たり確率は約１／５０となる。
【００８３】
低確率遊技状態であって、設定値＝６に設定されている場合（登録設定値＝６）には、図５（ｆ）に示す低確時大当たり決定乱数判定テーブルｆを参照して大役抽選が行われる。この低確時大当たり決定乱数判定テーブルｆによれば、大当たり決定乱数が１０００１〜１０２５３であった場合に大当たりと判定し、大当たり決定乱数が２０００１〜２１３１０であった場合に小当たりと判定し、その他の大当たり決定乱数であった場合にはハズレと判定する。したがって、この場合の大当たり確率は約１／２５９．０となり、小当たり確率は約１／５０となる。
【００８４】
図６は、高確時大当たり決定乱数判定テーブルを説明する図である。高確率遊技状態において、特１保留および特２保留について大役抽選を開始する場合には、高確時大当たり決定乱数判定テーブルが参照される。高確時大当たり決定乱数判定テーブルも、低確時大当たり決定乱数判定テーブルと同様に設定値ごとに設けられている。
【００８５】
高確率遊技状態であって、設定値＝１に設定されている場合（登録設定値＝１）には、図６（ａ）に示す高確時大当たり決定乱数判定テーブルａを参照して大役抽選が行われる。この高確時大当たり決定乱数判定テーブルａによれば、大当たり決定乱数が１０００１〜１０６２０であった場合に大当たりと判定し、大当たり決定乱数が２０００１〜２１３１０であった場合に小当たりと判定し、その他の大当たり決定乱数であった場合にはハズレと判定する。したがって、この場合の大当たり確率は約１／１０５．７となり、小当たり確率は約１／５０となる。
【００８６】
同様に、高確率遊技状態であって、設定値＝２〜６に設定されている場合（登録設定値＝２〜６）には、図６（ｂ）〜（ｆ）に示す高確時大当たり決定乱数判定テーブルｂ〜ｆを参照して大役抽選が行われる。これら高確時大当たり決定乱数判定テーブルｂ〜ｆによれば、それぞれ大当たり決定乱数が図示の値であった場合に大当たりと判定する。したがって、設定値＝２〜６の場合の大当たり確率は、それぞれ約１／１０２．４〜１／９１．０となり、小当たり確率は約１／５０となる。
【００８７】
以上のように、大役抽選は、登録設定値に応じて行われる。このとき、登録設定値に応じて大当たりの当選確率が異なっており、登録設定値が大きい場合の方が、小さい場合に比べて、大当たりに当選しやすくなっている。なお、ここでは、登録設定値が異なっても、小当たりの当選確率は変わらないこととしたが、登録設定値ごとに小当たりの当選確率を異ならせてもよい。また、小当たりは必須ではなく、大役抽選において、大当たりおよびハズレのいずれかのみが決定されてもよい。
【００８８】
また、ここでは、低確率遊技状態および高確率遊技状態の双方における大当たりの当選確率が、登録設定値に応じて異なることとしたが、低確率遊技状態および高確率遊技状態のいずれか一方における大当たりの当選確率のみが、登録設定値に応じて異なることとしてもよい。
【００８９】
図７は、当たり図柄乱数判定テーブルを説明する図である。第１始動口１２０または第２始動口１２２に遊技球が入球すると、０〜９９の範囲内から１つの当たり図柄乱数が取得される。そして、上記の大役抽選により「大当たり」または「小当たり」の判定結果が導出された場合に、取得している当たり図柄乱数と当たり図柄乱数判定テーブルとによって、特別図柄の種別が決定される。このとき、特１保留によって「大当たり」に当選した場合には、図７（ａ）に示すように、特１用当たり図柄乱数判定テーブルａが選択され、特１保留によって「小当たり」に当選した場合には、図７（ｂ）に示すように、特１用当たり図柄乱数判定テーブルｂが選択される。また、特２保留によって「大当たり」に当選した場合には、図７（ｃ）に示すように、特２用当たり図柄乱数判定テーブルａが選択され、特２保留によって「小当たり」に当選した場合には、図７（ｄ）に示すように、特２用当たり図柄乱数判定テーブルｂが選択される。以下では、当たり図柄乱数によって決定される特別図柄、すなわち、大当たりの判定結果が得られた場合に決定される特別図柄を大当たり図柄と呼び、小当たりの判定結果が得られた場合に決定される特別図柄を小当たり図柄と呼び、ハズレの判定結果が得られた場合に決定される特別図柄をハズレ図柄と呼ぶ。
【００９０】
図７（ａ）に示す特１用当たり図柄乱数判定テーブルａ、および、図７（ｃ）に示す特２用当たり図柄乱数判定テーブルａによれば、取得した当たり図柄乱数の値に応じて、図示のとおり、特別図柄の種別（大当たり図柄）が決定される。また、図７（ｂ）に示す特１用当たり図柄乱数判定テーブルｂ、および、図７（ｄ）に示す特２用当たり図柄乱数判定テーブルｂによれば、取得した当たり図柄乱数の値に拘わらず、図示のとおり、特別図柄の種別（小当たり図柄）が特別図柄ａに決定される。
【００９１】
一方、大役抽選結果が「ハズレ」であった場合に、当該抽選結果が特１保留によって導出されたときは、抽選を行うことなくハズレ図柄として特別図柄Ｘが決定される。また、大役抽選結果が「ハズレ」であった場合に、当該抽選結果が特２保留によって導出されたときは、抽選を行うことなくハズレ図柄として特別図柄Ｙが決定される。
【００９２】
つまり、当たり図柄乱数判定テーブルは、大役抽選結果が「大当たり」または「小当たり」であった場合にのみ参照され、大役抽選結果が「ハズレ」であった場合に参照されることはない。なお、ここでは、特１用当たり図柄乱数判定テーブル、および、特２用当たり図柄乱数判定テーブルにおいて、同一の大当たり図柄がそれぞれ決定されることとした。しかしながら、両テーブルにおいて異なる大当たり図柄が決定されるようにしてもよいし、保留種別を問わず、１の当たり図柄乱数判定テーブルを参照して特別図柄の種別（大当たり図柄）を決定してもよい。
【００９３】
なお、ここでは、大当たり図柄および小当たり図柄の選択比率が、全設定値で共通としたが、大当たり図柄および小当たり図柄のいずれか一方または双方を、設定値ごとに異ならせてもよい。
【００９４】
図８は、リーチグループ決定乱数判定テーブルを説明する図である。このリーチグループ決定乱数判定テーブルは複数設けられており、保留種別、保留数、遊技状態、遊技状態に対応付けられている変動状態等に応じて、予め設定されたテーブルが選択される。第１始動口１２０または第２始動口１２２に遊技球が入球すると、０〜１０００６の範囲内から１つのリーチグループ決定乱数が取得される。上記のように、大役抽選結果が導出されると、当該大役抽選結果を報知する変動演出パターンを決定する処理が行われる。本実施形態では、大役抽選結果が「ハズレ」であった場合に、変動演出パターンを決定するにあたって、まず、リーチグループ決定乱数とリーチグループ決定乱数判定テーブルとによってグループ種別が決定される。なお、変動状態とは、いずれのテーブルを参照して変動演出パターンを決定するかが規定されたものであり、遊技状態とは別に設定される概念である。
【００９５】
例えば、遊技状態が非時短遊技状態に設定されているときに、特１保留に基づいて「ハズレ」の大役抽選結果が導出された場合において、大役抽選を行うときの特１保留の保留数（以下、単に「保留数」という）が０個であれば、図８（ａ）に示すように、リーチグループ決定乱数判定テーブル１が選択される。同様に、通常遊技状態に設定されているときに、特１保留に基づいて「ハズレ」の大役抽選結果が導出された場合において、大役抽選を行うときの保留数が１〜２個であれば、図８（ｂ）に示すように、リーチグループ決定乱数判定テーブル２が選択され、保留数が３個であれば、図８（ｃ）に示すように、リーチグループ決定乱数判定テーブル３が選択される。なお、図８において、グループ種別の欄に記載しているグループｘは、任意のグループ番号を示している。したがって、取得したリーチグループ決定乱数と、参照するリーチグループ決定乱数判定テーブルの種類とに応じて、グループ種別として種々のグループ番号が決定されることとなる。
【００９６】
なお、ここでは、非時短遊技状態において、特１保留に基づいて「ハズレ」の大役抽選結果が導出されたときに参照されるリーチグループ決定乱数判定テーブルについて説明したが、メインＲＯＭ３００ｂには、この他にも多数のリーチグループ決定乱数判定テーブルが記憶されている。
【００９７】
なお、大役抽選結果が「大当たり」または「小当たり」であった場合には、変動演出パターンを決定するにあたってグループ種別を決定することはない。つまり、リーチグループ決定乱数判定テーブルは、大役抽選結果が「ハズレ」であった場合にのみ参照され、大役抽選結果が「大当たり」または「小当たり」であった場合に参照されることはない。
【００９８】
図９は、リーチモード決定乱数判定テーブルを説明する図である。このリーチモード決定乱数判定テーブルは、大役抽選結果が「ハズレ」であった場合に選択されるハズレ時リーチモード決定乱数判定テーブルと、大役抽選結果が「大当たり」であった場合に選択される大当たり時リーチモード決定乱数判定テーブルと、大役抽選結果が「小当たり」であった場合に選択される小当たり時リーチモード決定乱数判定テーブルとに大別される。なお、ハズレ時リーチモード決定乱数判定テーブルは、上記のように決定されたグループ種別ごとに設けられており、大当たり時リーチモード決定乱数判定テーブルおよび小当たり時リーチモード決定乱数判定テーブルは、保留種別ごとに設けられている。
【００９９】
また、各リーチモード決定乱数判定テーブルは、遊技状態や図柄の種別ごとにも設けられている。ここでは、所定の遊技状態および図柄種別において参照されるグループｘ用ハズレ時リーチモード決定乱数判定テーブルの一例を図９（ａ）に示し、特１用大当たり時リーチモード決定乱数判定テーブルの一例を図９（ｂ）に示し、特２用大当たり時リーチモード決定乱数判定テーブルの一例を図９（ｃ）に示し、特１用小当たり時リーチモード決定乱数判定テーブルの一例を図９（ｄ）に示し、特２用小当たり時リーチモード決定乱数判定テーブルの一例を図９（ｅ）に示す。
【０１００】
第１始動口１２０または第２始動口１２２に遊技球が入球すると、０〜２５０の範囲内から１つのリーチモード決定乱数が取得される。そして、上記の大役抽選の結果が「ハズレ」であった場合には、図９（ａ）に示すように、上記のグループ種別の抽選により決定されたグループ種別に対応するハズレ時リーチモード決定乱数判定テーブルが選択され、選択されたハズレ時リーチモード決定乱数判定テーブルとリーチモード決定乱数とに基づいて、変動モード番号が決定される。また、上記の大役抽選の結果が「大当たり」であった場合には、図９（ｂ）、（ｃ）に示すように、読み出された保留種別に対応する大当たり時リーチモード決定乱数判定テーブルが選択され、選択された大当たり時リーチモード決定乱数判定テーブルとリーチモード決定乱数とに基づいて、変動モード番号が決定される。
【０１０１】
さらに、上記の大役抽選の結果が「小当たり」であった場合には、図９（ｄ）、（ｅ）に示すように、読み出された保留種別に対応する小当たり時リーチモード決定乱数判定テーブルが選択され、選択された小当たり時リーチモード決定乱数判定テーブルとリーチモード決定乱数とに基づいて、変動モード番号が決定される。
【０１０２】
また、各リーチモード決定乱数判定テーブルにおいては、リーチモード決定乱数に、変動モード番号とともに、後述する変動パターン乱数判定テーブルが対応付けられており、変動モード番号が決定されるのと同時に、変動パターン乱数判定テーブルが決定される。なお、図９において、変動パターン乱数判定テーブルの欄に記載しているテーブルｘは、任意のテーブル番号を示している。したがって、取得したリーチグループ決定乱数と、参照するリーチモード決定乱数判定テーブルの種類とに応じて、変動モード番号と、変動パターン乱数判定テーブルのテーブル番号とが決定されることとなる。また、本実施形態において、変動モード番号および後述する変動パターン番号は、１６進数で設定されている。以下において、１６進数を示す場合には「Ｈ」を付するが、図９〜図１１に○○Ｈと記載しているのは、１６進数で示される任意の値を示すものである。
【０１０３】
以上のように、大役抽選結果が「ハズレ」であった場合には、まず、図８に示すリーチグループ決定乱数判定テーブルとリーチグループ決定乱数とによってグループ種別が決定される。そして、決定されたグループ種別と遊技状態に応じ、図９（ａ）に示すハズレ時リーチモード決定乱数判定テーブルとリーチモード決定乱数とによって、変動モード番号および変動パターン乱数判定テーブルが決定される。
【０１０４】
一方、大役抽選結果が「大当たり」または「小当たり」であった場合には、決定された大当たり図柄または小当たり図柄（特別図柄の種別）、大当たり、または、小当たり当選時の遊技状態等に対応する、図９に示す大当たり時リーチモード決定乱数判定テーブルを参照し、リーチモード決定乱数を用いて、変動モード番号、変動パターン乱数判定テーブルが決定されることとなる。
【０１０５】
図１０は、変動パターン乱数判定テーブルを説明する図である。ここでは、所定のテーブル番号ｘの変動パターン乱数判定テーブルｘを示すが、変動パターン乱数判定テーブルは、この他にも、テーブル番号ごとに多数設けられている。
【０１０６】
第１始動口１２０または第２始動口１２２に遊技球が入球すると、０〜２３８の範囲内から１つの変動パターン乱数が取得される。そして、上記の変動モード番号と同時に決定された変動パターン乱数判定テーブルと、取得した変動パターン乱数とに基づいて、図示のように変動パターン番号が決定される。
【０１０７】
このように、大役抽選が行われると、大役抽選結果、決定された図柄種別、遊技状態、保留数、保留種別等に応じて、変動モード番号、変動パターン番号が決定される。これら変動モード番号、変動パターン番号は、変動演出パターンを特定するものであり、そのそれぞれに、変動演出の態様および時間が対応付けられている。
【０１０８】
図１１は、変動時間決定テーブルを説明する図である。上記のように、変動モード番号が決定されると、図１１（ａ）に示す変動時間１決定テーブルにしたがって変動時間１が決定される。この変動時間１決定テーブルによれば、変動モード番号ごとに変動時間１が対応付けられており、決定された変動モード番号に応じて、対応する変動時間１が決定される。
【０１０９】
また、上記のように、変動パターン番号が決定されると、図１１（ｂ）に示す変動時間２決定テーブルにしたがって変動時間２が決定される。この変動時間２決定テーブルによれば、変動パターン番号ごとに変動時間２が対応付けられており、決定された変動パターン番号に応じて、対応する変動時間２が決定される。このようにして決定された変動時間１、２の合計時間が、大役抽選結果を報知する変動演出の時間、すなわち、変動時間となる。
【０１１０】
以上のようにして変動モード番号が決定されると、当該決定された変動モード番号に対応する変動モードコマンドが副制御基板３３０に送信され、変動パターン番号が決定されると、当該決定された変動パターン番号に対応する変動パターンコマンドが副制御基板３３０に送信される。副制御基板３３０においては、受信した変動モードコマンドに基づいて、主に変動演出の前半の態様が決定され、受信した変動パターンコマンドに基づいて、主に変動演出の後半の態様が決定されることとなるが、その詳細については後述する。なお、以下では、変動モード番号および変動パターン番号を総称して変動情報と呼び、変動モードコマンドおよび変動パターンコマンドを総称して変動コマンドと呼ぶ場合がある。
【０１１１】
図１２は、特別電動役物作動ラムセットテーブルを説明する図である。この特別電動役物作動ラムセットテーブルは、大役遊技または小当たり遊技を制御するための各種データが記憶されたものであり、大役遊技中および小当たり遊技中は、この特別電動役物作動ラムセットテーブルを参照して、第１大入賞口ソレノイド１２６ｃ、第２大入賞口ソレノイド１２８ｃが通電制御される。なお、実際は、特別電動役物作動ラムセットテーブルは、特別図柄（大当たり図柄および小当たり図柄）の種別ごとに複数設けられており、決定された特別図柄の種別に応じて、対応するテーブルが大役遊技または小当たり遊技の開始時にセットされるが、ここでは、説明の都合上、１つのテーブルに全ての特別図柄の制御データを示す。
【０１１２】
大当たり図柄である特別図柄Ａ、Ｂ、Ｃ、または、小当たり図柄である特別図柄ａが決定されると、図１２に示すように、特別電動役物作動ラムセットテーブルを参照して、第１大入賞口１２６および第２大入賞口１２８を所定の開閉パターンで開閉制御する開閉処理が実行される。大役遊技は、第２大入賞口１２８が所定回数開閉される複数回のラウンド遊技で構成され、小当たり遊技は、第１大入賞口１２６が所定回数開閉されるラウンド遊技が１回のみ実行される。
【０１１３】
この特別電動役物作動ラムセットテーブルによれば、オープニング時間（最初のラウンド遊技が開始されるまでの待機時間）、特別電動役物最大作動回数（１回の大役遊技中または小当たり遊技中に実行されるラウンド遊技の回数）、開放大入賞口（各ラウンド遊技において開放される第１大入賞口１２６および第２大入賞口１２８）、特別電動役物開閉切替回数（１ラウンド遊技中の第１大入賞口１２６および第２大入賞口１２８の開放回数）、ソレノイド通電時間（第１大入賞口１２６および第２大入賞口１２８の開放回数ごとの第１大入賞口ソレノイド１２６ｃおよび第２大入賞口ソレノイド１２８ｃの通電時間、すなわち、１回の第１大入賞口１２６および第２大入賞口１２８の開放時間）、規定数（１回のラウンド遊技における第１大入賞口１２６および第２大入賞口１２８への最大入賞可能数）、大入賞口閉鎖有効時間（ラウンド遊技間の第１大入賞口１２６および第２大入賞口１２８の閉鎖時間、すなわち、ラウンド間インターバル時間）、エンディング時間（最後のラウンド遊技が終了してから、通常の特別遊技が再開されるまでの待機時間）が、大役遊技の制御データとして、大当たり図柄および小当たり図柄の種別ごとに、図示のように予め記憶されている。
【０１１４】
本実施形態では、大当たり図柄である特別図柄Ａ、Ｂが決定された場合には、いずれも５回のラウンド遊技で構成される大役遊技が実行され、特別図柄Ｃが決定された場合には、１５回のラウンド遊技で構成される大役遊技が実行される。各ラウンド遊技は、規定数（８個）の遊技球が第２大入賞口１２８に入球するか、もしくは、第２大入賞口１２８が開放されてから所定時間（ここでは２９．０秒）が経過すると終了となる。
【０１１５】
また、小当たり図柄である特別図柄ａが決定された場合には、１回のラウンド遊技で構成される小当たり遊技が実行される。特別図柄ａが決定されて実行される小当たり遊技では、１回目のラウンド遊技において、第１大入賞口１２６の０．９秒の開放が、所定の休止時間を挟んで２回行われる。
【０１１６】
図１３は、大役遊技の終了後の遊技状態を設定するための遊技状態設定テーブルを説明する図である。本実施形態においては、大役遊技が実行された場合、大当たり当選時に決定された特別図柄の種別に応じて、大役遊技の終了後の遊技状態が設定される。
【０１１７】
この遊技状態設定テーブルによれば、大当たり図柄が特別図柄Ａであった場合には、大役遊技の終了後に低確率遊技状態に設定される。一方、大当たり図柄が特別図柄Ｂ、Ｃであった場合には、大役遊技の終了後に高確率遊技状態に設定されるとともに、高確率遊技状態の継続回数（以下、「高確回数」という）は１００００回に設定される。これは、大役抽選結果が１００００回確定するまでの間、高確率遊技状態が継続することを意味している。ただし、上記した高確回数は１の高確率遊技状態における最大継続回数を示すものであり、上記の継続回数に到達するまでの間に大当たりに当選した場合には、再度、高確回数の設定が行われることとなる。したがって、大役遊技の終了後に高確率遊技状態に設定された場合に、当該高確率遊技状態において大当たりの抽選結果が導出されることなく、ハズレの抽選結果が１００００回導出されると、低確率遊技状態に遊技状態が変更されることとなる。
【０１１８】
また、大役遊技の終了後には、時短遊技状態に設定されるとともに、時短遊技状態の継続回数（以下、「時短回数」という）が設定される。このとき、大当たり図柄が特別図柄Ａであれば、時短回数が１００回に設定され、特別図柄Ｂ、Ｃであれば、時短回数が１００００回に設定される。これは、大役抽選結果が１００回または１００００回確定するまでの間、時短遊技状態が継続することを意味している。ただし、上記した時短回数は１の時短遊技状態における最大継続回数を示すものであり、上記の継続回数に到達するまでの間に大当たりに当選した場合には、再度、時短回数の設定が行われることとなる。
【０１１９】
図１４は、当たり決定乱数判定テーブルを説明する図である。遊技領域１１６を流下する遊技球がゲート１２４を通過すると、第２始動口１２２の可動片１２２ｂを通電制御するか否かが対応付けられた普通図柄の判定処理（以下、「普図抽選」という）が行われる。
【０１２０】
なお、詳しくは後述するが、遊技球がゲート１２４を通過すると、０〜９９の範囲内から１つの当たり決定乱数が取得されるとともに、この乱数値がメインＲＡＭ３００ｃの普図保留記憶領域に４つを上限として記憶される。つまり、普図保留記憶領域は、当たり決定乱数をセーブする４つの記憶部を備えている。したがって、普図保留記憶領域の４つの記憶部全てに当たり決定乱数が記憶された状態で、遊技球がゲート１２４を通過した場合には、当該遊技球の通過に基づいて当たり決定乱数が記憶されることはない。以下では、ゲート１２４を遊技球が通過して普図保留記憶領域に記憶された当たり決定乱数を普図保留と呼ぶ。
【０１２１】
非時短遊技状態において普図抽選を開始する場合には、図１４（ａ）に示すように、非時短遊技状態用当たり決定乱数判定テーブルが参照される。この非時短遊技状態用当たり決定乱数判定テーブルによれば、当たり決定乱数が０であった場合に、普通図柄の種別として当たり図柄が決定され、当たり決定乱数が１〜９９であった場合に、普通図柄の種別としてハズレ図柄が決定される。したがって、非時短遊技状態において当たり図柄が決定される確率、すなわち、当選確率は１／１００となる。詳しくは後述するが、この普図抽選において当たり図柄が決定されると、第２始動口１２２が開状態に制御され、ハズレ図柄が決定された場合には、第２始動口１２２が閉状態に維持される。
【０１２２】
また、時短遊技状態において普図抽選を開始する場合には、図１４（ｂ）に示すように、時短遊技状態用当たり決定乱数判定テーブルが参照される。この時短遊技状態用当たり決定乱数判定テーブルによれば、当たり決定乱数が０〜９８であった場合に、普通図柄の種別として当たり図柄が決定され、当たり決定乱数が９９であった場合に、普通図柄の種別としてハズレ図柄が決定される。したがって、時短遊技状態において当たり図柄が決定される確率、すなわち、当選確率は９９／１００となる。
【０１２３】
図１５（ａ）は、普通図柄変動時間データテーブルを説明する図であり、図１５（ｂ）は、開閉制御パターンテーブルを説明する図である。上記のように、普図抽選が行われると、普通図柄の変動時間が決定される。普通図柄変動時間データテーブルは、普図抽選によって当たり図柄もしくはハズレ図柄が決定されたときに、当該普通図柄の変動時間を決定する際に参照されるものである。この普通図柄変動時間データテーブルによれば、遊技状態が非時短遊技状態に設定されている場合には変動時間が１０秒に決定され、遊技状態が時短遊技状態に設定されている場合には変動時間が１秒に決定される。このようにして変動時間が決定されると、当該決定された時間にわたって普通図柄表示器１６８が変動表示（点滅表示）される。そして、当たり図柄が決定された場合には普通図柄表示器１６８が点灯し、ハズレ図柄が決定された場合には普通図柄表示器１６８が消灯する。
【０１２４】
そして、普図抽選によって当たり図柄が決定されるとともに、普通図柄表示器１６８が点灯した場合には、第２始動口１２２の可動片１２２ｂが、図１５（ｂ）に示すように、開閉制御パターンテーブルを参照して通電制御される。なお、実際は、開閉制御パターンテーブルは、遊技状態ごとに設けられており、普通図柄が決定されたときの遊技状態に応じて、対応するテーブルが普通電動役物ソレノイド１２２ｃの通電開始時にセットされるが、ここでは、説明の都合上、１つのテーブルに各遊技状態に対応する制御データを示す。
【０１２５】
当たり図柄が決定されると、図１５（ｂ）に示すように、開閉制御パターンテーブルを参照して第２始動口１２２が開閉制御される。この開閉制御パターンテーブルによれば、普電開放前時間（第２始動口１２２の開放が開始されるまでの待機時間）、普通電動役物最大開閉切替回数（第２始動口１２２の開放回数）、ソレノイド通電時間（第２始動口１２２の開放回数ごとの普通電動役物ソレノイド１２２ｃの通電時間、すなわち、１回の第２始動口１２２の開放時間）、規定数（第２始動口１２２の全開放中における第２始動口１２２への最大入賞可能数）、普電閉鎖有効時間（第２始動口１２２の各開放間の閉鎖時間、すなわち、休止時間）、普電有効状態時間（第２始動口１２２の最後の開放終了からの待機時間）、普電終了ウェイト時間（普電有効状態時間の経過後、後述する普通図柄の変動表示が再開されるまでの待機時間）が、第２始動口１２２の制御データとして、遊技状態ごとに、図示のように予め記憶されている。
【０１２６】
このように、非時短遊技状態および時短遊技状態には、それぞれ、第２始動口１２２を開閉するための開閉制御条件が、遊技進行条件として対応付けられており、時短遊技状態においては、非時短遊技状態よりも第２始動口１２２に遊技球が入球しやすくなる。つまり、時短遊技状態においては、ゲート１２４を遊技球が通過する限りにおいて、次々と普図抽選がなされるとともに、第２始動口１２２が頻繁に開放状態となるため、遊技者は遊技球の費消を低減しながら、大役抽選を行うことが可能となる。
【０１２７】
なお、第２始動口１２２の開閉条件は、普通図柄の当選確率、普通図柄の変動表示の時間、第２始動口１２２の開放時間の３つの要素を規定するものである。そして、本実施形態では、このうち２つの要素において、非時短遊技状態よりも時短遊技状態の方を有利に設定することで、時短遊技状態の方が、非時短遊技状態よりも、第２始動口１２２に遊技球が入球しやすくなるように設定した。しかしながら、上記３つの要素のうち、１つまたは３つの要素について、時短遊技状態の方が、非時短遊技状態よりも有利に設定してもよい。いずれにしても、時短遊技状態の方が非時短遊技状態に比べて、少なくとも１つの要素について有利となることで、総合的に時短遊技状態の方が、非時短遊技状態よりも第２始動口１２２に遊技球が容易に入球するようにすればよい。つまり、遊技状態が非時短遊技状態に設定されている場合に、第１の条件にしたがって可動片１２２ｂが開閉制御され、遊技状態が時短遊技状態に設定されている場合に、第１の条件よりも開状態になりやすい第２の条件にしたがって可動片１２２ｂが開閉制御されればよい。
【０１２８】
次に、遊技機１００における遊技の進行に伴う主制御基板３００の主な処理について説明する。
【０１２９】
図１６は、遊技機状態フラグを説明する図である。主制御基板３００においては、遊技を進行可能な状態であるか否かが遊技機状態フラグにより管理される。遊技機状態フラグには、００Ｈ〜０５Ｈの６種類のフラグ値のいずれかがセットされる。遊技機状態フラグのフラグ値＝００Ｈは遊技可能状態を示しており、遊技機状態フラグが００Ｈである場合に、遊技が進行制御され、遊技機状態フラグが００Ｈ以外である場合には、遊技が停止される。
【０１３０】
遊技機状態フラグのフラグ値＝０１Ｈは設定変更状態を示しており、遊技機状態フラグが０１Ｈである場合には、登録設定値の変更操作が可能となる。遊技機状態フラグのフラグ値＝０２Ｈは設定確認状態を示しており、遊技機状態フラグが０２Ｈである場合には、登録設定値が性能表示モニタ１８４に表示される等して、登録設定値を確認することが可能となる。遊技機状態フラグのフラグ値＝０３Ｈは設定異常状態を示しており、遊技機状態フラグが０３Ｈである場合には、登録設定値が異常であるとして遊技が停止される。遊技機状態フラグのフラグ値＝０４ＨはＲＷＭ(read write memory)異常状態を示しており、遊技機状態フラグが０４Ｈである場合には、遊技が停止される。遊技機状態フラグのフラグ値＝０５Ｈはチェックサム異常状態を示しており、遊技機状態フラグが０５Ｈである場合には、遊技が停止される。電源が投入されると、遊技機状態フラグがいずれかのフラグ値にセットされ、遊技機状態フラグに応じた処理が行われる。
【０１３１】
（主制御基板３００のＣＰＵ初期化処理）
図１７は、主制御基板３００におけるＣＰＵ初期化処理を説明する第１のフローチャートであり、図１８は、主制御基板３００におけるＣＰＵ初期化処理を説明する第２のフローチャートである。
【０１３２】
電源基板より電源が供給されると、メインＣＰＵ３００ａにシステムリセットが発生し、メインＣＰＵ３００ａは、以下のＣＰＵ初期化処理（Ｓ１００）を行う。
【０１３３】
（ステップＳ１００−１）
メインＣＰＵ３００ａは、電源投入に応じて、初期設定処理として、メインＲＯＭ３００ｂから起動プログラムを読み込むとともに、各種処理を実行するために必要な設定処理を行う。
【０１３４】
（ステップＳ１００−３）
メインＣＰＵ３００ａは、タイマカウンタにウェイト処理時間を設定する。
【０１３５】
（ステップＳ１００−５）
メインＣＰＵ３００ａは、電源断予告信号を検出しているかを判定する。なお、主制御基板３００には、電源断検知回路が設けられており、電源電圧が所定値以下になると、電源断検知回路から電源断予告信号が出力される。電源断予告信号を検出している場合には、上記ステップＳ１００−３に処理を移し、電源断予告信号を検出していない場合には、ステップＳ１００−７に処理を移す。
【０１３６】
（ステップＳ１００−７）
メインＣＰＵ３００ａは、上記ステップＳ１００−３で設定したウェイト時間が経過したか否かを判定する。その結果、ウェイト時間が経過したと判定した場合にはステップＳ１００−９に処理を移し、ウェイト時間は経過していないと判定した場合には上記ステップＳ１００−５に処理を移す。
【０１３７】
（ステップＳ１００−９）
メインＣＰＵ３００ａは、メインＲＡＭ３００ｃへのアクセスを許可するために必要な処理を実行する。
【０１３８】
（ステップＳ１００−１１）
メインＣＰＵ３００ａは、Ｄレジスタに電源断前の遊技機状態フラグのフラグ値をロードする。
【０１３９】
（ステップＳ１００−１３）
メインＣＰＵ３００ａは、チェックサムを算出するとともに、算出したチェックサムが、電源断時に保存されたチェックサムと一致する（正常である）か、ならびに、バックアップフラグが正常であるかを判定する。その結果、バックアップフラグおよびチェックサムが正常であると判定した場合にはステップＳ１００−１５に処理を移し、いずれか一方または双方が正常ではないと判定した場合にはステップＳ１００−２５に処理を移す。
【０１４０】
（ステップＳ１００−１５）
メインＣＰＵ３００ａは、メインＲＡＭ３００ｃのクリア対象の先頭アドレスに、設定値および遊技機状態フラグを含まない番地をセットする。
【０１４１】
（ステップＳ１００−１７）
メインＣＰＵ３００ａは、ＲＡＭクリアスイッチ１８２ｓからＲＡＭクリア操作信号が入力されているか（ＲＡＭクリアボタンが押下操作されているか）を判定する。その結果、ＲＡＭクリア操作信号が入力されていると判定した場合にはステップＳ１００−３１に処理を移し、ＲＡＭクリア操作信号は入力されていないと判定した場合にはステップＳ１００−１９に処理を移す。
【０１４２】
（ステップＳ１００−１９）
メインＣＰＵ３００ａは、上記ステップＳ１００−１１でロードした遊技機状態フラグのフラグ値が００Ｈ（遊技可能状態）であり、設定変更スイッチ１８０ｓがオンしており、かつ、中枠１０４が開放しているかを判定する。その結果、３つの条件をすべて満たすと判定した場合にはステップＳ１００−２１に処理を移し、３つの条件の１つでも満たされないと判定した場合にはステップＳ１００−２３に処理を移す。
【０１４３】
（ステップＳ１００−２１）
メインＣＰＵ３００ａは、遊技機状態フラグに０２Ｈ（設定確認状態）をセットする。すなわち、中枠１０４が開放されており、設定変更スイッチ１８０ｓがオンしており、ＲＡＭクリアボタンが押下されていない状態で正常に電源投入がなされると、設定確認状態となる。
【０１４４】
（ステップＳ１００−２３）
メインＣＰＵ３００ａは、メインＲＡＭ３００ｃのうち、上記ステップＳ１００−１５でセットされた先頭アドレス以降の領域である電源復帰時のクリア対象をクリアする初期化処理を実行し、ステップＳ１００−４９に処理を移す。
【０１４５】
（ステップＳ１００−２５）
メインＣＰＵ３００ａは、Ｄレジスタに０５Ｈ（チェックサム異常状態）をセットする。
【０１４６】
（ステップＳ１００−２７）
メインＣＰＵ３００ａは、使用外領域のリードライトメモリのチェックおよびクリアを行う領域外リードライトチェック処理を行う。
【０１４７】
（ステップＳ１００−２９）
メインＣＰＵ３００ａは、メインＲＡＭ３００ｃのクリア対象の先頭アドレスに、設定値および遊技機状態フラグを含む番地をセットする。
【０１４８】
（ステップＳ１００−３１）
メインＣＰＵ３００ａは、使用領域のリードライトメモリのチェックおよびクリアを行う。
【０１４９】
（ステップＳ１００−３３）
メインＣＰＵ３００ａは、上記ステップＳ１００−３１におけるリードライトメモリのチェック結果が正常であるかを判定する。その結果、正常であると判定した場合にはステップＳ１００−３７に処理を移し、正常ではないと判定した場合にはステップＳ１００−３５に処理を移す。
【０１５０】
（ステップＳ１００−３５）
メインＣＰＵ３００ａは、Ｄレジスタに０４Ｈ（ＲＷＭ異常状態）をセットし、ステップＳ１００−４５に処理を移す。
【０１５１】
（ステップＳ１００−３７）
メインＣＰＵ３００ａは、Ｄレジスタに０２Ｈ（設定確認状態）がセットされているかを判定する。その結果、０２Ｈがセットされていると判定した場合にはステップＳ１００−３９に処理を移し、０２Ｈはセットされていないと判定した場合にはステップＳ１００−４１に処理を移す。
【０１５２】
（ステップＳ１００−３９）
メインＣＰＵ３００ａは、Ｄレジスタに００Ｈ（遊技可能状態）をセットする。
【０１５３】
（ステップＳ１００−４１）
メインＣＰＵ３００ａは、設定変更条件を満たしているかを判定する。その結果、設定変更条件を満たしていると判定した場合にはステップＳ１００−４３に処理を移し、設定変更条件は満たしていないと判定した場合にはステップＳ１００−４５に処理を移す。なお、ここでは、設定変更条件に、設定変更スイッチ１８０ｓがオンしていること、中枠１０４が開放していること、および、ＲＡＭクリアスイッチ１８２ｓからＲＡＭクリア操作信号が入力されていることが少なくとも含まれる。
【０１５４】
（ステップＳ１００−４３）
メインＣＰＵ３００ａは、Ｄレジスタに０１Ｈ（設定変更状態）をセットする。
【０１５５】
（ステップＳ１００−４５）
メインＣＰＵ３００ａは、Ｄレジスタにセットされている値を遊技機状態フラグにセーブする。
【０１５６】
（ステップＳ１００−４７）
メインＣＰＵ３００ａは、メインＲＡＭ３００ｃのうち、ＲＡＭクリア時のクリア対象をクリアする初期化処理を実行し、ステップＳ１００−４９に処理を移す。
【０１５７】
（ステップＳ１００−４９）
メインＣＰＵ３００ａは、メインＲＡＭ３００ｃがクリアされたことを払出制御基板３１０に伝達するための払出コマンド（ＲＡＭクリア指定コマンド）の送信処理（ＲＡＭクリア指定コマンドを送信バッファに格納）を行う。
【０１５８】
（ステップＳ１００−５１）
メインＣＰＵ３００ａは、遊技機状態フラグをロードする。
【０１５９】
（ステップＳ１００−５３）
メインＣＰＵ３００ａは、上記ステップＳ１００−５１でロードした遊技機状態フラグが００Ｈ（遊技可能状態）であるかを判定する。その結果、００Ｈであると判定した場合にはステップＳ１１０に処理を移し、００Ｈではないと判定した場合にはステップＳ１００−５５に処理を移す。
【０１６０】
（ステップＳ１１０）
メインＣＰＵ３００ａは、サブコマンド群セット処理を行う。なお、このサブコマンド群セット処理については後述する。
【０１６１】
（ステップＳ１００−５５）
メインＣＰＵ３００ａは、所定のコマンドを副制御基板３３０に送信するためのサブコマンドセット処理を行う。ここでは、遊技機状態フラグに対応するコマンドがセットされる。例えば、遊技機状態フラグが０１Ｈであれば、設定変更状態指定コマンドがセットされ、遊技機状態フラグが０２Ｈであれば、設定確認状態指定コマンドがセットされる。このように、遊技機状態フラグに対応するコマンドが副制御基板３３０に送信されることで、主制御基板３００の内部状態を副制御基板３３０において把握することができる。
【０１６２】
（ステップＳ１００−５７）
メインＣＰＵ３００ａは、タイマ割込みの周期を設定する。
【０１６３】
（ステップＳ１００−５９）
メインＣＰＵ３００ａは、割込みを禁止するための処理を行う。
【０１６４】
（ステップＳ１００−６１）
メインＣＰＵ３００ａは、当たり図柄乱数用初期値更新乱数を更新する。なお、当たり図柄乱数用初期値更新乱数は、当たり図柄乱数の初期値および終了値を決定するためのものである。つまり、後述する当たり図柄乱数の更新処理によって当たり図柄乱数が、当たり図柄乱数用初期値更新乱数から、当該当たり図柄乱数用初期値更新乱数−１まで１周すると、当たり図柄乱数は、そのときの当たり図柄乱数用初期値更新乱数に更新されることとなる。
【０１６５】
（ステップＳ１００−６３）
メインＣＰＵ３００ａは、払出制御基板３１０から受信した受信データ（主コマンド）を解析し、受信データに応じた種々の処理を実行する。
【０１６６】
（ステップＳ１００−６５）
メインＣＰＵ３００ａは、送信バッファに格納されているサブコマンドを副制御基板３３０に送信するための処理を行う。
【０１６７】
（ステップＳ１００−６７）
メインＣＰＵ３００ａは、割込みを許可するための処理を行う。
【０１６８】
（ステップＳ１００−６９）
メインＣＰＵ３００ａは、リーチグループ決定乱数、リーチモード決定乱数、変動パターン乱数を更新し、以後、上記ステップＳ１００−５９から処理を繰り返す。なお、以下では、変動演出パターンを決定するためのリーチグループ決定乱数、リーチモード決定乱数、変動パターン乱数を総称して変動演出用乱数と呼ぶ。
【０１６９】
図１９は、主制御基板３００におけるサブコマンド群セット処理（Ｓ１１０）を説明するフローチャートである。
【０１７０】
（ステップＳ１１０−１）
メインＣＰＵ３００ａは、遊技機状態フラグのフラグ値をロードする。
【０１７１】
（ステップＳ１１０−３）
メインＣＰＵ３００ａは、所定のコマンドを副制御基板３３０に送信するためのサブコマンドセット処理を行う。ここでは、例えば、上記ステップＳ１００−４７において初期化処理が実行された場合、ＲＡＭクリア指定コマンドがセットされる。
【０１７２】
（ステップＳ１１０−５）
メインＣＰＵ３００ａは、遊技機１００の機種情報を示す機種コマンドを送信バッファにセットする機種コマンド設定処理を行う。
【０１７３】
（ステップＳ１１０−７）
メインＣＰＵ３００ａは、登録設定値を示す設定値指定コマンドを送信バッファにセットする設定値指定コマンド設定処理を行う。
【０１７４】
（ステップＳ１１０−９）
メインＣＰＵ３００ａは、特１保留数を示す特図１保留指定コマンドを送信バッファにセットする特図１保留指定コマンド設定処理を行う。
【０１７５】
（ステップＳ１１０−１１）
メインＣＰＵ３００ａは、特２保留数を示す特図２保留指定コマンドを送信バッファにセットする特図２保留指定コマンド設定処理を行う。
【０１７６】
（ステップＳ１１０−１３）
メインＣＰＵ３００ａは、時短遊技状態の残り回数を示す回数コマンドを送信バッファにセットする回数コマンド設定処理を行う。
【０１７７】
（ステップＳ１１０−１５）
メインＣＰＵ３００ａは、変動パターン選択状態を示す変動パターン選択状態指定コマンドを送信バッファにセットする変動パターン選択状態指定コマンド設定処理を行う。
【０１７８】
（ステップＳ１１０−１７）
メインＣＰＵ３００ａは、特別遊技管理フェーズを示す特図フェーズ指定コマンドを送信バッファにセットする特図フェーズ指定コマンド設定処理を行う。なお、特別遊技管理フェーズについては後述する。
【０１７９】
（ステップＳ１１０−１９）
メインＣＰＵ３００ａは、特別遊技管理フェーズが特別図柄変動待ち状態であるかを判定する。その結果、特別図柄変動待ち状態であると判定した場合にはステップＳ１１０−２１に処理を移し、特別図柄変動待ち状態ではないと判定した場合には当該サブコマンド群セット処理を終了する。
【０１８０】
（ステップＳ１１０−２１）
メインＣＰＵ３００ａは、客待ち指定コマンドを送信バッファにセットし、当該サブコマンド群セット処理を終了する。
【０１８１】
次に、主制御基板３００における割込み処理について説明する。ここでは、電源断時退避処理（ＸＩＮＴ割込み処理）およびタイマ割込み処理について説明する。
【０１８２】
（主制御基板３００の電源断時退避処理（ＸＩＮＴ割込み処理））
図２０は、主制御基板３００における電源断時退避処理（ＸＩＮＴ割込み処理）を説明するフローチャートである。メインＣＰＵ３００ａは、電源断検知回路を監視しており、電源電圧が所定値以下になると、ＣＰＵ初期化処理に割り込んで電源断時退避処理を実行する。
【０１８３】
（ステップＳ３００−１）
電源断予告信号が入力されると、メインＣＰＵ３００ａは、レジスタを退避する。
【０１８４】
（ステップＳ３００−３）
メインＣＰＵ３００ａは、電源断予告信号をチェックする。
【０１８５】
（ステップＳ３００−５）
メインＣＰＵ３００ａは、電源断予告信号を検出しているかを判定する。その結果、電源断予告信号を検出していると判定した場合にはステップＳ３００−１１に処理を移し、電源断予告信号を検出していないと判定した場合にはステップＳ３００−７に処理を移す。
【０１８６】
（ステップＳ３００−７）
メインＣＰＵ３００ａは、レジスタを復帰させる。
【０１８７】
（ステップＳ３００−９）
メインＣＰＵ３００ａは、割込みを許可するための処理を行い、当該電源断時退避処理を終了する。
【０１８８】
（ステップＳ３００−１１）
メインＣＰＵ３００ａは、出力ポートの出力を停止する出力ポートクリア処理を実行する。
【０１８９】
（ステップＳ３００−１３）
メインＣＰＵ３００ａは、チェックサムを算出して保存するチェックサム設定処理を実行する。
【０１９０】
（ステップＳ３００−１５）
メインＣＰＵ３００ａは、メインＲＡＭ３００ｃへのアクセスを禁止するために必要なＲＡＭプロテクト設定処理を実行する。
【０１９１】
（ステップＳ３００−１７）
メインＣＰＵ３００ａは、電源断発生監視時間を設定すべく、ループカウンタのカウンタ値に所定の電源断検出信号検出回数をセットする。
【０１９２】
（ステップＳ３００−１９）
メインＣＰＵ３００ａは、電源断予告信号をチェックする。
【０１９３】
（ステップＳ３００−２１）
メインＣＰＵ３００ａは、電源断予告信号を検出しているかを判定する。その結果、電源断予告信号を検出していると判定した場合にはステップＳ３００−１７に処理を移し、電源断予告信号を検出していないと判定した場合にはステップＳ３００−２３に処理を移す。
【０１９４】
（ステップＳ３００−２３）
メインＣＰＵ３００ａは、上記ステップＳ３００−１７でセットしたループカウンタの値を１減算する。
【０１９５】
（ステップＳ３００−２５）
メインＣＰＵ３００ａは、ループカウンタのカウンタ値が０でないかを判定する。その結果、カウンタ値が０ではないと判定した場合にはステップＳ３００−１９に処理を移し、カウンタ値が０であると判定した場合には上記したＣＰＵ初期化処理（ステップＳ１００）に移行する。
【０１９６】
なお、実際に電源断が生じた場合には、ステップＳ３００−１７〜ステップＳ３００−２５をループしている間に遊技機１００の稼働が停止する。
【０１９７】
（主制御基板３００のタイマ割込み処理）
図２１は、主制御基板３００におけるタイマ割込み処理を説明するフローチャートである。主制御基板３００には、所定の周期（本実施形態では４ミリ秒、以下「４ｍｓ」という）毎にクロックパルスを発生させるリセット用クロックパルス発生回路が設けられている。そして、リセット用クロックパルス発生回路によって、クロックパルスが発生すると、ＣＰＵ初期化処理（ステップＳ１００）に割り込んで、以下のタイマ割込み処理が実行される。
【０１９８】
（ステップＳ４００−１）
メインＣＰＵ３００ａは、レジスタを退避する。
【０１９９】
（ステップＳ４００−３）
メインＣＰＵ３００ａは、割込みを許可するための処理を行う。
【０２００】
（ステップＳ４００−５）
メインＣＰＵ３００ａは、コモン出力バッファにセットされたコモンデータを出力ポートに出力し、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２、性能表示モニタ１８４を点灯制御するダイナミックポート出力処理を実行する。
【０２０１】
（ステップＳ４００−７）
メインＣＰＵ３００ａは、各種の入力ポート情報を読み込み、最新のスイッチ状態を正確に取得するためのポート入力処理を実行する。
【０２０２】
（ステップＳ４００−９）
メインＣＰＵ３００ａは、遊技機状態フラグのフラグ値をロードする。
【０２０３】
（ステップＳ４００−１１）
メインＣＰＵ３００ａは、上記ステップＳ４００−９でロードしたフラグ値が００Ｈ（遊技可能状態）であるかを判定する。その結果、００Ｈであると判定した場合にはステップＳ４００−１５に処理を移し、００Ｈではないと判定した場合にはステップＳ４００−１３に処理を移す。
【０２０４】
（ステップＳ４００−１３）
メインＣＰＵ３００ａは、上記ステップＳ４００−９でロードしたフラグ値が０３Ｈ（設定異常状態）以上であるかを判定する。その結果、０３Ｈ以上であると判定した場合にはステップＳ４００−２７に処理を移し、０３Ｈ以上ではないと判定した場合にはステップＳ４５０に処理を移す。
【０２０５】
（ステップＳ４５０）
メインＣＰＵ３００ａは、設定関連処理を実行し、ステップＳ４００−２７に処理を移す。なお、設定関連処理については後述する。
【０２０６】
（ステップＳ４００−１５）
メインＣＰＵ３００ａは、各種タイマカウンタを更新するタイマ更新処理を行う。ここで、各種タイマカウンタは、特に断る場合を除き、当該主制御基板３００のタイマ割込み処理の度に減算され、０になると減算を停止する。
【０２０７】
（ステップＳ４００−１７）
メインＣＰＵ３００ａは、上記ステップＳ１００−６１と同様、当たり図柄乱数用初期値更新乱数の更新処理を実行する。
【０２０８】
（ステップＳ４００−１９）
メインＣＰＵ３００ａは、当たり図柄乱数を更新する処理を行う。具体的には、乱数カウンタを１加算して更新し、加算した結果が乱数範囲の最大値を超えた場合には、乱数カウンタを０に戻し、乱数カウンタが１周した場合には、その時の当たり図柄乱数用初期値更新乱数の値から乱数を更新する。
【０２０９】
なお、詳しい説明は省略するが、本実施形態では、大当たり決定乱数および当たり決定乱数は、主制御基板３００に内蔵されたハードウェア乱数生成部によって更新されるハードウェア乱数を用いている。ハードウェア乱数生成部は、大当たり決定乱数および当たり決定乱数を、いずれも一定の規則にしたがって更新し、乱数列が一巡するごとに自動的に乱数列を変更するとともに、システムリセット毎にスタート値を変更している。
【０２１０】
（ステップＳ５００）
メインＣＰＵ３００ａは、第１始動口検出スイッチ１２０ｓ、第２始動口検出スイッチ１２２ｓ、ゲート検出スイッチ１２４ｓ、第１大入賞口検出スイッチ１２６ｓ、第２大入賞口検出スイッチ１２８ｓから信号の入力があったか否か判定するスイッチ管理処理を実行する。なお、このスイッチ管理処理の詳細については後述する。
【０２１１】
（ステップＳ６００）
メインＣＰＵ３００ａは、上記の特別遊技を進行制御するための特別遊技管理処理を実行する。なお、この特別遊技管理処理の詳細については後述する。
【０２１２】
（ステップＳ７００）
メインＣＰＵ３００ａは、上記の普通遊技を進行制御するための普通遊技管理処理を実行する。なお、この普通遊技管理処理の詳細については後述する。
【０２１３】
（ステップＳ４００−２１）
メインＣＰＵ３００ａは、各種エラーの判定およびエラー判定結果に応じた設定を行うためのエラー管理処理を実行する。エラーが発生したと判定した場合、メインＣＰＵ３００ａは、エラーの種別に対応するエラー指定コマンドをセットする。
【０２１４】
（ステップＳ４００−２３）
メインＣＰＵ３００ａは、一般入賞口検出スイッチ１１８ｓ、第１始動口検出スイッチ１２０ｓ、第２始動口検出スイッチ１２２ｓ、第１大入賞口検出スイッチ１２６ｓ、第２大入賞口検出スイッチ１２８ｓのチェックを行い、該当する賞球制御用のカウンタ等を加算するための入賞口スイッチ処理を実行する。
【０２１５】
（ステップＳ４００−２５）
メインＣＰＵ３００ａは、上記ステップＳ４００−２３でセットされた賞球制御用のカウンタのカウンタ値等に基づく払出コマンドの作成および送信を行うための払出制御管理処理を実行する。
【０２１６】
（ステップＳ４００−２７）
メインＣＰＵ３００ａは、遊技情報出力端子板３１２から外部へ出力する外部情報用の出力データをセットするための外部情報管理処理を実行する。
【０２１７】
（ステップＳ４００−２９）
メインＣＰＵ３００ａは、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２等の各種表示器（ＬＥＤ）を点灯制御するためのコモンデータをコモン出力バッファにセットするＬＥＤ表示設定処理を実行する。
【０２１８】
（ステップＳ４００−３１）
メインＣＰＵ３００ａは、普通電動役物ソレノイド１２２ｃ、第１大入賞口ソレノイド１２６ｃ、第２大入賞口ソレノイド１２８ｃおよび可動部材駆動ソレノイド１４２ｃのソレノイド出力イメージを合成し、出力ポートバッファに格納するためのソレノイド出力イメージ合成処理を実行する。
【０２１９】
（ステップＳ４００−３３）
メインＣＰＵ３００ａは、各出力ポートバッファに格納されたコモン出力バッファの値を出力ポートに出力するためのポート出力処理を実行する。
【０２２０】
（ステップＳ４００−３５）
メインＣＰＵ３００ａは、割込みを禁止するための処理を行う。
【０２２１】
（ステップＳ４００−３７）
メインＣＰＵ３００ａは、メインＲＡＭ３００ｃの使用外領域を用いて、性能表示モニタ１８４に表示するベース比率を算出するための処理を行い、算出したベース比率を性能表示モニタ１８４に表示するためのコモンデータをコモン出力バッファにセットする性能表示モニタ制御処理を実行する。なお、性能表示モニタ制御処理においては、所定期間ごとにベース比率が算出される。ここで、性能表示モニタ１８４には、現在の期間のベース比率と、それ以前の期間のベース比率とが所定時間ごとに切り替え表示されてもよい。また、所定の操作に応じて、性能表示モニタ１８４に表示されるベース比率が切り替わってもよい。さらに、ここでは、メインＣＰＵ３００ａは、遊技機状態フラグが０１Ｈまたは０２Ｈである場合に、設定値バッファにセットされている登録設定値を性能表示モニタ１８４に表示する。
【０２２２】
（ステップＳ４００−３９）
メインＣＰＵ３００ａは、レジスタを復帰してタイマ割込み処理を終了する。
【０２２３】
図２２は、上記の設定関連処理（Ｓ４５０）を説明するフローチャートである。
【０２２４】
（ステップＳ４５０−１）
メインＣＰＵ３００ａは、遊技機状態フラグのフラグ値が０１Ｈ（設定変更状態）であるかを判定する。その結果、０１Ｈであると判定した場合にはステップＳ４５０−３に処理を移し、０１Ｈではないと判定した場合にはステップＳ４５０−１５に処理を移す。
【０２２５】
（ステップＳ４５０−３）
メインＣＰＵ３００ａは、設定値バッファに記憶されている登録設定値を所定の処理領域にロードする。
【０２２６】
（ステップＳ４５０−５）
メインＣＰＵ３００ａは、ＲＡＭクリアスイッチ１８２ｓがオン（ＲＡＭクリア操作信号が入力されているか）であるかを判定する。その結果、ＲＡＭクリアスイッチ１８２ｓがオンしていると判定した場合にはステップＳ４５０−７に処理を移し、ＲＡＭクリアスイッチ１８２ｓがオンしていないと判定した場合にはステップＳ４５０−９に処理を移す。
【０２２７】
（ステップＳ４５０−７）
メインＣＰＵ３００ａは、処理領域の設定値に１を加算する。
【０２２８】
（ステップＳ４５０−９）
メインＣＰＵ３００ａは、処理領域の設定値が１〜６の範囲であるかを判定する。その結果、設定値が１〜６の範囲であると判定した場合にはステップＳ４５０−１３に処理を移し、設定値が１〜６の範囲ではないと判定した場合にはステップＳ４５０−１１に処理を移す。
【０２２９】
（ステップＳ４５０−１１）
メインＣＰＵ３００ａは、処理領域の設定値を１にセットする。
【０２３０】
（ステップＳ４５０−１３）
メインＣＰＵ３００ａは、処理領域の設定値を設定値バッファにセットする。
【０２３１】
（ステップＳ４５０−１５）
メインＣＰＵ３００ａは、設定変更スイッチ１８０ｓがオンしているかを判定する。その結果、設定変更スイッチ１８０ｓがオンしていると判定した場合には当該設定関連処理を終了し、設定変更スイッチ１８０ｓはオンしていないと判定した場合にはステップＳ４５０−１７に処理を移す。
【０２３２】
（ステップＳ４５０−１７）
メインＣＰＵ３００ａは、設定関連処理の終了を示す設定関連終了指定コマンドを送信バッファにセットする。
【０２３３】
（ステップＳ１１０）
メインＣＰＵ３００ａは、図１９のサブコマンド群セット処理を実行する。すなわち、設定関連処理が実行された場合、その終了時に、機種コマンド、設定値指定コマンド、特図１保留指定コマンド、特図２保留指定コマンド、回数コマンド、変動パターン選択状態指定コマンド、特図フェーズ指定コマンド、客待ち指定コマンドが副制御基板３３０に送信されることとなる。
【０２３４】
（ステップＳ４５０−１９）
メインＣＰＵ３００ａは、遊技機状態フラグに００Ｈ（遊技可能状態）をセットし、当該設定関連処理を終了する。
【０２３５】
以上のように、本実施形態によれば、中枠１０４が開放され、設定変更スイッチ１８０ｓがオンされ、ＲＡＭクリアボタンが押下操作された状態で、正常に電源投入がなされると、ＣＰＵ初期化処理（図１７）において、遊技機状態フラグに０１Ｈ（設定変更状態）がセットされる。その後、タイマ割込み処理が実行されるが、遊技機状態フラグに０１Ｈ（設定変更状態）がセットされているため、遊技の進行に係る全ての処理（図２１のステップＳ４００−１５〜ステップＳ４００−２５）が停止され、設定関連処理が実行される。
【０２３６】
設定関連処理は、設定変更スイッチ１８０ｓがオンしている間、繰り返し実行され、この設定関連処理中は、ＲＡＭクリアボタンの押下操作が、登録設定値の設定変更操作として受け付けられる。すなわち、設定変更操作を受け付ける設定変更処理（Ｓ４５０−１〜Ｓ４５０−１３）中は、設定変更操作に応じて、設定値バッファに記憶する登録設定値が、複数段階設けられた設定値のいずれかに切り替えられる。
【０２３７】
そして、遊技機状態フラグに０１Ｈ（設定変更状態）がセットされている状態で、設定変更スイッチ１８０ｓがオフに切り替わると、設定変更処理が終了となり、遊技機状態フラグに００Ｈ（遊技可能状態）がセットされる。これにより、次のタイマ割込み処理から、遊技の進行に係る処理が実行可能となる。
【０２３８】
ここで、本実施形態の設定関連処理では、ＲＡＭクリアボタンの押下操作、すなわち、登録設定値の設定変更操作の受け付け終了後に、サブコマンド群セット処理において、登録設定値に対応する設定値指定コマンドが副制御基板３３０に送信される。一方で、設定変更操作の受け付け中は、設定値指定コマンドが副制御基板３３０に送信されることはない。このように、設定変更操作の受け付け中は、設定値指定コマンドを送信せずに、設定変更操作の受け付けが終了し、遊技の進行が可能な状態に移行する場合に、設定値指定コマンドを送信することで、登録設定値が不正に取得されるリスクを低減することができる。
【０２３９】
また、本実施形態では、０１Ｈ（設定変更状態）を少なくとも含む複数のフラグ値が切り替えられる。そして、遊技機状態フラグに０１Ｈ（設定変更状態）がセットされている場合に設定関連処理が実行可能となり、かつ、遊技の進行が停止される。このように、遊技の進行中に設定関連処理が実行されることがないため、遊技の進行中に設定値指定コマンドが送信されることもなく、登録設定値が不正に取得されるリスクが低減される。
【０２４０】
次に、上記したタイマ割込み処理のうち、ステップＳ５００のスイッチ管理処理、ステップＳ６００の特別遊技管理処理、ステップＳ７００の普通遊技管理処理について、詳細に説明する。
【０２４１】
図２３は、主制御基板３００におけるスイッチ管理処理（ステップＳ５００）を説明するフローチャートである。
【０２４２】
（ステップＳ５００−１）
メインＣＰＵ３００ａは、ゲート検出スイッチオン検出時であるか、すなわち、ゲート１２４を遊技球が通過してゲート検出スイッチ１２４ｓからの検出信号がオンされたかを判定する。その結果、ゲート検出スイッチオン検出時であると判定した場合にはステップＳ５１０に処理を移し、ゲート検出スイッチオン検出時ではないと判定した場合にはステップＳ５００−３に処理を移す。
【０２４３】
（ステップＳ５１０）
メインＣＰＵ３００ａは、ゲート１２４への遊技球の通過に基づいてゲート通過処理を実行する。なお、このゲート通過処理の詳細については後述する。
【０２４４】
（ステップＳ５００−３）
メインＣＰＵ３００ａは、第１始動口検出スイッチオン検出時であるか、すなわち、第１始動口１２０に遊技球が入球して第１始動口検出スイッチ１２０ｓから検出信号が入力されたかを判定する。その結果、第１始動口検出スイッチオン検出時であると判定した場合にはステップＳ５２０に処理を移し、第１始動口検出スイッチオン検出時ではないと判定した場合にはステップＳ５００−５に処理を移す。
【０２４５】
（ステップＳ５２０）
メインＣＰＵ３００ａは、第１始動口１２０への遊技球の入球に基づいて第１始動口通過処理を実行する。なお、この第１始動口通過処理の詳細については後述する。
【０２４６】
（ステップＳ５００−５）
メインＣＰＵ３００ａは、第２始動口検出スイッチオン検出時であるか、すなわち、第２始動口１２２に遊技球が入球して第２始動口検出スイッチ１２２ｓから検出信号が入力されたかを判定する。その結果、第２始動口検出スイッチオン検出時であると判定した場合にはステップＳ５３０に処理を移し、第２始動口検出スイッチオン検出時ではないと判定した場合にはステップＳ５００−７に処理を移す。
【０２４７】
（ステップＳ５３０）
メインＣＰＵ３００ａは、第２始動口１２２への遊技球の入球に基づいて第２始動口通過処理を実行する。なお、この第２始動口通過処理の詳細については後述する。
【０２４８】
（ステップＳ５００−７）
メインＣＰＵ３００ａは、大入賞口検出スイッチオン検出時であるか、すなわち、第１大入賞口１２６および第２大入賞口１２８に遊技球が入球して第１大入賞口検出スイッチ１２６ｓおよび第２大入賞口検出スイッチ１２８ｓから検出信号が入力されたかを判定する。その結果、大入賞口検出スイッチオン検出時であると判定した場合にはステップＳ５００−９に処理を移し、大入賞口検出スイッチオン検出時ではないと判定した場合には、ステップＳ５００−１１に処理を移す。
【０２４９】
（ステップＳ５００−９）
メインＣＰＵ３００ａは、現在、大役遊技中または小当たり遊技中であるか否かを判定し、第１大入賞口１２６および第２大入賞口１２８への遊技球の入球が適正になされたものであるかを判定する。ここでは、大役遊技中または小当たり遊技中ではないと判定した場合には、所定の不正検出処理を実行し、大役遊技中または小当たり遊技中であり、第１大入賞口１２６および第２大入賞口１２８への遊技球の入球が適正になされたと判定した場合には、大入賞口入賞球数カウンタを１加算するとともに、大入賞口入賞指定コマンドを送信バッファにセットする。
【０２５０】
（ステップＳ５００−１１）
メインＣＰＵ３００ａは、一般入賞口検出スイッチオン検出時であるか、すなわち、一般入賞口１１８に遊技球が入球して一般入賞口検出スイッチ１１８ｓから検出信号が入力されたかを判定する。その結果、一般入賞口検出スイッチオン検出時であると判定した場合にはステップＳ５００−１３に処理を移し、一般入賞口検出スイッチオン検出時ではないと判定した場合にはステップＳ５００−１５に処理を移す。
【０２５１】
（ステップＳ５００−１３）
メインＣＰＵ３００ａは、一般入賞口入賞指定コマンドを送信バッファにセットする。
【０２５２】
（ステップＳ５００−１５）
メインＣＰＵ３００ａは、アウト球検出スイッチオン検出時であるか、すなわち、アウト球検出スイッチ１３０ｓから検出信号が入力されたかを判定する。その結果、アウト球検出スイッチオン検出時であると判定した場合にはステップＳ５００−１７に処理を移し、アウト球検出スイッチオン検出時ではないと判定した場合には、当該スイッチ管理処理を終了する。
【０２５３】
（ステップＳ５００−１７）
メインＣＰＵ３００ａは、アウト球検出指定コマンドを送信バッファにセットし、当該スイッチ管理処理を終了する。
【０２５４】
図２４は、主制御基板３００におけるゲート通過処理（ステップＳ５１０）を説明するフローチャートである。
【０２５５】
（ステップＳ５１０−１）
メインＣＰＵ３００ａは、ハードウェア乱数生成部によって更新された当たり決定乱数をロードする。
【０２５６】
（ステップＳ５１０−３）
メインＣＰＵ３００ａは、普通図柄保留球数カウンタのカウンタ値が最大値以上であるか、つまり、普通図柄保留球数カウンタのカウンタ値が４以上であるかを判定する。その結果、普通図柄保留球数カウンタのカウンタ値が最大値以上であると判定した場合には当該ゲート通過処理を終了し、普通図柄保留球数カウンタは最大値以上ではないと判定した場合にはステップＳ５１０−５に処理を移す。
【０２５７】
（ステップＳ５１０−５）
メインＣＰＵ３００ａは、普通図柄保留球数カウンタのカウンタ値を、現在のカウンタ値に「１」加算した値に更新する。
【０２５８】
（ステップＳ５１０−７）
メインＣＰＵ３００ａは、普図保留記憶領域の４つの記憶部のうち、取得した当たり決定乱数をセーブする対象となる対象記憶部を算定する。
【０２５９】
（ステップＳ５１０−９）
メインＣＰＵ３００ａは、上記ステップＳ５１０−１で取得した当たり決定乱数を、上記ステップＳ５１０−７で算定した対象記憶部にセーブする。
【０２６０】
（ステップＳ５１０−１１）
メインＣＰＵ３００ａは、普図保留記憶領域に記憶されている普図保留数を示す普図保留指定コマンドを送信バッファにセットし、当該ゲート通過処理を終了する。
【０２６１】
図２５は、主制御基板３００における第１始動口通過処理（ステップＳ５２０）を説明するフローチャートである。
【０２６２】
（ステップＳ５２０−１）
メインＣＰＵ３００ａは、特別図柄識別値として「００Ｈ」をセットする。なお、特別図柄識別値は、保留種別として特１保留および特２保留のいずれであるかを識別するためのもので、特別図柄識別値（００Ｈ）は特１保留を示し、特別図柄識別値（０１Ｈ）は特２保留を示す。
【０２６３】
（ステップＳ５２０−３）
メインＣＰＵ３００ａは、特別図柄１保留球数カウンタのアドレスをセットする。
【０２６４】
（ステップＳ５３５）
メインＣＰＵ３００ａは、特別図柄乱数取得処理を実行して、当該第１始動口通過処理を終了する。なお、この特別図柄乱数取得処理は、第２始動口通過処理（ステップＳ５３０）と共通のモジュールを利用して実行される。したがって、特別図柄乱数取得処理の詳細は、第２始動口通過処理の説明後に説明する。
【０２６５】
図２６は、主制御基板３００における第２始動口通過処理（ステップＳ５３０）を説明するフローチャートである。
【０２６６】
（ステップＳ５３０−１）
メインＣＰＵ３００ａは、特別図柄識別値として「０１Ｈ」をセットする。
【０２６７】
（ステップＳ５３０−３）
メインＣＰＵ３００ａは、特別図柄２保留球数カウンタのアドレスをセットする。
【０２６８】
（ステップＳ５３５）
メインＣＰＵ３００ａは、後述する特別図柄乱数取得処理を実行する。
【０２６９】
（ステップＳ５３０−５）
メインＣＰＵ３００ａは、普通遊技管理フェーズをロードする。なお、詳しくは後述するが、普通遊技管理フェーズは、普通遊技の実行処理の段階、すなわち、普通遊技の進行状況を示すものであり、普通遊技の実行処理の段階に応じて更新される。
【０２７０】
（ステップＳ５３０−７）
メインＣＰＵ３００ａは、上記ステップＳ５３０−５でロードした普通遊技管理フェーズが「０４Ｈ」ではないかを判定する。なお、普通遊技管理フェーズの「０４Ｈ」は、普通電動役物入賞口開放制御処理中であることを示すものである。この普通電動役物入賞口開放制御処理においては、普通電動役物ソレノイド１２２ｃが通電されて可動片１２２ｂが開状態に制御されることから、ここでは、第２始動口１２２が適正に開放され得る状態にあるかを判定することとなる。その結果、普通遊技管理フェーズが「０４Ｈ」ではないと判定した場合には当該第２始動口通過処理を終了し、普通遊技管理フェーズが「０４Ｈ」であると判定した場合にはステップＳ５３０−９に処理を移す。
【０２７１】
（ステップＳ５３０−９）
メインＣＰＵ３００ａは、普通電動役物入賞球数カウンタのカウンタ値を、現在のカウンタ値に「１」加算した値に更新し、当該第２始動口通過処理を終了する。
【０２７２】
図２７は、主制御基板３００における特別図柄乱数取得処理（ステップＳ５３５）を説明するフローチャートである。この特別図柄乱数取得処理は、上記した第１始動口通過処理（ステップＳ５２０）および第２始動口通過処理（ステップＳ５３０）において、共通のモジュールを用いて実行される。
【０２７３】
（ステップＳ５３５−１）
メインＣＰＵ３００ａは、上記ステップＳ５２０−１またはステップＳ５３０−１でセットした特別図柄識別値をロードする。
【０２７４】
（ステップＳ５３５−３）
メインＣＰＵ３００ａは、対象特別図柄保留球数をロードする。ここでは、上記ステップＳ５３５−１でロードした特別図柄識別値が「００Ｈ」であれば、特別図柄１保留球数カウンタのカウンタ値、すなわち、特１保留数をロードする。また、上記ステップＳ５３５−１でロードした特別図柄識別値が「０１Ｈ」であれば、特別図柄２保留球数カウンタのカウンタ値、すなわち、特２保留数をロードする。
【０２７５】
（ステップＳ５３５−５）
メインＣＰＵ３００ａは、ハードウェア乱数生成部によって更新された大当たり決定乱数をロードする。
【０２７６】
（ステップＳ５３５−７）
メインＣＰＵ３００ａは、上記ステップＳ５３５−３でロードした対象特別図柄保留球数が上限値以上であるかを判定する。その結果、上限値以上であると判定した場合には、ステップＳ５３５−２３に処理を移し、上限値以上ではないと判定した場合には、ステップＳ５３５−９に処理を移す。
【０２７７】
（ステップＳ５３５−９）
メインＣＰＵ３００ａは、対象特別図柄保留球数カウンタのカウンタ値を、現在のカウンタ値に「１」加算した値に更新する。
【０２７８】
（ステップＳ５３５−１１）
メインＣＰＵ３００ａは、特図保留記憶領域の８つの記憶部のうち、取得した大当たり決定乱数をセーブする対象となる対象記憶部を算定する。
【０２７９】
（ステップＳ５３５−１３）
メインＣＰＵ３００ａは、上記ステップＳ５３５−５でロードした大当たり決定乱数、上記ステップＳ４００−１９で更新された当たり図柄乱数、上記ステップＳ１００−６９で更新されたリーチグループ決定乱数、リーチモード決定乱数、変動パターン乱数を取得し、上記ステップＳ５３５−１１で算定した対象記憶部に格納する。
【０２８０】
（ステップＳ５３５−１５）
メインＣＰＵ３００ａは、特図保留記憶領域に記憶されている特１保留および特２保留の入賞順序を更新して記憶する特別図柄保留球入賞順序設定処理を行う。
【０２８１】
（ステップＳ５３５−１７）
メインＣＰＵ３００ａは、上記ステップＳ５３５−１３で対象記憶部に格納した各種の乱数に基づいて、大役仮抽選、当たり図柄仮決定、変動情報仮決定をする取得時演出判定処理を実行する。この取得時演出判定処理では、新たに記憶された保留が読み出された際に決定される変動情報を示す先読み指定コマンドを副制御基板３３０に送信する。
【０２８２】
（ステップＳ５３５−１９）
メインＣＰＵ３００ａは、特別図柄１保留球数カウンタおよび特別図柄２保留球数カウンタのカウンタ値をロードする。
【０２８３】
（ステップＳ５３５−２１）
メインＣＰＵ３００ａは、上記ステップＳ５３５−１７でロードしたカウンタ値に基づいて、特図保留指定コマンドを送信バッファにセットする。ここでは、特別図柄１保留球数カウンタのカウンタ値（特１保留数）に基づいて特図１保留指定コマンドをセットし、特別図柄２保留球数カウンタのカウンタ値（特２保留数）に基づいて特図２保留指定コマンドをセットする。これにより、特１保留または特２保留が記憶されるたびに、特１保留数および特２保留数が副制御基板３３０に伝達されることとなる。
【０２８４】
（ステップＳ５３５−２３）
メインＣＰＵ３００ａは、普通遊技管理フェーズをロードする。
【０２８５】
（ステップＳ５３５−２５）
メインＣＰＵ３００ａは、上記ステップＳ５３５−２３でロードした普通遊技管理フェーズを確認し、後述する普通電動役物入賞口開放制御状態未満であるかを判定する。その結果、普通電動役物入賞口開放制御状態未満であると判定した場合にはステップＳ５３５−２７に処理を移し、普通電動役物入賞口開放制御状態未満ではないと判定した場合には当該特別図柄乱数取得処理を終了する。
【０２８６】
（ステップＳ５３５−２７）
メインＣＰＵ３００ａは、異常入賞があったか否かを判定するとともに、異常入賞があったと判定した場合には、所定の処理を行う始動口異常入賞エラー処理を実行し、当該特別図柄乱数取得処理（ステップＳ５３５）を終了する。
【０２８７】
図２８は、特別遊技管理フェーズを説明する図である。既に説明したとおり、本実施形態では、第１始動口１２０または第２始動口１２２への遊技球の入球を契機とする特別遊技と、ゲート１２４への遊技球の通過を契機とする普通遊技とが、同時並行して進行する。特別遊技に係る処理は、段階的に、かつ、繰り返し実行されるが、主制御基板３００では、こうした特別遊技に係る各処理を特別遊技管理フェーズによって管理している。
【０２８８】
図２８に示すように、メインＲＯＭ３００ｂには、特別遊技を実行制御するための複数の特別遊技制御モジュールが格納されており、これら特別遊技制御モジュールごとに、特別遊技管理フェーズが対応付けられている。具体的には、特別遊技管理フェーズが「００Ｈ」である場合には、「特別図柄変動待ち処理」を実行するためのモジュールがコールされ、特別遊技管理フェーズが「０１Ｈ」である場合には、「特別図柄変動中処理」を実行するためのモジュールがコールされ、特別遊技管理フェーズが「０２Ｈ」である場合には、「特別図柄停止図柄表示処理」を実行するためのモジュールがコールされ、特別遊技管理フェーズが「０３Ｈ」、「０７Ｈ」である場合には、「大入賞口開放前処理」を実行するためのモジュールがコールされ、特別遊技管理フェーズが「０４Ｈ」、「０８Ｈ」である場合には、「大入賞口開放制御処理」を実行するためのモジュールがコールされ、特別遊技管理フェーズが「０５Ｈ」、「０９Ｈ」である場合には、「大入賞口閉鎖有効処理」を実行するためのモジュールがコールされ、特別遊技管理フェーズが「０６Ｈ」、「０ＡＨ」である場合には、「大入賞口終了ウェイト処理」を実行するためのモジュールがコールされる。
【０２８９】
図２９は、主制御基板３００における特別遊技管理処理（ステップＳ６００）を説明するフローチャートである。
【０２９０】
（ステップＳ６００−１）
メインＣＰＵ３００ａは、特別遊技管理フェーズをロードする。
【０２９１】
（ステップＳ６００−３）
メインＣＰＵ３００ａは、上記ステップＳ６００−１でロードした特別遊技管理フェーズに対応する特別遊技制御モジュールを選択する。
【０２９２】
（ステップＳ６００−５）
メインＣＰＵ３００ａは、上記ステップＳ６００−３で選択した特別遊技制御モジュールをコールして処理を開始する。
【０２９３】
（ステップＳ６００−７）
メインＣＰＵ３００ａは、特別遊技の制御時間を管理する特別遊技タイマをロードし、当該特別遊技管理処理を終了する。
【０２９４】
図３０は、主制御基板３００における特別図柄変動待ち処理を説明するフローチャートである。この特別図柄変動待ち処理は、特別遊技管理フェーズが「００Ｈ」であった場合に実行される。
【０２９５】
（ステップＳ６１０−１）
メインＣＰＵ３００ａは、特別図柄２保留球数カウンタのカウンタ値、すなわち、特２保留数（Ｘ２）が「１」以上であるかを判定する。その結果、特２保留数（Ｘ２）が「１」以上であると判定した場合にはステップＳ６１０−７に処理を移し、特２保留数（Ｘ２）は「１」以上ではないと判定した場合にはステップＳ６１０−３に処理を移す。
【０２９６】
（ステップＳ６１０−３）
メインＣＰＵ３００ａは、特別図柄１保留球数カウンタのカウンタ値、すなわち、特１保留数（Ｘ１）が「１」以上であるかを判定する。その結果、特１保留数（Ｘ１）が「１」以上であると判定した場合にはステップＳ６１０−７に処理を移し、特１保留数（Ｘ１）は「１」以上ではないと判定した場合にはステップＳ６１０−５に処理を移す。
【０２９７】
（ステップＳ６１０−５）
メインＣＰＵ３００ａは、客待ちコマンドを送信バッファにセットするとともに、客待ち状態に設定するための客待ち設定処理を実行し、当該特別図柄変動待ち処理を終了する。
【０２９８】
（ステップＳ６１０−７）
メインＣＰＵ３００ａは、第２特図保留記憶領域の第１記憶部〜第４記憶部に記憶されている特２保留、または、第１特図保留記憶領域の第１記憶部〜第４記憶部に記憶されている特１保留を、１つ序数の小さい記憶部にブロック転送する。具体的には、上記ステップＳ６１０−１において、特別図柄２保留球数が「１」以上であると判定した場合には、第２特図保留記憶領域の第２記憶部〜第４記憶部に記憶されている特２保留を、第１記憶部〜第３記憶部に転送する。また、メインＲＡＭ３００ｃには、処理対象となる第０記憶部が設けられており、第１記憶部に記憶されている特２保留を、第０記憶部にブロック転送する。また、上記ステップＳ６１０−３において、特別図柄１保留球数が「１」以上であると判定した場合には、第１特図保留記憶領域の第２記憶部〜第４記憶部に記憶されている特１保留を、第１記憶部〜第３記憶部に転送するとともに、第１記憶部に記憶されている特１保留を、第０記憶部にブロック転送する。なお、この特別図柄記憶エリアシフト処理においては、第０記憶部に転送された保留種別に対応する対象特別図柄保留球数カウンタのカウンタ値を「１」減算するとともに、特１保留または特２保留が「１」減算したことを示す、保留減指定コマンドを送信バッファにセットする。
【０２９９】
（ステップＳ６１１）
メインＣＰＵ３００ａは、大役抽選を行う特別図柄当たり判定処理を実行する。この特別図柄当たり判定処理については後述する。
【０３００】
（ステップＳ６１０−１１）
メインＣＰＵ３００ａは、特別図柄を決定するための特別図柄図柄判定処理を実行する。ここでは、上記ステップＳ６１１で記憶された判定情報（大役抽選の抽選結果）が大当たりもしくは小当たりである場合、当選種別（大当たりであるか小当たりであるか）および保留種別をロードし、対応する当たり図柄乱数判定テーブルをセットする。そして、セットした当たり図柄乱数判定テーブルを参照し、第０記憶部に転送された当たり図柄乱数を用いて特別図柄判定データを抽出し、抽出した特別図柄判定データ（大当たり図柄または小当たり図柄の種別）をセーブする。一方、上記ステップＳ６１１で記憶された大役抽選の抽選結果がハズレである場合、保留種別が特１保留であれば、ハズレ図柄として特別図柄Ｘをセーブし、保留種別が特２保留であれば、ハズレ図柄として特別図柄Ｙをセーブする。なお、ここでは、セーブした特別図柄判定データに対応する図柄種別指定コマンドが送信バッファにセットされる。
【０３０１】
（ステップＳ６１０−１３）
メインＣＰＵ３００ａは、上記ステップＳ６１０−１１で抽出した特別図柄判定データに対応する特別図柄停止図柄番号をセーブする。なお、第１特別図柄表示器１６０および第２特別図柄表示器１６２は、それぞれ７セグで構成されており、７セグを構成する各セグメントには番号（カウンタ値）が対応付けられている。ここで決定する特別図柄停止図柄番号は、最終的に点灯するセグメントの番号（カウンタ値）を示すものである。
【０３０２】
（ステップＳ６１２）
メインＣＰＵ３００ａは、変動モード番号および変動パターン番号を決定する特別図柄変動番号決定処理を実行する。この特別図柄変動番号決定処理の詳細は後述する。
【０３０３】
（ステップＳ６１０−１５）
メインＣＰＵ３００ａは、上記ステップＳ６１２で決定された変動モード番号および変動パターン番号をロードするとともに、変動時間決定テーブルを参照して、変動時間１および変動時間２を決定する。そして、決定した変動時間１、２の合計時間を、特別図柄変動タイマにセットする。
【０３０４】
（ステップＳ６１０−１７）
メインＣＰＵ３００ａは、大役抽選が実行されたときの遊技状態を遊技状態バッファに記憶する等の処理を行う予備領域設定処理を行う。また、この予備領域設定処理では、大役抽選の結果が大当たりである場合に、メインＲＡＭ３００ｃの予備領域に、大役遊技後に設定する遊技状態情報や大当たり図柄の種別（特別図柄判定データ）等を記憶する。
【０３０５】
（ステップＳ６１０−１９）
メインＣＰＵ３００ａは、第１特別図柄表示器１６０または第２特別図柄表示器１６２において、特別図柄の変動表示を開始するために、特別図柄表示図柄カウンタを設定する処理を実行する。第１特別図柄表示器１６０および第２特別図柄表示器１６２を構成する７セグの各セグメントにはカウンタ値が対応付けられており、特別図柄表示図柄カウンタに設定されたカウンタ値に対応するセグメントが点灯制御される。ここでは、特別図柄の変動表示の開始時に点灯させるセグメントに対応するカウンタ値が特別図柄表示図柄カウンタに設定されることとなる。なお、特別図柄表示図柄カウンタは、第１特別図柄表示器１６０に対応する特別図柄１表示図柄カウンタと、第２特別図柄表示器１６２に対応する特別図柄２表示図柄カウンタとが別個に設けられており、ここでは、保留種別に対応するカウンタにカウンタ値が設定される。
【０３０６】
（ステップＳ６１０−２１）
メインＣＰＵ３００ａは、特別図柄１保留球数カウンタおよび特別図柄２保留球数カウンタのカウンタ値をロードし、特図保留指定コマンドを送信バッファにセットする。ここでは、特別図柄１保留球数カウンタのカウンタ値（特１保留数）に基づいて特図１保留指定コマンドをセットし、特別図柄２保留球数カウンタのカウンタ値（特２保留数）に基づいて特図２保留指定コマンドをセットする。また、ここでは、上記ステップＳ６１０−７で記憶した特１保留および特２保留の入賞順序に対応する特別図柄入賞順序コマンドを送信バッファにセットする。これにより、特１保留または特２保留が消化されるたびに、特１保留数および特２保留数、ならびに、これら各保留の入賞順序が副制御基板３３０に伝達されることとなる。
【０３０７】
（ステップＳ６１０−２３）
メインＣＰＵ３００ａは、特別遊技管理フェーズを「０１Ｈ」に更新し、当該特別図柄変動待ち処理を終了する。
【０３０８】
図３１は、上記の特別図柄当たり判定処理（Ｓ６１１）を説明するフローチャートである。
【０３０９】
（ステップＳ６１１−１）
メインＣＰＵ３００ａは、特別図柄確率状態フラグをロードする。
【０３１０】
（ステップＳ６１１−３）
メインＣＰＵ３００ａは、設定値バッファの登録設定値をロードする。
【０３１１】
（ステップＳ６１１−５）
メインＣＰＵ３００ａは、上記ステップＳ６１１−３でロードした登録設定値が正常範囲内の値であるかを判定する。その結果、正常範囲内の値であると判定した場合にはステップＳ６１１−１１に処理を移し、正常範囲内の値ではないと判定した場合にはステップＳ６１１−７に処理を移す。
【０３１２】
（ステップＳ６１１−７）
メインＣＰＵ３００ａは、遊技機状態フラグに０３Ｈ（設定異常状態）をセットする。
【０３１３】
（ステップＳ６１１−９）
メインＣＰＵ３００ａは、設定異常状態コマンド（サブコマンド）を送信バッファにセットし、当該特別図柄当たり判定処理を終了する。この設定異常状態コマンドが副制御基板３３０に送信されると、設定異常である旨の報知がなされる。
【０３１４】
（ステップＳ６１１−１１）
メインＣＰＵ３００ａは、上記ステップＳ６１１−１およびステップＳ６１１−３でロードした情報に対応する大当たり決定乱数判定テーブルを参照し、大当たりまたは小当たりと判定する際の下限値および上限値をそれぞれセットする。
【０３１５】
（ステップＳ６１１−１３）
メインＣＰＵ３００ａは、第０記憶部に転送された大当たり決定乱数と、上記の下限値および上限値とを比較し、大当たりまたは小当たりの当選有無を判定する判定処理（大役抽選）を行う。
【０３１６】
（ステップＳ６１１−１５）
メインＣＰＵ３００ａは、上記ステップＳ６１１−１３の判定処理の結果を判定情報としてセットし、当該特別図柄当たり判定処理を終了する。
【０３１７】
図３２は、主制御基板３００における特別図柄変動番号決定処理を説明するフローチャートである。
【０３１８】
（ステップＳ６１２−１）
メインＣＰＵ３００ａは、変動パターン選択状態フラグが０１Ｈ以上であるかを判定する。その結果、変動パターン選択状態フラグが０１Ｈ以上であると判定した場合にはステップＳ６１２−３に処理を移し、変動パターン選択状態フラグは０１Ｈ以上ではないと判定した場合にはステップＳ６１２−５に処理を移す。
【０３１９】
ここで、変動パターン選択状態フラグは、００Ｈ、０１Ｈ、０２Ｈ、０３Ｈ、０４Ｈの５種類が設けられている。各変動パターン選択状態フラグは、変動状態を示すものであり、００Ｈは通常変動状態、０１Ｈは第１変動状態、０２Ｈは第２変動状態、０３Ｈは第３変動状態、０４Ｈは第４変動状態に対応している。変動状態は、いずれのテーブル（リーチグループ決定乱数判定テーブル、リーチモード決定乱数判定テーブル、変動パターン乱数判定テーブル）を選択するかを規定するものである。
【０３２０】
詳しくは後述するが、第１変動状態〜第４変動状態では、それぞれ、各変動状態における図柄の変動表示の回数（変動回数）ごとに、いずれのテーブルを選択するかが規定されている。したがって、メインＣＰＵ３００ａは、変動パターン選択状態フラグが０１Ｈ以上である場合、変動パターン選択状態フラグと変動回数との双方に基づいて、予め設定されたテーブルを選択するとともに、選択したテーブルを参照して変動情報を決定する。一方、通常変動状態では、変動回数とは無関係に、設定中の遊技状態等に対応するテーブルを参照して変動情報を決定する。
【０３２１】
（ステップＳ６１２−３）
メインＣＰＵ３００ａは、変動回数カウンタをインクリメントする。なお、変動回数カウンタは、現在の変動状態における変動回数を計数するカウンタである。
【０３２２】
（ステップＳ６１２−５）
メインＣＰＵ３００ａは、上記ステップＳ６１１における大役抽選の結果が大当たりまたは小当たりであるかを判定する。その結果、大当たりまたは小当たりであると判定した場合にはステップＳ６１２−７に処理を移し、大当たりおよび小当たりのいずれでもない（ハズレである）と判定した場合にはステップＳ６１２−１１に処理を移す。
【０３２３】
（ステップＳ６１２−７）
メインＣＰＵ３００ａは、変動パターン選択状態フラグをロードする。
【０３２４】
（ステップＳ６１２−９）
メインＣＰＵ３００ａは、上記ステップＳ６１２−７でロードした変動パターン選択状態フラグが０１Ｈ以上である場合、変動パターン選択状態フラグと変動回数カウンタのカウンタ値とに基づいて、リーチモード決定乱数判定テーブルをセットする。また、上記ステップＳ６１２−７でロードした変動パターン選択状態フラグが００Ｈである場合、メインＣＰＵ３００ａは、現在の遊技状態および保留種別に対応するリーチモード決定乱数判定テーブルをセットする。
【０３２５】
（ステップＳ６１２−１１）
メインＣＰＵ３００ａは、読み出した保留の保留種別が特２保留である場合には、特別図柄２保留球数カウンタのカウンタ値を確認し、読み出した保留の保留種別が特１保留である場合には、特別図柄１保留球数カウンタのカウンタ値を確認する。
【０３２６】
（ステップＳ６１２−１３）
メインＣＰＵ３００ａは、変動パターン選択状態フラグをロードする。
【０３２７】
（ステップＳ６１２−１５）
メインＣＰＵ３００ａは、上記ステップＳ６１２−１３でロードした変動パターン選択状態フラグが０１Ｈ以上である場合、変動パターン選択状態フラグ、変動回数カウンタのカウンタ値、保留種別、上記ステップＳ６１２−１１で確認した保留数に基づいて、リーチグループ決定乱数判定テーブルをセットする。一方、上記ステップＳ６１２−１３でロードした変動パターン選択状態フラグが００Ｈである場合、現在の遊技状態、上記ステップＳ６１２−１１で確認した保留数、保留種別に基づいて、対応するリーチグループ決定乱数判定テーブルをセットする。そして、セットしたリーチグループ決定乱数判定テーブルと、上記ステップＳ６１０−７で第０記憶部に転送したリーチグループ決定乱数とに基づいて、リーチグループ（グループ種別）を決定する。
【０３２８】
（ステップＳ６１２−１７）
メインＣＰＵ３００ａは、上記ステップＳ６１２−１５で決定されたグループ種別に対応するハズレ時リーチモード決定乱数判定テーブルをセットする。
【０３２９】
（ステップＳ６１２−１９）
メインＣＰＵ３００ａは、上記ステップＳ６１２−９または上記ステップＳ６１２−１７でセットしたリーチモード決定乱数判定テーブルと、上記ステップＳ６１０−７で第０記憶部に転送したリーチモード決定乱数とに基づいて、変動モード番号を決定する。また、ここでは、変動モード番号とともに、変動パターン乱数判定テーブルが決定される。
【０３３０】
（ステップＳ６１２−２１）
メインＣＰＵ３００ａは、上記ステップＳ６１２−１９で決定した変動モード番号に対応する変動モードコマンドを送信バッファにセットする。
【０３３１】
（ステップＳ６１２−２３）
メインＣＰＵ３００ａは、上記ステップＳ６１２−１９で決定した変動パターン乱数判定テーブルと、上記ステップＳ６１０−７で第０記憶部に転送した変動パターン乱数とに基づいて、変動パターン番号を決定する。
【０３３２】
（ステップＳ６１２−２５）
メインＣＰＵ３００ａは、上記ステップＳ６１２−２３で決定した変動パターン番号に対応する変動パターンコマンドを送信バッファにセットして、当該特別図柄変動番号決定処理を終了する。
【０３３３】
図３３は、主制御基板３００における特別図柄変動中処理を説明するフローチャートである。この特別図柄変動中処理は、特別遊技管理フェーズが「０１Ｈ」であった場合に実行される。
【０３３４】
（ステップＳ６２０−１）
メインＣＰＵ３００ａは、特別図柄変動ベースカウンタを更新する処理を実行する。なお、特別図柄変動ベースカウンタは、所定周期（例えば１００ｍｓ）で１周するようにカウンタ値が設定される。具体的には、特別図柄変動ベースカウンタのカウンタ値が「０」であった場合には、所定のカウンタ値（例えば２５）がセットされ、カウンタ値が「１」以上であった場合には、現在のカウンタ値から「１」減算した値にカウンタ値を更新する。
【０３３５】
（ステップＳ６２０−３）
メインＣＰＵ３００ａは、上記ステップＳ６２０−１で更新した特別図柄変動ベースカウンタのカウンタ値が「０」であるかを判定する。その結果、カウンタ値が「０」であった場合にはステップＳ６２０−５に処理を移し、カウンタ値が「０」ではなかった場合にはステップＳ６２０−９に処理を移す。
【０３３６】
（ステップＳ６２０−５）
メインＣＰＵ３００ａは、上記ステップＳ６１０−１５で設定された特別図柄変動タイマのタイマ値を所定値減算する特別図柄変動タイマ更新処理を行う。
【０３３７】
（ステップＳ６２０−７）
メインＣＰＵ３００ａは、上記ステップＳ６２０−５で更新した特別図柄変動タイマのタイマ値が「０」であるかを判定する。その結果、タイマ値が「０」であった場合にはステップＳ６２０−１５に処理を移し、タイマ値が「０」ではなかった場合にはステップＳ６２０−９に処理を移す。
【０３３８】
（ステップＳ６２０−９）
メインＣＰＵ３００ａは、第１特別図柄表示器１６０および第２特別図柄表示器１６２を構成する７セグの各セグメントの点灯時間を計時する特別図柄表示タイマを更新する。具体的には、特別図柄表示タイマのタイマ値が「０」であった場合には、所定のタイマ値がセットされ、タイマ値が「１」以上であった場合には、現在のタイマ値から「１」減算した値にタイマ値を更新する。
【０３３９】
（ステップＳ６２０−１１）
メインＣＰＵ３００ａは、特別図柄表示タイマのタイマ値が「０」であるかを判定する。その結果、特別図柄表示タイマのタイマ値が「０」であると判定した場合にはステップＳ６２０−１３に処理を移し、特別図柄表示タイマのタイマ値が「０」でないと判定した場合には当該特別図柄変動中処理を終了する。
【０３４０】
（ステップＳ６２０−１３）
メインＣＰＵ３００ａは、更新対象の特別図柄表示図柄カウンタのカウンタ値を更新し、当該特別図柄変動中処理を終了する。これにより、７セグを構成する各セグメントが、所定時間おきに順次点灯することとなる。
【０３４１】
（ステップＳ６２０−１５）
メインＣＰＵ３００ａは、特別遊技管理フェーズを「０２Ｈ」に更新する。
【０３４２】
（ステップＳ６２０−１７）
メインＣＰＵ３００ａは、対象の特別図柄表示図柄カウンタに、上記ステップＳ６１０−１３で決定した特別図柄停止図柄番号（カウンタ値）をセーブする。これにより、第１特別図柄表示器１６０または第２特別図柄表示器１６２に、決定された特別図柄が停止表示されることとなる。
【０３４３】
（ステップＳ６２０−１９）
メインＣＰＵ３００ａは、第１特別図柄表示器１６０または第２特別図柄表示器１６２に特別図柄が停止表示されたことを示す特図停止指定コマンドを送信バッファにセットする。
【０３４４】
（ステップＳ６２０−２１）
メインＣＰＵ３００ａは、特別図柄を停止表示する時間である特別図柄変動停止時間を特別遊技タイマにセットし、当該特別図柄変動中処理を終了する。
【０３４５】
図３４は、主制御基板３００における特別図柄停止図柄表示処理を説明するフローチャートである。この特別図柄停止図柄表示処理は、特別遊技管理フェーズが「０２Ｈ」であった場合に実行される。
【０３４６】
（ステップＳ６３０−１）
メインＣＰＵ３００ａは、上記ステップＳ６２０−２１でセットした特別遊技タイマのタイマ値が「０」でないかを判定する。その結果、特別遊技タイマのタイマ値が「０」ではないと判定した場合には当該特別図柄停止図柄表示処理を終了し、特別遊技タイマのタイマ値が「０」であると判定した場合にはステップＳ６３０−３に処理を移す。
【０３４７】
（ステップＳ６３０−３）
メインＣＰＵ３００ａは、大役抽選の結果を確認する。
【０３４８】
（ステップＳ６３０−５）
メインＣＰＵ３００ａは、大役抽選の結果が大当たりであるかを判定する。その結果、大当たりであると判定した場合にはステップＳ６３０−１９に処理を移し、大当たりではないと判定した場合にはステップＳ６３０−７に処理を移す。
【０３４９】
（ステップＳ６３０−７）
メインＣＰＵ３００ａは、回数切り管理処理を実行する。ここでは、特別図柄確率状態フラグをロードして、現在の遊技状態が低確率遊技状態であるか高確率遊技状態であるかを確認する。そして、遊技状態が高確率遊技状態であった場合には、高確回数切りカウンタのカウンタ値を、現在のカウンタ値から「１」減算した値に更新する。なお、高確回数切りカウンタを更新した結果、カウンタ値が「０」になった場合には、低確率遊技状態に対応する特別図柄確率状態フラグをセットする。これにより、高確率遊技状態において、大当たりに当選することなく、特別図柄が所定回数確定したところで、遊技状態が低確率遊技状態に移行することとなる。
【０３５０】
また、ここでは、遊技状態が非時短遊技状態であるか時短遊技状態であるかを識別するための時短状態フラグをロードして、現在の遊技状態が非時短遊技状態であるか時短遊技状態であるかを確認する。そして、遊技状態が時短遊技状態であった場合には、時短回数切りカウンタのカウンタ値を、現在のカウンタ値から「１」減算した値に更新する。なお、時短回数切りカウンタを更新した結果、カウンタ値が「０」になった場合には、非時短遊技状態に対応する時短状態フラグをセットする。これにより、時短遊技状態において、大当たりに当選することなく、特別図柄が所定回数確定したところで、遊技状態が非時短遊技状態に移行することとなる。
【０３５１】
（ステップＳ６３１）
メインＣＰＵ３００ａは、変動状態を更新する変動状態更新処理を行う。この変動状態更新処理については図３５を用いて後述する。
【０３５２】
（ステップＳ６３０−１１）
メインＣＰＵ３００ａは、特別図柄が確定したときの遊技状態を示す特図確定時遊技状態確認指定コマンドを送信バッファにセットする。
【０３５３】
（ステップＳ６３０−１３）
メインＣＰＵ３００ａは、上記ステップＳ６３０−７で更新した高確回数および時短回数を副制御基板３３０に伝達するための回数コマンドを送信バッファにセットする。
【０３５４】
（ステップＳ６３０−１５）
メインＣＰＵ３００ａは、大役抽選の結果が小当たりであるかを判定する。その結果、小当たりであると判定した場合にはステップＳ６３０−２１に処理を移し、小当たりではないと判定した場合にはステップＳ６３０−１７に処理を移す。
【０３５５】
（ステップＳ６３０−１７）
メインＣＰＵ３００ａは、特別遊技管理フェーズを「００Ｈ」に更新し、当該特別図柄停止図柄表示処理を終了する。これにより、１の保留に基づく特別遊技管理処理が終了し、特１保留または特２保留が記憶されている場合には、次の保留に基づく特別図柄の変動表示を開始するための処理が行われることとなる。
【０３５６】
（ステップＳ６３０−１９）
メインＣＰＵ３００ａは、遊技状態を初期状態である低確率遊技状態および非時短遊技状態にリセット（設定）する。
【０３５７】
（ステップＳ６３０−２１）
メインＣＰＵ３００ａは、確定した特別図柄の種別に応じて、特別電動役物作動ラムセットテーブルのデータをセットする。
【０３５８】
（ステップＳ６３０−２３）
メインＣＰＵ３００ａは、特別電動役物最大作動回数設定処理を行う。具体的には、上記ステップＳ６３０−２１でセットしたデータを参照し、特別電動役物最大作動回数カウンタに、カウンタ値として所定数（特別図柄の種別に対応するカウンタ値＝ラウンド数）をセットする。なお、この特別電動役物最大作動回数カウンタは、これから開始する大役遊技において実行可能なラウンド数を示すものである。一方、メインＲＡＭ３００ｃには、特別電動役物連続作動回数カウンタが設けられており、各ラウンド遊技の開始時に、特別電動役物連続作動回数カウンタのカウンタ値を「１」加算することで、現在のラウンド遊技数が管理される。ここでは、大役遊技の開始に伴って、この特別電動役物連続作動回数カウンタのカウンタ値をリセット（「０」に更新）する処理が併せて実行される。
【０３５９】
（ステップＳ６３０−２５）
メインＣＰＵ３００ａは、上記ステップＳ６３０−２１でセットしたデータを参照し、特別遊技タイマに、タイマ値として所定のオープニング時間をセーブする。
【０３６０】
（ステップＳ６３０−２７）
メインＣＰＵ３００ａは、大役遊技または小当たり遊技の開始を副制御基板３３０に伝達するためのオープニング指定コマンドを送信バッファにセットする。なお、このオープニング指定コマンドは、オープニング時間ごとに設けられており、ここでは、上記ステップＳ６３０−２５でセーブされたオープニング時間に対応するオープニング指定コマンドが送信バッファにセットされる。
【０３６１】
（ステップＳ６３０−２９）
メインＣＰＵ３００ａは、上記ステップＳ６３０−３で確認した大役抽選の結果が大当たりである場合には、特別遊技管理フェーズを「０３Ｈ」に更新し、小当たりである場合には、特別遊技管理フェーズを「０７Ｈ」に更新して、当該特別図柄停止図柄表示処理を終了する。これにより、大役遊技または小当たり遊技が開始されることとなる。
【０３６２】
図３５は、主制御基板３００における変動状態更新処理を説明するフローチャートである。
【０３６３】
（ステップＳ６３１−１）
メインＣＰＵ３００ａは、変動パターン選択状態フラグが０１Ｈ以上であるかを判定する。その結果、変動パターン選択状態フラグが０１Ｈ以上であると判定した場合にはステップＳ６３１−３に処理を移し、変動パターン選択状態フラグは０１Ｈ以上ではないと判定した場合には当該変動状態更新処理を終了する。
【０３６４】
（ステップＳ６３１−３）
メインＣＰＵ３００ａは、変動回数が規定回数に到達したかを判定する。その結果、変動回数が規定回数に到達したと判定した場合にはステップＳ６３１−５に処理を移し、変動回数は規定回数に到達していないと判定した場合には当該変動状態更新処理を終了する。なお、規定回数は、変動状態（変動パターン選択状態フラグ）ごとに予め設定されている。ここでは、第１変動状態の規定回数が１０回、第２変動状態から第４変動状態の規定回数が１００回に設定されている。
【０３６５】
（ステップＳ６３１−５）
メインＣＰＵ３００ａは、変動回数カウンタのカウンタ値（変動回数）をリセット（０に）する。
【０３６６】
（ステップＳ６３１−７）
メインＣＰＵ３００ａは、変動パターン選択状態フラグが０２Ｈであるかを判定する。その結果、変動パターン選択状態フラグが０２Ｈであると判定した場合にはステップＳ６３１−９に処理を移し、変動パターン選択状態フラグは０２Ｈではないと判定した場合にはステップＳ６３１−１１に処理を移す。
【０３６７】
（ステップＳ６３１−９）
メインＣＰＵ３００ａは、変動パターン選択状態フラグを００Ｈに更新する。
【０３６８】
（ステップＳ６３１−１１）
メインＣＰＵ３００ａは、変動パターン選択状態フラグをロードし、ロードした変動パターン選択状態フラグに対応する変動状態指定コマンドをセットし、当該変動状態更新処理を終了する。これにより、変動状態がループする場合、および、変動状態が変更される場合の双方で、変動状態指定コマンドが副制御基板３３０に送信されることとなる。
【０３６９】
上記の変動状態更新処理によれば、第２変動状態において図柄の変動表示が１００回行われると、通常変動状態に移行する。一方、第１変動状態、第３変動状態、第４変動状態において図柄の変動表示が１００回行われると、第１変動状態、第３変動状態、第４変動状態が１回目から繰り返される、すなわち、同一の変動状態がループすることとなる。
【０３７０】
図３６は、主制御基板３００における大入賞口開放前処理を説明するフローチャートである。この大入賞口開放前処理は、特別遊技管理フェーズが「０３Ｈ」、「０７Ｈ」であった場合に実行される。
【０３７１】
（ステップＳ６４０−１）
メインＣＰＵ３００ａは、特別遊技タイマのタイマ値が「０」でないかを判定する。その結果、特別遊技タイマのタイマ値が「０」ではないと判定した場合には当該大入賞口開放前処理を終了し、特別遊技タイマのタイマ値が「０」であると判定した場合にはステップＳ６４０−３に処理を移す。
【０３７２】
（ステップＳ６４０−３）
メインＣＰＵ３００ａは、特別電動役物連続作動回数カウンタのカウンタ値を、現在のカウンタ値に「１」加算した値に更新する。
【０３７３】
（ステップＳ６４０−５）
メインＣＰＵ３００ａは、第１大入賞口１２６および第２大入賞口１２８の開放開始（ラウンド遊技の開始）を副制御基板３３０に伝達するための大入賞口開放指定コマンドを送信バッファにセットする。
【０３７４】
（ステップＳ６４１）
メインＣＰＵ３００ａは、大入賞口開閉切替処理を実行する。この大入賞口開閉切替処理については後述する。
【０３７５】
（ステップＳ６４０−７）
メインＣＰＵ３００ａは、特別遊技管理フェーズを、現在の値に０１Ｈを加算した値（「０４Ｈ」または「０８Ｈ」）に更新し、当該大入賞口開放前処理を終了する。
【０３７６】
図３７は、主制御基板３００における大入賞口開閉切替処理を説明するフローチャートである。
【０３７７】
（ステップＳ６４１−１）
メインＣＰＵ３００ａは、特別電動役物開閉切替回数カウンタのカウンタ値が、特別電動役物開閉切替回数（１回のラウンド遊技中における第１大入賞口１２６および第２大入賞口１２８の開閉回数）の上限値であるかを判定する。その結果、カウンタ値が上限値であると判定した場合には当該大入賞口開閉切替処理を終了し、カウンタ値は上限値ではないと判定した場合にはステップＳ６４１−３に処理を移す。
【０３７８】
（ステップＳ６４１−３）
メインＣＰＵ３００ａは、特別電動役物作動ラムセットテーブルのデータを参照し、特別電動役物開閉切替回数カウンタのカウンタ値に基づいて、第１大入賞口ソレノイド１２６ｃまたは第２大入賞口ソレノイド１２８ｃを通電制御するためのソレノイド制御データ、ならびに、第１大入賞口ソレノイド１２６ｃまたは第２大入賞口ソレノイド１２８ｃの通電時間もしくは通電停止時間であるタイマデータを抽出する。
【０３７９】
（ステップＳ６４１−５）
メインＣＰＵ３００ａは、上記ステップＳ６４１−３で抽出したソレノイド制御データに基づいて、第１大入賞口ソレノイド１２６ｃまたは第２大入賞口ソレノイド１２８ｃの通電を開始するか、もしくは、第１大入賞口ソレノイド１２６ｃまたは第２大入賞口ソレノイド１２８ｃの通電を停止するための大入賞口ソレノイド通電制御処理を実行する。この大入賞口ソレノイド通電制御処理の実行により、上記ステップＳ４００−３１およびステップＳ４００−３３において、第１大入賞口ソレノイド１２６ｃまたは第２大入賞口ソレノイド１２８ｃの通電開始もしくは通電停止の制御がなされることとなる。
【０３８０】
（ステップＳ６４１−７）
メインＣＰＵ３００ａは、上記ステップＳ６４１−３で抽出したタイマデータに基づくタイマ値を、特別遊技タイマにセーブする。なお、ここで特別遊技タイマにセーブされるタイマ値は、第１大入賞口１２６および第２大入賞口１２８の１回の最大開放時間となる。
【０３８１】
（ステップＳ６４１−９）
メインＣＰＵ３００ａは、第１大入賞口ソレノイド１２６ｃまたは第２大入賞口ソレノイド１２８ｃの通電開始状態か、すなわち、上記ステップＳ６４１−５において、第１大入賞口ソレノイド１２６ｃまたは第２大入賞口ソレノイド１２８ｃの通電を開始する制御処理がなされたかを判定する。その結果、通電開始状態であると判定した場合にはステップＳ６４１−１１に処理を移し、通電開始状態ではないと判定した場合には当該大入賞口開閉切替処理を終了する。
【０３８２】
（ステップＳ６４１−１１）
メインＣＰＵ３００ａは、特別電動役物開閉切替回数カウンタのカウンタ値を、現在のカウンタ値に「１」加算した値に更新し、当該大入賞口開閉切替処理を終了する。
【０３８３】
図３８は、主制御基板３００における大入賞口開放制御処理を説明するフローチャートである。この大入賞口開放制御処理は、特別遊技管理フェーズが「０４Ｈ」、「０８Ｈ」であった場合に実行される。
【０３８４】
（ステップＳ６５０−１）
メインＣＰＵ３００ａは、上記ステップＳ６４１−７でセーブした特別遊技タイマのタイマ値が「０」でないかを判定する。その結果、特別遊技タイマのタイマ値が「０」ではないと判定した場合にはステップＳ６５０−５に処理を移し、特別遊技タイマのタイマ値が「０」であると判定した場合にはステップＳ６５０−３に処理を移す。
【０３８５】
（ステップＳ６５０−３）
メインＣＰＵ３００ａは、特別電動役物開閉切替回数カウンタのカウンタ値が、特別電動役物開閉切替回数の上限値であるかを判定する。その結果、カウンタ値が上限値であると判定した場合にはステップＳ６５０−７に処理を移し、カウンタ値は上限値ではないと判定した場合にはステップＳ６４１に処理を移す。
【０３８６】
（ステップＳ６４１）
上記ステップＳ６５０−３において、特別電動役物開閉切替回数カウンタのカウンタ値が、特別電動役物開閉切替回数の上限値ではないと判定した場合には、メインＣＰＵ３００ａは、上記ステップＳ６４１の処理を実行する。
【０３８７】
（ステップＳ６５０−５）
メインＣＰＵ３００ａは、上記ステップＳ５００−９で更新された大入賞口入賞球数カウンタのカウンタ値が規定数に到達していないか、すなわち、第１大入賞口１２６または第２大入賞口１２８に、１ラウンド中の最大入賞可能数と同数の遊技球が入球していないかを判定する。その結果、規定数に到達していないと判定した場合には当該大入賞口開放制御処理を終了し、規定数に到達したと判定した場合にはステップＳ６５０−７に処理を移す。
【０３８８】
（ステップＳ６５０−７）
メインＣＰＵ３００ａは、第１大入賞口ソレノイド１２６ｃおよび第２大入賞口ソレノイド１２８ｃの通電を停止して第１大入賞口１２６および第２大入賞口１２８を閉鎖するために必要な大入賞口閉鎖処理を実行する。これにより、第１大入賞口１２６および第２大入賞口１２８が閉鎖状態となる。
【０３８９】
（ステップＳ６５０−９）
メインＣＰＵ３００ａは、大入賞口閉鎖有効時間（インターバル時間）を特別遊技タイマにセーブする。
【０３９０】
（ステップＳ６５０−１１）
メインＣＰＵ３００ａは、特別遊技管理フェーズを、現在の値に０１Ｈを加算した値（「０５Ｈ」または「０９Ｈ」）に更新する。
【０３９１】
（ステップＳ６５０−１３）
メインＣＰＵ３００ａは、第１大入賞口１２６および第２大入賞口１２８が閉鎖されたことを示す大入賞口閉鎖指定コマンドを送信バッファにセットし、当該大入賞口開放制御処理を終了する。
【０３９２】
図３９は、主制御基板３００における大入賞口閉鎖有効処理を説明するフローチャートである。この大入賞口閉鎖有効処理は、特別遊技管理フェーズが「０５Ｈ」、「０９Ｈ」であった場合に実行される。
【０３９３】
（ステップＳ６６０−１）
メインＣＰＵ３００ａは、上記ステップＳ６５０−９でセーブした特別遊技タイマのタイマ値が「０」でないかを判定する。その結果、特別遊技タイマのタイマ値が「０」ではないと判定した場合には当該大入賞口閉鎖有効処理を終了し、特別遊技タイマのタイマ値が「０」であると判定した場合にはステップＳ６６０−３に処理を移す。
【０３９４】
（ステップＳ６６０−３）
メインＣＰＵ３００ａは、特別電動役物連続作動回数カウンタのカウンタ値が、特別電動役物最大作動回数カウンタのカウンタ値と一致するか、すなわち、予め設定された回数のラウンド遊技が終了したかを判定する。その結果、特別電動役物連続作動回数カウンタのカウンタ値が、特別電動役物最大作動回数カウンタのカウンタ値と一致すると判定した場合にはステップＳ６６０−９に処理を移し、一致しないと判定した場合にはステップＳ６６０−５に処理を移す。
【０３９５】
（ステップＳ６６０−５）
メインＣＰＵ３００ａは、特別遊技管理フェーズを「０３Ｈ」に更新する。なお、特別遊技管理フェーズが「０９Ｈ」である場合、すなわち、小当たり遊技の制御中は、小当たり遊技のラウンド遊技回数が「１」であることから、上記ステップＳ６６０−３で必ずＹＥＳと判定され、当該ステップに処理が移行することはない。
【０３９６】
（ステップＳ６６０−７）
メインＣＰＵ３００ａは、所定の大入賞口閉鎖時間を特別遊技タイマにセーブし、当該大入賞口閉鎖有効処理を終了する。これにより、次のラウンド遊技が開始されることとなる。
【０３９７】
（ステップＳ６６０−９）
メインＣＰＵ３００ａは、エンディング時間を特別遊技タイマにセーブするエンディング時間設定処理を実行する。
【０３９８】
（ステップＳ６６０−１１）
メインＣＰＵ３００ａは、特別遊技管理フェーズを、現在の値に０１Ｈを加算した値（「０６Ｈ」または「０ＡＨ」）に更新する。
【０３９９】
（ステップＳ６６０−１３）
メインＣＰＵ３００ａは、エンディングの開始を示すエンディング指定コマンドを送信バッファにセットし、当該大入賞口閉鎖有効処理を終了する。
【０４００】
図４０は、主制御基板３００における大入賞口終了ウェイト処理を説明するフローチャートである。この大入賞口終了ウェイト処理は、特別遊技管理フェーズが「０６Ｈ」、「０ＡＨ」であった場合に実行される。
【０４０１】
（ステップＳ６７０−１）
メインＣＰＵ３００ａは、上記ステップＳ６６０−９でセーブした特別遊技タイマのタイマ値が「０」でないかを判定する。その結果、特別遊技タイマのタイマ値が「０」でないと判定した場合には当該大入賞口終了ウェイト処理を終了し、特別遊技タイマのタイマ値が「０」であると判定した場合にはステップＳ６７０−３に処理を移す。
【０４０２】
（ステップＳ６７０−３）
メインＣＰＵ３００ａは、大役遊技終了後の遊技状態を設定するための状態設定処理を実行する。ここでは、大役遊技の実行契機となった大当たり図柄に基づいて、大役遊技終了後の遊技状態が設定される。具体的には、大役遊技の実行契機となった大当たり図柄が特別図柄Ｂ、Ｃである場合には、高確率遊技状態および時短遊技状態に設定するとともに高確回数および時短回数を１００００回に設定する。また、大役遊技の実行契機となった大当たり図柄が特別図柄Ａである場合には、低確率遊技状態および時短遊技状態に設定するとともに時短回数を１００回に設定する。
【０４０３】
また、ここでは、大役遊技の実行契機となった大当たり図柄または小当たり遊技の実行契機となった小当たり図柄に基づいて、大役遊技または小当たり遊技の終了後の変動状態を設定すべく、変動パターン選択状態フラグや変動回数をセットする処理も行われる。具体的には、停止表示された特別図柄が特別図柄Ａであった場合、変動パターン選択状態フラグを０２Ｈにセットし、変動状態を第２変動状態に設定する。同様に、停止表示された特別図柄が特別図柄Ｂ、Ｃであった場合には、変動パターン選択状態フラグを、それぞれ０３Ｈ、０４Ｈにセットし、変動状態を第３変動状態、第４変動状態に設定する。
【０４０４】
なお、停止表示された特別図柄が特別図柄ａであった場合、遊技状態が非時短遊技状態であれば、変動パターン選択状態フラグを０１Ｈにセットする。一方、停止表示された特別図柄が特別図柄ａであった場合、遊技状態が時短遊技状態であれば、変動パターン選択状態フラグを更新することなく、次の処理に移行する。つまり、非時短遊技状態においては、小当たりの当選を契機として、変動状態が第１変動状態に切り替わる。一方で、時短遊技状態においては、小当たりに当選しても、変動状態が変更されることはなく、小当たり遊技の実行前後で、同一の変動状態が維持されることとなる。
【０４０５】
（ステップＳ６７０−５）
メインＣＰＵ３００ａは、大役遊技の終了後に設定される遊技状態を伝達するための遊技状態変化指定コマンドを送信バッファにセットする。
【０４０６】
（ステップＳ６７０−７）
メインＣＰＵ３００ａは、上記ステップＳ６７０−３でセーブした高確回数および時短回数に対応する回数指定コマンドを送信バッファにセットする。
【０４０７】
（ステップＳ６７０−９）
メインＣＰＵ３００ａは、大役遊技または小当たり遊技の終了後に設定される変動状態を伝達するための変動状態指定コマンドを送信バッファにセットする。
【０４０８】
（ステップＳ６７０−１１）
メインＣＰＵ３００ａは、特別遊技管理フェーズを「００Ｈ」に更新し、当該大入賞口終了ウェイト処理を終了する。これにより、特１保留または特２保留が記憶されている場合には、特別図柄の変動表示が再開されることとなる。
【０４０９】
図４１は、普通遊技管理フェーズを説明する図である。既に説明したとおり、本実施形態では、ゲート１２４への遊技球の通過を契機とする普通遊技に係る処理が、段階的に、かつ、繰り返し実行されるが、主制御基板３００では、こうした普通遊技に係る各処理を普通遊技管理フェーズによって管理している。
【０４１０】
図４１に示すように、メインＲＯＭ３００ｂには、普通遊技を実行制御するための複数の普通遊技制御モジュールが格納されており、これら普通遊技制御モジュールごとに、普通遊技管理フェーズが対応付けられている。具体的には、普通遊技管理フェーズが「００Ｈ」である場合には、「普通図柄変動待ち処理」を実行するためのモジュールがコールされ、普通遊技管理フェーズが「０１Ｈ」である場合には、「普通図柄変動中処理」を実行するためのモジュールがコールされ、普通遊技管理フェーズが「０２Ｈ」である場合には、「普通図柄停止図柄表示処理」を実行するためのモジュールがコールされ、普通遊技管理フェーズが「０３Ｈ」である場合には、「普通電動役物入賞口開放前処理」を実行するためのモジュールがコールされ、普通遊技管理フェーズが「０４Ｈ」である場合には、「普通電動役物入賞口開放制御処理」を実行するためのモジュールがコールされ、普通遊技管理フェーズが「０５Ｈ」である場合には、「普通電動役物入賞口閉鎖有効処理」を実行するためのモジュールがコールされ、普通遊技管理フェーズが「０６Ｈ」である場合には、「普通電動役物入賞口終了ウェイト処理」を実行するためのモジュールがコールされる。
【０４１１】
図４２は、主制御基板３００における普通遊技管理処理（ステップＳ７００）を説明するフローチャートである。
【０４１２】
（ステップＳ７００−１）
メインＣＰＵ３００ａは、普通遊技管理フェーズをロードする。
【０４１３】
（ステップＳ７００−３）
メインＣＰＵ３００ａは、上記ステップＳ７００−１でロードした普通遊技管理フェーズに対応する普通遊技制御モジュールを選択する。
【０４１４】
（ステップＳ７００−５）
メインＣＰＵ３００ａは、上記ステップＳ７００−３で選択した普通遊技制御モジュールをコールして処理を開始する。
【０４１５】
（ステップＳ７００−７）
メインＣＰＵ３００ａは、普通遊技の制御時間を管理する普通遊技タイマをロードする。
【０４１６】
図４３は、主制御基板３００における普通図柄変動待ち処理を説明するフローチャートである。この普通図柄変動待ち処理は、普通遊技管理フェーズが「００Ｈ」であった場合に実行される。
【０４１７】
（ステップＳ７１０−１）
メインＣＰＵ３００ａは、普通図柄保留球数カウンタのカウンタ値をロードし、カウンタ値が「０」であるか、すなわち、普図保留が「０」であるかを判定する。その結果、カウンタ値が「０」であると判定した場合には当該普通図柄変動待ち処理を終了し、カウンタ値は「０」ではないと判定した場合にはステップＳ７１０−３に処理を移す。
【０４１８】
（ステップＳ７１０−３）
メインＣＰＵ３００ａは、普図保留記憶領域の第１記憶部〜第４記憶部に記憶されている普図保留（当たり決定乱数）を、１つ序数の小さい記憶部にブロック転送する。具体的には、第２記憶部〜第４記憶部に記憶されている普図保留を、第１記憶部〜第３記憶部に転送する。また、メインＲＡＭ３００ｃには、処理対象となる第０記憶部が設けられており、第１記憶部に記憶されている普図保留を、第０記憶部に転送する。なお、この普通図柄記憶エリアシフト処理においては、普通図柄保留球数カウンタのカウンタ値を「１」減算するとともに、普図保留が「１」減算したことを示す、普図保留減指定コマンドを送信バッファにセットする。
【０４１９】
（ステップＳ７１０−５）
メインＣＰＵ３００ａは、第０記憶部に転送された当たり決定乱数をロードし、現在の遊技状態に対応する当たり決定乱数判定テーブルを選択して普図抽選を行い、その抽選結果を記憶する普通図柄当たり判定処理を実行する。
【０４２０】
（ステップＳ７１０−７）
メインＣＰＵ３００ａは、上記ステップＳ７１０−５の普図抽選の結果に対応する普通図柄停止図柄番号をセーブする。なお、本実施形態では、普通図柄表示器１６８は１つのＬＥＤランプで構成されており、当たりの場合には普通図柄表示器１６８を点灯させ、ハズレの場合には普通図柄表示器１６８を消灯させる。ここで決定する普通図柄停止図柄番号は、最終的に普通図柄表示器１６８を点灯するか否かを示すものであり、例えば、当たりに当選した場合には、普通図柄停止図柄番号として「０」が決定され、ハズレの場合には、普通図柄停止図柄番号として「１」が決定される。
【０４２１】
（ステップＳ７１０−９）
メインＣＰＵ３００ａは、現在の遊技状態を確認し、対応する普通図柄変動時間データテーブルを選択してセットする。
【０４２２】
（ステップＳ７１０−１１）
メインＣＰＵ３００ａは、上記ステップＳ７１０−３で第０記憶部に転送した当たり決定乱数と、上記ステップＳ７１０−９でセットした普通図柄変動時間データテーブルとに基づいて、普通図柄変動時間を決定する。
【０４２３】
（ステップＳ７１０−１３）
メインＣＰＵ３００ａは、上記ステップＳ７１０−１１で決定した普通図柄変動時間を普通遊技タイマにセーブする。
【０４２４】
（ステップＳ７１０−１５）
メインＣＰＵ３００ａは、普通図柄表示器１６８において、普通図柄の変動表示を開始するために、普通図柄表示図柄カウンタを設定する処理を実行する。この普通図柄表示図柄カウンタに、カウンタ値として例えば「０」が設定されている場合には普通図柄表示器１６８が点灯制御され、カウンタ値として「１」が設定されている場合には普通図柄表示器１６８が消灯制御される。ここでは、普通図柄の変動表示の開始時に所定のカウンタ値が普通図柄表示図柄カウンタに設定されることとなる。
【０４２５】
（ステップＳ７１０−１７）
メインＣＰＵ３００ａは、普図保留記憶領域に記憶されている普図保留数を示す普図保留指定コマンドを送信バッファにセットする。
【０４２６】
（ステップＳ７１０−１９）
メインＣＰＵ３００ａは、上記ステップＳ７１０−７で決定された普通図柄停止図柄番号、すなわち、普通図柄当たり判定処理によって決定された図柄種別（当たり図柄またはハズレ図柄）に基づいて、普通図柄指定コマンドを送信バッファにセットする。
【０４２７】
（ステップＳ７１０−２１）
メインＣＰＵ３００ａは、普通遊技管理フェーズを「０１Ｈ」に更新し、当該普通図柄変動待ち処理を終了する。
【０４２８】
図４４は、主制御基板３００における普通図柄変動中処理を説明するフローチャートである。この普通図柄変動中処理は、普通遊技管理フェーズが「０１Ｈ」であった場合に実行される。
【０４２９】
（ステップＳ７２０−１）
メインＣＰＵ３００ａは、上記ステップＳ７１０−１３でセーブした普通遊技タイマのタイマ値が「０」であるかを判定する。その結果、タイマ値が「０」であった場合にはステップＳ７２０−９に処理を移し、タイマ値が「０」でなかった場合にはステップＳ７２０−３に処理を移す。
【０４３０】
（ステップＳ７２０−３）
メインＣＰＵ３００ａは、普通図柄表示器１６８の点灯時間および消灯時間を計時する普通図柄表示タイマを更新する。具体的には、普通図柄表示タイマのタイマ値が「０」であった場合には、所定のタイマ値がセットされ、タイマ値が「１」以上であった場合には、現在のタイマ値から「１」減算した値にタイマ値を更新する。
【０４３１】
（ステップＳ７２０−５）
メインＣＰＵ３００ａは、普通図柄表示タイマのタイマ値が「０」であるかを判定する。その結果、普通図柄表示タイマのタイマ値が「０」であると判定した場合にはステップＳ７２０−７に処理を移し、普通図柄表示タイマのタイマ値が「０」でないと判定した場合には当該普通図柄変動中処理を終了する。
【０４３２】
（ステップＳ７２０−７）
メインＣＰＵ３００ａは、普通図柄表示図柄カウンタのカウンタ値を更新する。ここでは、普通図柄表示図柄カウンタのカウンタ値が、普通図柄表示器１６８の消灯を示すカウンタ値であった場合には点灯を示すカウンタ値に更新し、普通図柄表示器１６８の点灯を示すカウンタ値であった場合には消灯を示すカウンタ値に更新し、当該普通図柄変動中処理を終了する。これにより、普通図柄表示器１６８は、普通図柄変動時間にわたって、所定時間おきに点灯、消灯を繰り返す（点滅する）こととなる。
【０４３３】
（ステップＳ７２０−９）
メインＣＰＵ３００ａは、普通図柄表示図柄カウンタに、上記ステップＳ７１０−７で決定した普通図柄停止図柄番号（カウンタ値）をセーブする。これにより、普通図柄表示器１６８が最終的に点灯もしくは消灯制御され、普図抽選の結果が報知されることとなる。
【０４３４】
（ステップＳ７２０−１１）
メインＣＰＵ３００ａは、普通図柄を停止表示する時間である普通図柄変動停止時間を普通遊技タイマにセットする。
【０４３５】
（ステップＳ７２０−１３）
メインＣＰＵ３００ａは、普通図柄の停止表示が開始されたことを示す普図停止指定コマンドを送信バッファにセットする。
【０４３６】
（ステップＳ７２０−１５）
メインＣＰＵ３００ａは、普通遊技管理フェーズを「０２Ｈ」に更新し、当該普通図柄変動中処理を終了する。
【０４３７】
図４５は、主制御基板３００における普通図柄停止図柄表示処理を説明するフローチャートである。この普通図柄停止図柄表示処理は、普通遊技管理フェーズが「０２Ｈ」であった場合に実行される。
【０４３８】
（ステップＳ７３０−１）
メインＣＰＵ３００ａは、上記ステップＳ７２０−１１でセットした普通遊技タイマのタイマ値が「０」でないかを判定する。その結果、普通遊技タイマのタイマ値が「０」ではないと判定した場合には当該普通図柄停止図柄表示処理を終了し、普通遊技タイマのタイマ値が「０」であると判定した場合にはステップＳ７３０−３に処理を移す。
【０４３９】
（ステップＳ７３０−３）
メインＣＰＵ３００ａは、普図抽選の結果を確認する。
【０４４０】
（ステップＳ７３０−５）
メインＣＰＵ３００ａは、普図抽選の結果が当たりであるかを判定する。その結果、当たりであると判定した場合にはステップＳ７３０−９に処理を移し、当たりではない（ハズレである）と判定した場合にはステップＳ７３０−７に処理を移す。
【０４４１】
（ステップＳ７３０−７）
メインＣＰＵ３００ａは、普通遊技管理フェーズを「００Ｈ」に更新し、当該普通図柄停止図柄表示処理を終了する。これにより、１の普図保留に基づく普通遊技管理処理が終了し、普図保留が記憶されている場合には、次の保留に基づく普通図柄の変動表示を開始するための処理が行われることとなる。
【０４４２】
（ステップＳ７３０−９）
メインＣＰＵ３００ａは、開閉制御パターンテーブルのデータを参照し、普通遊技タイマに、タイマ値として普電開放前時間をセーブする。
【０４４３】
（ステップＳ７３０−１１）
メインＣＰＵ３００ａは、普通遊技管理フェーズを「０３Ｈ」に更新し、当該普通図柄停止図柄表示処理を終了する。これにより、第２始動口１２２の開閉制御が開始されることとなる。
【０４４４】
図４６は、主制御基板３００における普通電動役物入賞口開放前処理を説明するフローチャートである。この普通電動役物入賞口開放前処理は、普通遊技管理フェーズが「０３Ｈ」であった場合に実行される。
【０４４５】
（ステップＳ７４０−１）
メインＣＰＵ３００ａは、普通遊技タイマのタイマ値が「０」でないかを判定する。その結果、普通遊技タイマのタイマ値が「０」でないと判定した場合には当該普通電動役物入賞口開放前処理を終了し、普通遊技タイマのタイマ値が「０」であると判定した場合にはステップＳ７４１に処理を移す。
【０４４６】
（ステップＳ７４１）
メインＣＰＵ３００ａは、普通電動役物入賞口開閉切替処理を実行する。この普通電動役物入賞口開閉切替処理については後述する。
【０４４７】
（ステップＳ７４０−３）
メインＣＰＵ３００ａは、普通遊技管理フェーズを「０４Ｈ」に更新し、当該普通電動役物入賞口開放前処理を終了する。
【０４４８】
図４７は、主制御基板３００における普通電動役物入賞口開閉切替処理を説明するフローチャートである。
【０４４９】
（ステップＳ７４１−１）
メインＣＰＵ３００ａは、普通電動役物開閉切替回数カウンタのカウンタ値が、普通電動役物開閉切替回数（１回の開閉制御中における可動片１２２ｂの開閉回数）の上限値であるかを判定する。その結果、カウンタ値が上限値であると判定した場合には当該普通電動役物入賞口開閉切替処理を終了し、カウンタ値は上限値ではないと判定した場合にはステップＳ７４１−３に処理を移す。
【０４５０】
（ステップＳ７４１−３）
メインＣＰＵ３００ａは、開閉制御パターンテーブルのデータを参照し、普通電動役物開閉切替回数カウンタのカウンタ値に基づいて、普通電動役物ソレノイド１２２ｃを通電制御するためのソレノイド制御データ（通電制御データまたは通電停止制御データ）、および、普通電動役物ソレノイド１２２ｃの通電時間（ソレノイド通電時間）もしくは通電停止時間（普電閉鎖有効時間＝休止時間）であるタイマデータを抽出する。
【０４５１】
（ステップＳ７４１−５）
メインＣＰＵ３００ａは、上記ステップＳ７４１−３で抽出したソレノイド制御データに基づいて、普通電動役物ソレノイド１２２ｃの通電を開始するか、もしくは、普通電動役物ソレノイド１２２ｃの通電を停止するための普通電動役物ソレノイド通電制御処理を実行する。この普通電動役物ソレノイド通電制御処理の実行により、上記ステップＳ４００−３１およびステップＳ４００−３３において、普通電動役物ソレノイド１２２ｃの通電開始もしくは通電停止の制御がなされることとなる。
【０４５２】
（ステップＳ７４１−７）
メインＣＰＵ３００ａは、上記ステップＳ７４１−３で抽出したタイマデータに基づくタイマ値を、普通遊技タイマにセーブする。なお、ここで普通遊技タイマにセーブされるタイマ値は、第２始動口１２２の１回の最大開放時間となる。
【０４５３】
（ステップＳ７４１−９）
メインＣＰＵ３００ａは、普通電動役物ソレノイド１２２ｃの通電開始状態か、すなわち、上記ステップＳ７４１−５において、普通電動役物ソレノイド１２２ｃの通電を開始する制御処理がなされたかを判定する。その結果、通電開始状態であると判定した場合にはステップＳ７４１−１１に処理を移し、通電開始状態ではないと判定した場合には当該普通電動役物入賞口開閉切替処理を終了する。
【０４５４】
（ステップＳ７４１−１１）
メインＣＰＵ３００ａは、普通電動役物開閉切替回数カウンタのカウンタ値を、現在のカウンタ値に「１」加算した値に更新する。
【０４５５】
図４８は、主制御基板３００における普通電動役物入賞口開放制御処理を説明するフローチャートである。この普通電動役物入賞口開放制御処理は、普通遊技管理フェーズが「０４Ｈ」であった場合に実行される。
【０４５６】
（ステップＳ７５０−１）
メインＣＰＵ３００ａは、上記ステップＳ７４１−７でセーブした普通遊技タイマのタイマ値が「０」でないかを判定する。その結果、普通遊技タイマのタイマ値が「０」ではないと判定した場合にはステップＳ７５０−５に処理を移し、普通遊技タイマのタイマ値が「０」であると判定した場合にはステップＳ７５０−３に処理を移す。
【０４５７】
（ステップＳ７５０−３）
メインＣＰＵ３００ａは、普通電動役物開閉切替回数カウンタのカウンタ値が、普通電動役物開閉切替回数の上限値であるかを判定する。その結果、カウンタ値が上限値であると判定した場合にはステップＳ７５０−７に処理を移し、カウンタ値は上限値ではないと判定した場合にはステップＳ７４１に処理を移す。
【０４５８】
（ステップＳ７４１）
上記ステップＳ７５０−３において、普通電動役物開閉切替回数カウンタのカウンタ値が、普通電動役物開閉切替回数の上限値ではないと判定した場合には、メインＣＰＵ３００ａは、上記ステップＳ７４１の処理を実行する。
【０４５９】
（ステップＳ７５０−５）
メインＣＰＵ３００ａは、上記ステップＳ５３０−９で更新された普通電動役物入賞球数カウンタのカウンタ値が規定数に到達していないか、すなわち、第２始動口１２２に、１回の開閉制御中の最大入賞可能数と同数の遊技球が入球していないかを判定する。その結果、規定数に到達していないと判定した場合には当該普通電動役物入賞口開放制御処理を終了し、規定数に到達したと判定した場合にはステップＳ７５０−７に処理を移す。
【０４６０】
（ステップＳ７５０−７）
メインＣＰＵ３００ａは、普通電動役物ソレノイド１２２ｃの通電を停止して第２始動口１２２を閉鎖するために必要な普通電動役物閉鎖処理を実行する。これにより、第２始動口１２２が閉鎖状態となる。
【０４６１】
（ステップＳ７５０−９）
メインＣＰＵ３００ａは、普電有効状態時間を普通遊技タイマにセーブする。
【０４６２】
（ステップＳ７５０−１１）
メインＣＰＵ３００ａは、普通遊技管理フェーズを「０５Ｈ」に更新し、当該普通電動役物入賞口開放制御処理を終了する。
【０４６３】
図４９は、主制御基板３００における普通電動役物入賞口閉鎖有効処理を説明するフローチャートである。この普通電動役物入賞口閉鎖有効処理は、普通遊技管理フェーズが「０５Ｈ」であった場合に実行される。
【０４６４】
（ステップＳ７６０−１）
メインＣＰＵ３００ａは、上記ステップＳ７５０−９でセーブした普通遊技タイマのタイマ値が「０」でないかを判定する。その結果、普通遊技タイマのタイマ値が「０」ではないと判定した場合には当該普通電動役物入賞口閉鎖有効処理を終了し、普通遊技タイマのタイマ値が「０」であると判定した場合にはステップＳ７６０−３に処理を移す。
【０４６５】
（ステップＳ７６０−３）
メインＣＰＵ３００ａは、普電終了ウェイト時間を普通遊技タイマにセーブする。
【０４６６】
（ステップＳ７６０−５）
メインＣＰＵ３００ａは、普通遊技管理フェーズを「０６Ｈ」に更新し、当該普通電動役物入賞口閉鎖有効処理を終了する。
【０４６７】
図５０は、主制御基板３００における普通電動役物入賞口終了ウェイト処理を説明するフローチャートである。この普通電動役物入賞口終了ウェイト処理は、普通遊技管理フェーズが「０６Ｈ」であった場合に実行される。
【０４６８】
（ステップＳ７７０−１）
メインＣＰＵ３００ａは、上記ステップＳ７６０−３でセーブした普通遊技タイマのタイマ値が「０」でないかを判定する。その結果、普通遊技タイマのタイマ値が「０」ではないと判定した場合には当該普通電動役物入賞口終了ウェイト処理を終了し、普通遊技タイマのタイマ値が「０」であると判定した場合にはステップＳ７７０−３に処理を移す。
【０４６９】
（ステップＳ７７０−３）
メインＣＰＵ３００ａは、普通遊技管理フェーズを「００Ｈ」に更新し、当該普通電動役物入賞口終了ウェイト処理を終了する。これにより、普図保留が記憶されている場合には、普通図柄の変動表示が再開されることとなる。
【０４７０】
以上のように、主制御基板３００において各種の処理が実行されることにより、特別遊技および普通遊技が進行することとなる。また、副制御基板３３０においては、遊技の進行に合わせて種々の演出が実行される。具体的には、主制御基板３００において大役抽選が行われると、その結果を報知する変動演出が実行される。以下では、所定の遊技状態に設定されている場合の演出について、一例を用いて説明する。
【０４７１】
（演出の一例）
図５１は、リーチなし変動パターンの変動演出の一例を説明する図である。上記のように、主制御基板３００において大役抽選が行われると、第１特別図柄表示器１６０または第２特別図柄表示器１６２における図柄の変動表示中、すなわち、特別図柄の変動時間に亘って、大役抽選の結果を報知する変動演出が実行される。この変動演出においては、メイン演出表示部２００ａにおいて種々の背景画像（図示を省略）が表示されるとともに、この背景画像に重畳して、演出図柄２１０ａ、２１０ｂ、２１０ｃが表示される。なお、変動演出中は、メイン演出表示部２００ａに表示される画像に伴って、音声出力装置２０６から音声が出力されるとともに、演出照明装置２０４が点灯制御され、また、演出役物装置２０２が可動制御されるが、ここでは詳細な説明は省略する。
【０４７２】
本実施形態の変動演出は、リーチなし変動パターンとリーチ変動パターンとに大別される。リーチなし変動パターンの変動演出では、メイン演出表示部２００ａに背景画像（図示を省略）が表示されるとともに、この背景画像に演出図柄２１０ａ、２１０ｂ、２１０ｃが重畳して変動表示される。例えば、図５１（ａ）に示すように、大役抽選結果がハズレであったことを示す組み合わせで演出図柄２１０ａ、２１０ｂ、２１０ｃが停止表示されているとする。この状態で、新たに特別図柄の変動表示が行われると、当該特別図柄の変動表示の開始に伴って、図５１（ｂ）に示すように、３つの演出図柄２１０ａ、２１０ｂ、２１０ｃが変動表示（スクロール表示）を開始する。なお、図中下向きの白抜き矢印は、演出図柄２１０ａ、２１０ｂ、２１０ｃが高さ方向に高速でスクロール表示（高速スクロール）されていることを示している。
【０４７３】
そして、図５１（ｃ）に示すように、まず、演出図柄２１０ａが停止表示され、その後、図５１（ｄ）に示すように、演出図柄２１０ａと異なる演出図柄２１０ｃが停止表示される。そして、第１特別図柄表示器１６０または第２特別図柄表示器１６２に特別図柄が停止表示するのとほぼ同じタイミングで、図５１（ｅ）に示すように、演出図柄２１０ｂが停止表示され、このときの３つの演出図柄２１０ａ、２１０ｂ、２１０ｃの最終的な停止表示態様によって、大役抽選結果が遊技者に報知される。
【０４７４】
図５２は、リーチ変動パターンの変動演出の一例を説明する図である。リーチ変動パターンの変動演出は、リーチなし変動パターンの変動演出と同様に、第１特別図柄表示器１６０または第２特別図柄表示器１６２における図柄の変動表示の開始に伴って、演出図柄２１０ａ、２１０ｂ、２１０ｃの変動表示が開始された後に高速スクロールされる。その後、図５２（ａ）に示すように、演出図柄２１０ａがまず停止表示され、その後、図５２（ｂ）に示すように、演出図柄２１０ａと同一の演出図柄２１０ｃが停止表示される。
【０４７５】
このように、メイン演出表示部２００ａにおいて、同一の演出図柄２１０ａ、２１０ｃが停止表示されるリーチ態様で表示されると（リーチ表示）、図５２（ｃ）に示すように、メイン演出表示部２００ａにおいて、演出図柄２１０ａ、２１０ｃに重畳して「リーチ」と表示される。なお、リーチ態様は複数種類設けられており、「１」〜「９」のいずれかの数字が記された同一の演出図柄２１０ａ、２１０ｃが停止表示される。その後、図５２（ｄ）に示すように、演出図柄２１０ａ、２１０ｃの形状を、リーチ態様になる前と異にして、演出図柄２１０ｂの変動表示が継続される。
【０４７６】
上記のようにしてリーチ表示がなされると、所定のリーチ発展演出が実行される。リーチ発展演出としては、例えば、味方キャラクタが敵キャラクタと対戦するバトル演出や、味方キャラクタが所定のミッションに挑むミッション演出が設けられている。こうしたリーチ発展演出の内容は、主制御基板３００で決定された変動パターン番号に基づいて決定される。このとき、味方キャラクタと敵キャラクタとの対戦内容や、味方キャラクタが挑むミッションの内容は複数パターン設けられており、そのいずれのパターンについても、大当たりパターンとハズレパターンとがそれぞれ設けられている。
【０４７７】
大当たりパターンは、大役抽選の結果が大当たりであった場合にのみ選択され、ハズレパターンは、大役抽選の結果がハズレであった場合にのみ選択される。これら両パターンは、演出の終盤までは同一内容で構成されている。例えば、バトル演出では、図５２（ｅ）に示すように、まず、対戦キャラクタの紹介が行われ、その後、両キャラクタが対戦する画像がメイン演出表示部２００ａに表示される。このとき、大当たりパターンのバトル演出と、ハズレパターンのバトル演出とでは、演出の終盤までは内容が共通化されており、最終的に味方キャラクタが勝利するか敗北するかといった点を異にしている。したがって、演出の終盤までは、大役抽選の結果を遊技者が識別することができず、遊技者に大当たりの期待感が付与されることとなる。
【０４７８】
なお、大当たりパターンのバトル演出では、図５２（ｆ）に示すように、最終的に味方キャラクタが敵キャラクタに勝利する画像が表示された後、図５２（ｇ）に示すように、同一の演出図柄２１０ａ、２１０ｂ、２１０ｃがメイン演出表示部２００ａの中央に表示される。一方、ハズレパターンのバトル演出では、図５２（ｈ）に示すように、最終的に味方キャラクタが敵キャラクタに敗北する画像が表示された後、図５２（ｉ）に示すように、ハズレを報知する組み合わせで演出図柄２１０ａ、２１０ｂ、２１０ｃがメイン演出表示部２００ａの中央に表示される。
【０４７９】
図５３は、擬似連続リーチ変動パターンの変動演出の一例を説明する図である。リーチ変動パターンには、擬似連続リーチ変動パターンが含まれる。擬似連続リーチ変動パターンの変動演出は、図５３（ａ）に示すように、演出図柄２１０ａ、２１０ｂ、２１０ｃの変動表示が開始されると、図５３（ｂ）に示すように、演出図柄２１０ａ、２１０ｂ、２１０ｃが、予め設けられた複数種類の擬似態様のうちのいずれかで仮停止表示される。この擬似態様は、例えば、同一の演出図柄２１０ａ、２１０ｂと、これら演出図柄２１０ａ、２１０ｂよりも、「２」大きな数字が記された演出図柄２１０ｃとが仮停止表示されるものである。
【０４８０】
演出図柄２１０ａ、２１０ｂ、２１０ｃが擬似態様で仮停止表示されると、図５３（ｃ）に示すように、演出図柄２１０ａ、２１０ｂ、２１０ｃの変動表示が再開される。つまり、擬似態様は、演出図柄２１０ａ、２１０ｂ、２１０ｃの再変動表示を示すものと言える。その後、図５３（ｄ）に示すように、演出図柄２１０ａ、２１０ｂ、２１０ｃが、再び擬似態様で仮停止表示される。
【０４８１】
そして、図５３（ｅ）に示すように、演出図柄２１０ａ、２１０ｂ、２１０ｃの変動表示が再開されると、図５３（ｆ）に示すように、演出図柄２１０ａ、２１０ｃがリーチ態様で表示され、以後、図５３（ｇ）〜（ｉ）に示すように、発展リーチ変動パターンと同様にリーチ発展演出が実行され、大役抽選の結果が遊技者に報知される。
【０４８２】
このように、擬似連続リーチ変動パターンの変動演出は、演出図柄２１０ａ、２１０ｃがリーチ態様となるまでの内容が、発展リーチ変動パターンの変動演出と異なっており、リーチ態様となった後は、発展リーチ変動パターンと同様に変動演出が進行されることとなる。
【０４８３】
なお、擬似連続リーチ変動パターンにおいて、リーチ態様となるまでの演出図柄２１０ａ、２１０ｂ、２１０ｃの変動表示パターンは複数パターン設けられており、変動表示パターンごとに、演出図柄２１０ａ、２１０ｂ、２１０ｃの仮停止表示の回数、換言すれば、演出図柄２１０ａ、２１０ｂ、２１０ｃの変動表示回数が異なっている。この変動表示パターンは、変動モードコマンドによって決定され、演出図柄２１０ａ、２１０ｂ、２１０ｃの仮停止表示（変動表示）の回数が多くなるほど、最終的に大当たりの当選が報知される可能性（以下「信頼度」という）が高くなるように、大当たり当選時およびハズレ時における変動モードコマンドの選択比率が設定されている。
【０４８４】
具体的には、大役抽選の結果が大当たりであった場合には、変動表示回数の多い変動モードコマンドの選択比率が、変動表示回数の少ない変動モードコマンドの選択比率よりも高く設定されており、大役抽選の結果がハズレであった場合には、変動表示回数の少ない変動モードコマンドの選択比率が、変動表示回数の多い変動モードコマンドの選択比率よりも高く設定されている。
【０４８５】
また、主制御基板３００においては、擬似連続リーチ変動パターンの信頼度が、発展リーチ変動パターンの信頼度よりも高くなるように設定されている。したがって、演出図柄２１０ａ、２１０ｂ、２１０ｃの仮停止表示（変動表示）の回数によって信頼度が示唆されることとなり、遊技者は、演出図柄２１０ａ、２１０ｂ、２１０ｃがより多く仮停止表示（変動表示）されることを期待しながら、演出の行方を見守ることとなる。
【０４８６】
図５４は、変動演出決定テーブルを説明する図であり、図５４（ａ）には前半変動演出決定テーブルを示し、図５４（ｂ）には後半変動演出決定テーブルを示す。上記したように、主制御基板３００において大役抽選が行われると、大役抽選の結果に基づいて、変動情報が決定され、決定された変動情報に対応する変動コマンド（変動モードコマンドおよび変動パターンコマンド）が副制御基板３３０に送信される。副制御基板３３０においては、変動モードコマンドを受信すると、０〜２４９の範囲から１の演出乱数を取得するとともに、前半変動演出決定テーブルを参照して、取得した演出乱数と、受信した変動モードコマンドとに基づいて、前半の変動演出の実行パターンを決定する。また、変動パターンコマンドを受信すると、０〜２４９の範囲から１の演出乱数を取得するとともに、後半変動演出決定テーブルを参照して、取得した演出乱数と、受信した変動パターンコマンドとに基づいて、後半の変動演出の実行パターンを決定する。なお、図５４（ａ）、（ｂ）においては、前半変動演出決定テーブルおよび後半変動演出決定テーブルの一部のみを示している。
【０４８７】
図５４（ａ）、（ｂ）に示すように、前半変動演出決定テーブルによれば、変動モード番号（変動モードコマンド）ごとに、前半の変動演出の実行パターンについての選択比率がそれぞれ設定され、後半変動演出決定テーブルによれば、変動パターン番号（変動パターンコマンド）ごとに、後半の変動演出の実行パターンについての選択比率がそれぞれ設定されている。そして、決定された前半および後半の変動演出の実行パターンを組み合わせて実行することで、１回の変動演出が実行されることとなる。
【０４８８】
リーチなし変動パターンの変動演出は、前半の実行パターンとして、前半の変動演出を実行しないことを示す「なし」が決定され、後半の実行パターンとして、リーチなし変動パターンに対応する「４秒ハズレ」、「８秒ハズレ」、「１２秒ハズレ」、「即連ハズレ」が決定された場合に実行される。例えば、前半の変動演出が実行されないことを示す「００Ｈ」の変動モード番号に対応する変動モードコマンドを受信すると、副制御基板３３０では、必ず、前半の実行パターンとして「なし」が決定される。また、このとき、同時に受信し得る変動パターンコマンドには、「４秒ハズレ」、「８秒ハズレ」、「１２秒ハズレ」、「即連ハズレ」等が決定されるように、後半変動演出決定テーブルにおいて選択比率の設定がなされている。
【０４８９】
一方、リーチ変動パターンの変動演出は、前半の実行パターンとして「なし」以外が決定され、後半の実行パターンとして、「リーチＡハズレ」、「リーチＢハズレ」、「リーチＡ大当たり」、「リーチＢ大当たり」等が決定された場合に実行される。このように、主制御基板３００において決定された変動情報に基づいて、副制御基板３３０において変動演出の実行パターンが決定されることで、変動状態ごとに、さらには、変動回数ごとに、予め設定された比率で変動演出が実行されることとなる。
【０４９０】
図５５は、保留表示演出の一例を説明する図である。遊技中は、上記の変動演出と同時並行して保留表示演出が実行される。メイン演出表示部２００ａの下部には保留表示領域が設けられる。図５１〜図５３では図示を省略したが、保留表示領域は、変動演出中や遊技の待機中もメイン演出表示部２００ａに常時表示されている。そして、変動演出中は、この保留表示領域において保留表示演出が行われる。
【０４９１】
保留表示演出では、大役抽選の際に処理領域（第０記憶部）に読み出された保留を示す当該保留表示２１４ａ、第１特図保留記憶領域の第１記憶部〜第４記憶部に記憶されている保留をそれぞれ示す、第１保留表示２１４ｂ、第２保留表示２１４ｃ、第３保留表示２１４ｄ、第４保留表示２１４ｅが保留表示領域に表示される。なお、以下では、当該保留表示２１４ａおよび第１保留表示２１４ｂ〜第４保留表示２１４ｅを総称して、保留表示２１４と呼ぶ。
【０４９２】
例えば、特別図柄の変動表示中であって、しかも、メインＲＡＭ３００ｃに４つの特１保留が記憶されている場合には、図５５（ａ）に示すように、当該保留表示２１４ａ、第１保留表示２１４ｂ〜第４保留表示２１４ｅの合計５つの保留表示２１４が保留表示領域に表示される。そして、この状態から、特別図柄の変動表示が終了し、第１記憶部に記憶されている特１保留が処理領域（第０記憶部）に読み出されて大役抽選が行われるとともに、メインＲＡＭ３００ｃの保留シフト処理が実行されると、図５５（ｂ）に示すように、当該保留表示２１４ａが消去されるとともに、第１保留表示２１４ｂ〜第４保留表示２１４ｅが１つ左に移動表示される。また、さらにこの状態から次なる特１保留が読み出されると、図５５（ｃ）に示すように、さらに各保留表示２１４が移動表示される。このように、保留表示演出は、メインＲＡＭ３００ｃに記憶されている特１保留数を遊技者に報知する演出となっている。
【０４９３】
また、保留表示２１４の表示パターンは複数設けられており、表示パターンごとに表示色を異ならせている。主制御基板３００においては、保留が記憶されたときに取得時演出判定処理が実行され、新たに記憶された保留が第０記憶部に読み出された際に決定される変動情報を示す先読み指定コマンドを副制御基板３３０に送信する。副制御基板３３０においては、先読み指定コマンドを受信すると、当該受信コマンドに基づいて、新たに記憶された保留に対応する保留表示の表示パターンを決定する。このとき、先読み指定コマンドごとに、つまり、新たに記憶された保留が大役抽選で読み出された際に決定される変動情報ごとに、各表示パターンの選択比率が設定されている。つまり、大当たりの当選可否や、変動演出の実行パターンに応じて各表示パターンの選択比率が設定されていることから、保留表示２１４の表示パターンによって、大当たりの信頼度が示唆されることとなる。
【０４９４】
また、本実施形態では、変動演出中に、大当たりの信頼度を示唆するさまざまな予告演出が実行される。ここでは、予告演出の一例として、特定演出について説明する。
【０４９５】
図５６は、特定演出の一例を説明する図である。特定演出は変動演出中のさまざまなタイミングで実行される。例えば、図５６（ａ）に示すように、変動演出の開始後、演出図柄２１０ａ、２１０ｂ、２１０ｃが変動表示されているとする。このとき、特定演出が実行されると、図５６（ｂ）に示すように、メイン演出表示部２００ａに「最強」と記されたカットイン画像が所定時間表示される。その後、カットイン画像に代わって、図５６（ｃ）に示すように、キャラクタ画像がメイン演出表示部２００ａの全面に表示される。すなわち、本実施形態の特定演出では、カットイン画像およびキャラクタ画像がメイン演出表示部２００ａに表示される。
【０４９６】
ここでは、特定演出により、大当たりの信頼度が示唆される。具体的には、特定演出は、その出現により、大当たりの信頼度が高いことを示唆するものであり、特定演出が出現した場合の大当たりの信頼度は、例えば５０％に設定されている。つまり、大役抽選の結果がハズレであった場合には、特定演出の出現確率が低く、大役抽選の結果が大当たりであった場合には、特定演出の出現確率が高くなるように出現比率が設定されている。
【０４９７】
なお、詳しい説明は省略するが、特定演出の実行パターンは１つのみでもよいし、複数設けられてもよい。特定演出の実行パターンが複数設けられる場合、例えば、カットイン画像またはキャラクタ画像が複数設けられる。この場合、特定演出の実行パターンによって、大当たりの信頼度を異ならせることができる。
【０４９８】
なお、特定演出は、その発生により、大当たりの当選が確定する確定演出としてもよい。確定演出としては、所定の画像の表示、音声の出力、ランプの点灯、可動体の作動等が挙げられる。また、特定演出の実行パターンとして、例えば、所定のリーチ演出が発生するものであってもよい。
【０４９９】
また、ここでは、特定演出として、カットイン画像およびキャラクタ画像が表示されることとしたが、これら両画像のいずれか一方のみが表示されてもよい。なお、特定演出用の画像は、他の予告演出用の画像や、演出図柄２１０ａ、２１０ｂ、２１０ｃよりもプライオリティを高くして表示することで、特定演出の出現に気付きやすくなる。
【０５００】
詳しくは後述するが、本実施形態においては、特定演出が様々なタイミングで出現する。これにより、例えば、予め設定されたタイミングでのみ特定演出が出現する場合に比べて、特定演出の出現可否を遊技者が推測しにくくなる。一方で、変動演出中には、特定演出とは異なる予告演出も実行されることから、特定演出の実行タイミングによっては、他の演出との関係から、特定演出の出現に遊技者が気付かない可能性もある。そこで、本実施形態では、特定演出の出現確率を示唆する示唆演出を実行することで、特定演出に対する注意喚起を事前に行う。
【０５０１】
図５７は、示唆演出の一例を説明する図である。示唆演出は、ポイント獲得演出およびポイント報知演出を含む。ポイント獲得演出は、１〜２４のいずれかのポイントを獲得する演出であり、示唆演出中に１回以上実行される。ポイント報知演出は、ポイント獲得演出で獲得したポイントをメータにより遊技者に報知する演出である。示唆演出において獲得、報知されたポイントが高いほど、特定演出の出現確率が高くなる。つまり、示唆演出は、獲得したポイントにより、特定演出の出現確率を示唆することとなる。
【０５０２】
ここでは、まず、図５７を用いて、ポイント報知演出について詳述し、その後、ポイント獲得演出について説明する。ポイント報知演出では、図５７（ａ）に示すように、メイン演出表示部２００ａの右下部に、メータ表示部２２０が設けられる。メータ表示部２２０には、ポイント獲得演出で獲得したポイントを示すメータが表示される。ここでは、四文字の漢字によってメータが構成されている。
【０５０３】
具体的には、メータ表示部２２０に表示される文字は、図５７（ｂ）に示すように、「一騎当千」、「百花繚乱」、「千載一遇」、「万世不滅」、「戦国乙女」の５つの表示パターンが設けられている。ここでは、「一騎当千」が第１段階に設定され、「百花繚乱」が第２段階に設定され、「千載一遇」が第３段階に設定され、「万世不滅」が第４段階に設定され、「戦国乙女」が第５段階に設定されている。
【０５０４】
ポイント報知演出では、まず、メータ表示部２２０に第１段階の「一騎当千」の文字が表示される。図５７（ａ）では、「一」の文字が黒塗りで表示され、残りの三文字が白塗りで表示されている。これは、獲得したポイントが１ポイントであることを示している。すなわち、ポイント報知演出では、メータ表示部２２０に表示される文字の表示パターンと、メータ表示部２２０に表示されている文字のうち、黒塗りの文字の数とによって、獲得したポイントが遊技者に報知される。
【０５０５】
したがって、例えば、図５７（ａ）に示す状態から、獲得したポイントが１ポイントずつ増えると、図５７（ｂ）に示すように、「一騎当千」の文字が、先頭から一文字ずつ黒塗りに変化していく。ここでは、第１段階の「一騎当千」の表示パターンにより、獲得したポイントが１から４ポイントのいずれかであることが報知される。
【０５０６】
そして、獲得ポイントが５ポイントになると、メータ表示部２２０に表示される文字が、第１段階の「一騎当千」から、第２段階の「百花繚乱」に変化する。このとき、「百花繚乱」の四文字全てが白塗りで表示されており、これにより、現在の獲得ポイントが５ポイントであることが報知される。図５７（ｂ）に示すように、第２段階の表示パターンは、その表示態様（黒塗りの文字数）により、獲得ポイントが５から９ポイントであることを報知する。同様に、第３段階から第５段階の表示パターンは、表示態様により、それぞれ、獲得ポイントが１０から１４、１５から１９、２０から２４であることを報知する。
【０５０７】
示唆演出において、最終的にメータ表示部２２０に表示される表示パターンが第１段階もしくは第２段階である場合、特定演出の出現確率（出現期待値）は低い。また、最終的な表示パターンが第３段階もしくは第４段階である場合には、最終的な表示パターンが第１段階および第２段階である場合に比べて、特定演出の出現期待値が高くなる。また、最終的な表示パターンが第５段階である場合には、最終的な表示パターンが第３段階および第４段階である場合に比べて、特定演出の出現期待値がさらに高くなる。
【０５０８】
そして、獲得したポイントが２４ポイントであり、第５段階の表示パターンである「戦国乙女」の全ての文字が黒塗りで表示された場合には、特定演出の出現が確定する。すなわち、この場合には、以後に必ず特定演出が実行されることとなる。
【０５０９】
なお、ポイント報知演出は、現在の段階が識別できればよい。したがって、例えば、メータ表示部２２０を常時表示せずに、段階が変化した場合に限りメータ表示部２２０を表示させてもよい。
【０５１０】
ポイント報知演出は、ポイント獲得演出と同時並行して実行され得る。両演出が同時並行して実行される場合には、ポイント獲得演出においてポイントが獲得された後に、メータ表示部２２０におけるメータ（表示パターン、表示態様）が更新される。また、ポイント獲得演出で獲得したポイントが、その後に実行されるポイント報知演出において、一気に更新されることもある。本実施形態では、示唆演出の実行パターンとして、第１示唆パターン、第２示唆パターンおよび第３示唆パターンの３つが設けられており、示唆演出の実行パターンごとに、異なるポイント獲得演出が実行される。
【０５１１】
詳しくは後述するが、保留が記憶されると、特定演出の実行有無が決定される。また、特定演出の実行有無とは無関係に、示唆演出の実行有無、ならびに、示唆演出を実行する場合には、その実行パターンが決定される。したがって、特定演出が実行される場合に、その前に示唆演出が実行されることもあれば、示唆演出が実行されることなく特定演出のみが実行されることもある。また、示唆演出が実行されたものの、特定演出が実行されないこともある。この場合、示唆演出は所謂ガセ演出となり、示唆演出で表示されたメータ表示部２２０は、所定のタイミングで消去される。
【０５１２】
上記したように、示唆演出の実行有無は、保留が記憶されたときに決定される。換言すれば、示唆演出の実行有無は保留ごとに決定される。以下では、示唆演出の実行が決定された保留を対象保留と呼び、対象保留に基づいて実行される変動演出を対象変動もしくは対象変動演出と呼ぶ。特定演出は、対象変動中に実行されるが、示唆演出（ポイント獲得演出）は、対象変動中に開始される場合もあれば、対象変動の前の他の変動演出（以下、対象前変動と呼ぶ）中に開始される場合もある。
【０５１３】
図５８は、第１示唆パターンの示唆演出の一例を説明する図である。第１示唆パターンの示唆演出は、対象前変動および対象変動の双方で開始し得る。ここでは、第１示唆パターンの示唆演出が、対象前変動で開始する場合について説明する。例えば、対象変動の２回前の対象前変動（以下、対象２回前変動と呼ぶ）中に第１示唆パターンの示唆演出が実行されるとする。この場合、図５８（ａ）に示すように、第１パターンのポイント獲得演出が実行される。
【０５１４】
第１パターンのポイント獲得演出では、メイン演出表示部２００ａにおいて、例えば、ハートを３つ獲得したことを示すカットイン画像が表示される。この第１パターンのポイント獲得演出において、ハートはポイントを示している。したがって、図５８（ａ）の例は、３ポイントを獲得したことを示している。なお、所定の図柄やキャラクタ等、カットイン画像以外の予告演出によってポイントを獲得するようにしてもよい。その後、図５８（ｂ）に示すように、メイン演出表示部２００ａの下部に、ハート形状のポイント表示部２２２が表示され、カットイン画像に表示された数値、すなわち、獲得ポイントが転写される。
【０５１５】
その後、図５８（ｃ）に示すように、演出図柄２１０ａ、２１０ｂ、２１０ｃが停止表示され、対象２回前変動が終了し、続いて、図５８（ｄ）に示すように、対象変動の１回前の対象前変動（以下、対象１回前変動と呼ぶ）が開始したとする。このとき、ポイント表示部２２２は表示されたままとなる。つまり、ポイント表示部２２２は、複数回の変動演出に跨って表示状態が維持されている。
【０５１６】
そして、対象１回前変動中に、図５８（ｅ）に示すように、再度、第１パターンのポイント獲得演出が実行され、ハートを４つ獲得したことを示すカットイン画像が表示されたとする。この場合、図５８（ｆ）に示すように、ポイント表示部２２２に表示されている獲得ポイントに、カットイン画像に表示された数値が加算される。これにより、この時点で、７ポイントを獲得していることが遊技者に報知される。
【０５１７】
その後、図５８（ｇ）に示すように、演出図柄２１０ａ、２１０ｂ、２１０ｃが停止表示され、対象１回前変動が終了し、続いて、図５８（ｈ）に示すように、対象変動が開始したとする。この場合にも、ポイント表示部２２２は表示されたままとなる。そして、対象変動の開始直後に、ポイント表示部２２２が点滅し、その直後に、図５８（ｉ）に示すように、メータ表示部２２０が表示される。そして、図５８（ｊ）に示すように、ポイント表示部２２２に表示されている獲得ポイント数だけ、メータ表示部２２０のメータが更新される。
【０５１８】
このように、対象前変動中に獲得したポイントは、対象変動の開始時にまとめてメータ表示部２２０に反映される。また、図示は省略するが、対象変動中にも、図５８（ａ）、（ｅ）に示すポイント獲得演出が、１回もしくは複数回表示されることがある。この場合、カットイン画像に表示されたポイントは、直接、メータ表示部２２０に反映される。例えば、図５８（ｊ）に示す状態で、第１パターンのポイント獲得演出が実行され、ハートを１つ獲得したことを示すカットイン画像が表示されたとする。この場合には、メータ表示部２２０において、「繚」の文字が黒塗りに更新される。
【０５１９】
また、第１示唆パターンの示唆演出は、対象変動中にのみ実行されることもある。この場合には、ポイント表示部２２２が表示されることなく、カットイン画像で表示されたポイントが、直接、メータ表示部２２０に反映される。
【０５２０】
図５９は、第２示唆パターンの示唆演出の一例を説明する図である。第２示唆パターンの示唆演出も、第１示唆パターンの示唆演出と同様に、対象前変動および対象変動の双方で開始し得る。ここでは、第２示唆パターンの示唆演出が、対象前変動で開始する場合について説明する。例えば、対象２回前変動中に第２示唆パターンの示唆演出が実行されるとする。この場合、図５９（ａ）に示すように、第２パターンのポイント獲得演出が実行される。
【０５２１】
第２パターンのポイント獲得演出では、メイン演出表示部２００ａにおいて、まず、「ゾーン突入」と表示される。その後、図５９（ｂ）に示すように、メイン演出表示部２００ａの画面内に、多数のキャラクタが落下して堆積するとともに、メイン演出表示部２００ａの下部に、ポイント表示部２２２が表示される。このとき、ポイント表示部２２２には、堆積したキャラクタ数に応じた獲得ポイントが表示される。
【０５２２】
その後、図５９（ｃ）に示すように、演出図柄２１０ａ、２１０ｂ、２１０ｃが停止表示され、対象２回前変動が終了し、続いて、図５９（ｄ）に示すように、対象１回前変動が開始したとする。このとき、メイン演出表示部２００ａには、堆積したキャラクタと、ポイント表示部２２２とが表示されたままとなる。
【０５２３】
そして、対象１回前変動中に、図５９（ｅ）に示すように、再度、第２パターンの獲得演出が実行され、さらに多数のキャラクタが堆積する画像が表示されるとともに、ポイント表示部２２２の獲得ポイントが更新される。その後、図５９（ｆ）に示すように、演出図柄２１０ａ、２１０ｂ、２１０ｃが停止表示され、対象１回前変動が終了し、続いて、図５９（ｇ）に示すように、対象変動が開始したとする。この場合にも、堆積したキャラクタと、ポイント表示部２２２とが表示されたままとなっている。
【０５２４】
そして、対象変動の開始直後に、図５９（ｈ）に示すように、画面中に堆積したキャラクタが、メイン演出表示部２００ａの下方に排出されるアニメーションが表示されるとともに、図５９（ｉ）に示すように、メータ表示部２２０が表示される。そして、図５９（ｉ）、（ｊ）に示すように、ポイント表示部２２２に表示されている獲得ポイント数だけ、メータ表示部２２０のメータが更新される。
【０５２５】
なお、ここでは、対象前変動中に獲得したポイントが、対象変動の開始時にまとめてメータ表示部２２０に反映される場合について説明した。つまり、この例では、第２パターンのポイント獲得演出が、対象前変動中にのみ実行され、対象変動中は実行されていない。ただし、第２パターンのポイント獲得演出は、対象変動中に実行されることもある。この場合には、上記の対象１回前変動中と同様に、対象変動の開始後も、キャラクタが堆積したままとなり、対象変動中にさらにキャラクタが落下し、ポイント表示部２２２の獲得ポイントが更新される。そして、対象変動中の所定のタイミングでキャラクタが排出され、メータ表示部２２０が更新されることとなる。
【０５２６】
なお、突入可能なゾーンを複数種類設け、ゾーンごとにキャラクタの堆積パターンを異ならせてもよい。この場合、ゾーンによって、堆積するキャラクタの期待値、すなわち、獲得するポイントの期待値が異なることとなる。
【０５２７】
図６０は、第３示唆パターンの示唆演出の一例を説明する図である。第３示唆パターンの示唆演出は、対象前変動においてのみ開始し得る。例えば、対象２回前変動中に保留が記憶され、この保留を対象保留として第３示唆パターンの示唆演出の実行が決定されたとする。この場合、図６０（ａ）に示すように、対象保留に対応する保留表示２１４（ここでは第２保留表示２１４ｃ）が特殊表示パターンで表示される。
【０５２８】
その後、対象２回前変動が終了し、対象１回前変動が開始したとする。このとき、図６０（ｂ）に示すように、メイン演出表示部２００ａの右側に、２体のキャラクタが待機表示される。そして、対象１回前変動が終了し、対象変動が開始したとする。このとき、図６０（ｃ）に示すように、メイン演出表示部２００ａにおいては、２体のキャラクタが待機表示されたままとなっている。
【０５２９】
そして、対象変動中には、図６０（ｄ）に示すように、メータ表示部２２０が表示される。また、特殊表示パターンの保留表示２１４を拡大した拡大保留表示がメイン演出表示部２００ａの中央に表示されるとともに、待機表示されていた２体のキャラクタが、拡大保留表示を攻撃するアニメーションが表示される。この攻撃アニメーション中には、図６０（ｅ）に示すように、獲得ポイントが表示されるとともに、図６０（ｆ）に示すように、表示された獲得ポイント数だけ、メータ表示部２２０のメータが更新される。
【０５３０】
ここで、図６０（ｇ）、（ｈ）に示すように、攻撃アニメーション中、さらに獲得ポイントが表示され、メータ表示部２２０のメータが最大値に達したとする。このとき、メータ表示部２２０のメータが最大値に達した直後に、図６０（ｉ）に示すように、特定演出が実行されることもあれば、メータが最大値に達してから、所定時間が経過した後に、特定演出が実行されることもある。メータが最大値に達したときと、特定演出の開始タイミングとが時間的に離隔している場合、図６０（ｊ）に示すように、メータ表示部２２０に「待機中」と表示される待機演出が実行される。
【０５３１】
このように、メータが最大値に達した場合において、即座に特定演出が実行される場合と、待機演出を挟んで特定演出が実行される場合とを設けることで、特定演出が実行されるか否かを遊技者が推測しにくくなり、所謂先バレを防止することができる。以下に、上記の特定演出および示唆演出を実行するための副制御基板３３０における処理について説明する。
【０５３２】
図６１（ａ）は、特定変動情報の一例を説明する図であり、図６１（ｂ）は、特定演出の発生タイミングの一例を説明する図である。上記したように、大役抽選が実行されると、主制御基板３００において、変動モード番号および変動パターン番号の組み合わせからなる変動情報が決定される。副制御基板３３０においては、主制御基板３００で決定された変動情報に基づいて、変動演出の実行パターンと、変動演出中の各予告演出の実行有無ならびに実行パターンが決定される。
【０５３３】
また、主制御基板３００においては、保留が記憶されたときに取得時演出判定処理が実行され、新たに記憶された保留に基づいて決定される変動情報が事前に判定される。この判定の結果は、先読み指定コマンドとして副制御基板３３０に送信される。つまり、先読み指定コマンドは、大役抽選が実行されたときに決定される変動情報を示している。そして、副制御基板３３０においては、受信した先読み指定コマンドに基づいて、特定演出の実行有無が決定される。このとき、先読み指定コマンドが示す変動情報には、特定演出の実行が決定され得る変動情報と、必ず特定演出の不実行が決定される変動情報とが含まれる。以下では、特定演出の実行が決定され得る変動情報を特定変動情報と呼ぶ。
【０５３４】
本実施形態では、特定変動情報が決定された場合、変動演出の実行パターンが必ずリーチ変動パターンとなる。つまり、特定演出は、リーチ変動パターンの変動演出中にのみ実行され、リーチなし変動パターンの変動演出中に実行されることはない。また、特定演出は、擬似連続リーチ変動パターンと、擬似変動が発生しない通常のリーチ変動パターン（以下、ノーマルリーチと呼ぶ）との双方で実行され得る。
【０５３５】
図６１（ａ）に示すように、特定変動情報は、前半の変動演出の実行パターンが、ノーマルリーチ（図中リーチと示す）、擬似１、擬似２、擬似３となる変動情報である。例えば、変動モード番号が０１Ｈ、０ＡＨの場合、前半の変動演出はノーマルリーチとなり、後半の変動演出では、いずれかのリーチ発展演出が実行される。なお、変動モード番号が０１Ｈの場合と０ＡＨの場合とでは、予告演出を除く前半の変動演出の内容が同一である。
【０５３６】
また、変動モード番号が１１Ｈ、１２Ｈ、１ＡＨ、１ＢＨ、１ＣＨの場合、前半の変動演出は擬似１となり、後半の変動演出では、いずれかのリーチ発展演出が実行される。なお、変動モード番号が１１Ｈ、１２Ｈ、１ＡＨ、１ＢＨ、１ＣＨの場合、前半の変動演出の内容は、予告演出を除いて同一となる。同様に、図６１（ａ）において、変動モード番号が２１Ｈから２ＥＨの場合、前半の変動演出は擬似２となり、変動モード番号が３１Ｈから３ＦＨの場合、前半の変動演出は擬似３となる。
【０５３７】
そして、各特定変動情報には、特定演出が実行される場合において、その発生タイミングが予め設定されている。ここでは、特定演出の発生タイミングは、図６１（ｂ）に示すように、変動演出の前半に設定されているが、変動演出の後半に特定演出の発生タイミングが設定されてもよい。
【０５３８】
ここで、本実施形態では、特定演出の発生タイミングが、発生ポイントと発生期間とに大別される。発生ポイントというのは、予め設定された時点を示しており、ここではＰ１からＰ６の６つの発生ポイントが設けられている。例えば、発生ポイントＰ１、Ｐ３、Ｐ５は、それぞれ１回目、２回目、３回目の擬似変動において、演出図柄２１０ａ、２１０ｂ、２１０ｃが擬似態様で仮停止表示される時点である。また、発生ポイントＰ２、Ｐ４は、それぞれ２回目、３回目の擬似変動において、演出図柄２１０ａ、２１０ｂ、２１０ｃが変動表示を開始する時点である。発生ポイントＰ６は、リーチ変動の開始から例えば5秒後等、予め設定された時間が経過した時点である。
【０５３９】
一方、発生期間というのは、予め設定された期間を示しており、ここではＴ１からＴ４の４つの発生期間が設けられている。例えば、発生期間Ｔ１、Ｔ２、Ｔ３は、それぞれ１回目、２回目、３回目の擬似変動中であり、発生期間Ｔ４は、リーチ変動中である。
【０５４０】
特定演出の発生タイミングが発生ポイントに決定されると、必ず、いずれかの発生ポイントにおいて特定演出が発生する。一方、特定演出の発生タイミングが発生期間に決定されると、当該発生期間中のいずれかのタイミングで特定演出が発生する。各特定変動情報には、図６１（ａ）に示すように、特定演出の発生タイミングが予め定められている。つまり、特定変動情報に基づいて、特定演出の発生タイミングが決定されることとなる。
【０５４１】
ここで、示唆演出の実行後に特定演出が実行される場合であって、かつ、示唆演出において獲得ポイントが最大になることがある。この場合、特定演出の発生タイミングがいずれかの発生ポイントに決定されていると、発生ポイントよりも前のタイミングで、獲得ポイントが最大となる。したがって、この場合には、獲得ポイントが最大になった後、発生ポイントに到達するまでの間、待機演出が実行される（図６０（ｊ））。一方、特定演出の発生タイミングがいずれかの発生期間に決定されていると、その発生期間中に獲得ポイントが最大となる。この場合、獲得ポイントが最大になった直後に特定演出が実行される。
【０５４２】
図６２は、特定演出実行抽選テーブルを説明する図である。副制御基板３３０においては、先読み指定コマンドを受信すると、特定演出実行抽選テーブルを参照して、特定演出の実行有無が決定される。なお、図６２には特定変動情報のみを示しているが、特定演出実行抽選テーブルは、全ての変動情報に対して、特定演出の実行有無が決定されるように構成されている。図示のように、特定演出実行抽選テーブルによれば、特定演出の実行が決定され得るのは、特定演出の発生タイミングが発生ポイントとなる特定変動情報に限られている。
【０５４３】
換言すれば、特定演出実行抽選テーブルによれば、特定演出の発生タイミングが発生期間となる特定変動情報、および、特定変動情報以外の変動情報については、必ず、特定演出の不実行が決定されるように、比率設定がなされている。なお、詳しくは後述するが、特定演出の発生タイミングが発生期間となる特定変動情報については、他の抽選処理によって、特定演出の実行が決定さることとなる。
【０５４４】
図６３（ａ）は、演出系統決定テーブルを説明する図であり、図６３（ｂ）は、追加抽選テーブルを説明する図である。特定演出の実行有無が決定されると、その結果に拘わらず、演出系統決定テーブルを参照して演出系統が決定される。なお、ここでは、演出系統として、固定系統と即発動系統とが設けられている。固定系統というのは、上記した特定演出の発生ポイントに向けて示唆演出を実行する演出パターンであり、即発動系統というのは、上記した特定演出の発生期間に向けて示唆演出を実行する演出パターンである。
【０５４５】
演出系統決定テーブルによれば、発生ポイントが規定された特定変動情報については、固定系統が決定され、発生期間が規定された特定変動情報についは、即発動系統が決定されるように比率設定がなされている。つまり、演出系統のうち、固定系統は、特定演出の発生タイミングが発生ポイントであることを示しており、即発動系統は、特定演出の発生タイミングが発生期間であることを示している。
【０５４６】
また、演出系統が即発動系統に決定された場合には、さらに、追加抽選テーブルを参照し、発生期間中のいずれのタイミングを特定演出の発生タイミングとするかが決定される。なお、図６３（ｂ）において、１ｓ後や２ｓ後等は、発生期間の開始からの経過時間を示している。例えば、１ｓ後が決定された場合、発生期間の開始から１秒後が、特定演出の発生タイミングとなる。追加抽選テーブルによれば、即発動系統の特定変動情報に対して、図示のように選択比率が設定されている。
【０５４７】
なお、本実施形態によれば、特定演出の不実行が決定された場合にも、演出系統や、特定演出の発生タイミングが決定される。これは、特定演出が実行されない場合にも、示唆演出が実行されるためである。つまり、特定演出が実行されずに、示唆演出のみが実行される場合、この示唆演出はガセ示唆演出となる。このガセ示唆演出が実行される場合においても、いずれかのタイミングで特定演出が実行されるかのように、ポイント獲得演出を種々のタイミングで実行する必要がある。このように、示唆演出やガセ示唆演出を実行する際の基準点を設定するために、特定演出の実行有無とは無関係に、演出系統や特定演出の発生タイミングが決定されることとなる。
【０５４８】
図６４は、示唆演出決定テーブルを説明する図である。先読み指定コマンドを受信した場合、副制御基板３３０では、特定演出の実行有無に拘わらず、示唆演出決定テーブルを参照して、示唆演出の実行有無ならびに実行パターンが決定される。ここでは、示唆演出決定テーブルａ、ｂの２つのテーブルが設けられている。そして、新たに記憶された保留を対象変動とした場合に、対象前変動から示唆演出を開始可能であれば、示唆演出決定テーブルａを用いて示唆演出の実行有無等が決定される。一方、対象前変動から示唆演出を開始することができなければ、すなわち、対象変動からのみ示唆演出を開始可能である場合には、示唆演出決定テーブルｂを用いて示唆演出の実行有無等が決定される。
【０５４９】
示唆演出決定テーブルによれば、特定変動情報ごとに、示唆演出を実行するか否かの選択比率が設定されている。なお、図６４において、「不実行」は、示唆演出を実行しないことを示しており、「第１示唆パターン」、「第２示唆パターン」、「第３示唆パターン」は、いずれの実行パターンで示唆演出を実行するかを示している。
【０５５０】
上記したように、第３示唆パターンの示唆演出は、対象前変動においてのみ開始可能である。したがって、示唆演出決定テーブルｂにおいて、第３示唆パターンが決定されないように、比率設定がなされている。
【０５５１】
図６５は、獲得ポイント抽選テーブルを説明する図である。示唆演出の実行が決定された場合には、獲得ポイント抽選テーブルを参照して、示唆演出中に獲得する獲得ポイントの合計が決定される。ここでは、獲得ポイント抽選テーブルａ、ｂの２つのテーブルが設けられている。そして、特定演出の不実行が決定されている場合には、獲得ポイント抽選テーブルａを用いて獲得ポイントが決定され、特定演出の実行が決定されている場合には、獲得ポイント抽選テーブルｂを用いて獲得ポイントが決定される。
【０５５２】
獲得ポイント抽選テーブルによれば、特定変動情報ごとに、１から２４のいずれかの獲得ポイントが決定されるように、比率設定がなされている。なお、上記したように、獲得ポイントの最大値は「２４」であり、獲得ポイントが「２４」になった場合には、特定演出の実行が確定する。したがって、獲得ポイント抽選テーブルａにおいては、獲得ポイントとして「２４」が決定されないように比率設定がなされており、獲得ポイント抽選テーブルｂにおいては、獲得ポイントとして「２４」が決定され得るように比率設定がなされている。
【０５５３】
詳しい説明は省略するが、獲得ポイントが決定されると、所定の抽選テーブルを用いて、対象変動と対象前変動とに獲得ポイントが振り分けられる。このとき、対象前変動および対象変動のそれぞれに獲得ポイントが振り分けられた場合には、所謂先読み演出として、対象前変動および対象変動のそれぞれでポイント獲得演出が実行される。また、対象前変動にのみ獲得ポイントが振り分けられた場合には、対象前変動においてポイント獲得演出が実行され、対象変動中はポイント報知演出が実行される。また、対象変動にのみ獲得ポイントが振り分けられた場合には、対象変動においてポイント獲得演出とポイント報知演出とが実行される。以下に、副制御基板３３０における処理のうち、示唆演出および特定演出に係る処理について説明する。
【０５５４】
（副制御基板３３０のサブＣＰＵ初期化処理）
図６６は、副制御基板３３０のサブＣＰＵ初期化処理（Ｓ１０００）を説明するフローチャートである。
【０５５５】
（ステップＳ１０００−１）
サブＣＰＵ３３０ａは、電源投入に応じて、サブＲＯＭ３３０ｂからＣＰＵ初期化処理プログラムを読み込むとともに、サブＲＡＭ３３０ｃに記憶されるフラグ等の初期化、設定処理を行う。
【０５５６】
（ステップＳ１０００−３）
次に、サブＣＰＵ３３０ａは、各演出乱数を更新する処理を行うとともに、以後は、割込み処理が行われるまで当該ステップＳ１０００−３の処理を繰り返し行う。なお、演出乱数は複数種類設けられており、ここでは、それぞれの演出乱数が非同期的に更新されている。
【０５５７】
（副制御基板３３０のサブタイマ割込み処理）
図６７は、副制御基板３３０のサブタイマ割込み処理（Ｓ１１００）を説明するフローチャートである。副制御基板３３０には、所定の周期（１秒間に３０回）でクロックパルスを発生するリセット用クロックパルス発生回路（不図示）が設けられている。そして、このリセット用クロックパルス発生回路によるクロックパルスの発生により、サブＣＰＵ３３０ａはタイマ割込み処理プログラムを読み込んで当該サブタイマ割込み処理を開始する。
【０５５８】
（ステップＳ１１００−１）
サブＣＰＵ３３０ａは、レジスタを退避する。
【０５５９】
（ステップＳ１１００−３）
サブＣＰＵ３３０ａは、割込みを許可するための処理を行う。
【０５６０】
（ステップＳ１１００−５）
サブＣＰＵ３３０ａは、副制御基板３３０で用いられる各種タイマカウンタの更新処理を行う。ここで、各種タイマカウンタは、特に断る場合を除き、当該副制御基板３３０のサブタイマ割込み処理の度に１ずつ減算され、０になると減算を停止する。
【０５６１】
（ステップＳ１２００）
サブＣＰＵ３３０ａは、主制御基板３００から受信したコマンドを解析し、受信したコマンドに応じたコマンド受信処理を行う。このコマンド受信処理については後述する。
【０５６２】
（ステップＳ１１００−７）
サブＣＰＵ３３０ａは、変動演出の開始時に決定された各種の演出を実行するべく、フラグをＯＮ／ＯＦＦしたり、各種の演出デバイスにコマンドを出力したりする。このタイムスケジュール管理処理により、演出デバイスごとに出力が開始されることとなる。
【０５６３】
（ステップＳ１１００−９）
サブＣＰＵ３３０ａは、レジスタを復帰して当該サブタイマ割込み処理を終了する。
【０５６４】
図６８は、副制御基板３３０におけるコマンド受信処理のうち、先読み指定コマンドを受信した際に実行される先読み指定コマンド受信処理を説明するフローチャートである。なお、先読み指定コマンドは、図２７の上記ステップＳ５３５−１７でセットされた後、図１８のステップＳ１００−６５において副制御基板３３０に送信される。
【０５６５】
（ステップＳ１２１０−１）
サブＣＰＵ３３０ａは、受信した先読み指定コマンドを解析し、変動情報を記憶する。
【０５６６】
（ステップＳ１２１０−３）
サブＣＰＵ３３０ａは、特定演出実行抽選テーブル（図６２）を参照し、受信した先読み指定コマンドに基づいて、特定演出の実行有無を決定して記憶する。
【０５６７】
（ステップＳ１２１０−５）
サブＣＰＵ３３０ａは、演出系統決定テーブル（図６３（ａ））を参照し、受信した先読み指定コマンドに基づいて演出系統を決定して記憶する。
【０５６８】
（ステップＳ１２１０−７）
サブＣＰＵ３３０ａは、上記ステップＳ１２１０−５において、即発動系統が決定されたかを判定する。その結果、即発動系統が決定されたと判定した場合にはステップＳ１２１０−９に処理を移し、即発動系統は決定されていないと判定した場合にはステップＳ１２１０−１１に処理を移す。
【０５６９】
（ステップＳ１２１０−９）
サブＣＰＵ３３０ａは、追加抽選テーブル（図６３（ｂ））を参照し、受信した先読み指定コマンドに基づいて、特定演出の発生タイミングを決定して記憶する。
【０５７０】
（ステップＳ１２１０−１１）
サブＣＰＵ３３０ａは、示唆演出決定テーブル（図６４）を参照し、受信した先読み指定コマンドに基づいて、示唆演出の実行有無ならびに実行パターンを決定して記憶する。
【０５７１】
（ステップＳ１２１０−１３）
サブＣＰＵ３３０ａは、上記ステップＳ１２１０−１１において、示唆演出の実行が決定されたかを判定する。その結果、示唆演出の実行が決定されたと判定した場合にはステップＳ１２１０−１７に処理を移し、示唆演出の実行は決定されていないと判定した場合にはステップＳ１２１０−１５に処理を移す。
【０５７２】
（ステップＳ１２１０−１５）
サブＣＰＵ３３０ａは、保留表示演出において表示される保留表示２１４の表示パターンを決定する保留表示処理を実行し、当該先読み指定コマンド受信処理を終了する。また、ここでは、決定した表示パターンで保留表示２１４を表示するための処理が行われる。
【０５７３】
（ステップＳ１２１０−１７）
サブＣＰＵ３３０ａは、獲得ポイント抽選テーブル（図６５）を参照し、受信した先読み指定コマンドに基づいて、獲得ポイントを決定して記憶する。
【０５７４】
（ステップＳ１２１０−１９）
サブＣＰＵ３３０ａは、上記ステップＳ１２１０−１７で決定した獲得ポイントを、対象前変動および対象変動に振り分ける処理を行う。
【０５７５】
（ステップＳ１２１０−２１）
サブＣＰＵ３３０ａは、上記ステップＳ１２１０−１１において、示唆演出の実行パターンとして第３示唆パターンが決定されたかを判定する。その結果、第３示唆パターンが決定されたと判定した場合にはステップＳ１２１０−２３に処理を移し、第３示唆パターンは決定されていないと判定した場合にはステップＳ１２１０−１５に処理を移す。
【０５７６】
（ステップＳ１２１０−２３）
サブＣＰＵ３３０ａは、保留表示２１４の表示パターンを特殊パターンに決定し、当該先読み指定コマンド受信処理を終了する。
【０５７７】
図６９は、副制御基板３３０におけるコマンド受信処理のうち、変動コマンド（変動モードコマンドおよび変動パターンコマンド）を受信した際に実行される変動コマンド受信処理を説明するフローチャートである。なお、変動コマンドは、図３２の上記ステップＳ６１２−２１およびステップＳ６１２−２５でセットされた後、図１８のステップＳ１００−６５において副制御基板３３０に送信される。
【０５７８】
（ステップＳ１２２０−１）
サブＣＰＵ３３０ａは、受信した変動コマンドを解析する。
【０５７９】
（ステップＳ１２２０−３）
サブＣＰＵ３３０ａは、上記ステップＳ１２２０−１の解析結果に基づき、変動演出決定テーブル（図５４）を参照して、変動演出の実行パターンを決定する変動演出決定処理を行う。
【０５８０】
（ステップＳ１２２０−５）
サブＣＰＵ３３０ａは、当該変動演出中に示唆演出を実行することが決定されているかを判定する。その結果、示唆演出を実行する場合にはステップＳ１２２０−７に処理を移し、示唆演出を実行しない場合には、ステップＳ１２２０−２３に処理を移す。
【０５８１】
（ステップＳ１２２０−７）
サブＣＰＵ３３０ａは、示唆演出の対象変動であるかを判定する。その結果、示唆演出の対象変動であればステップＳ１２２０−９に処理を移し、示唆演出の対象変動でなければ、ステップＳ１２２０−１１に処理を移す。
【０５８２】
（ステップＳ１２２０−９）
サブＣＰＵ３３０ａは、上記ステップＳ１２１０−１９において対象変動に振り分けられた獲得ポイントを、さらに、当該対象変動中のポイント獲得演出の実行可能タイミングに振り分ける。ポイント獲得演出の実行可能タイミングは、例えば、擬似変動やリーチ変動ごとに２〜３か所設けられており、ここでは、特定演出の実行タイミングよりも前の実行可能タイミングが決定される。
【０５８３】
なお、発生タイミングとして、発生ポイントが規定された特定変動情報を受信した場合には、発生ポイントよりも前の実行可能タイミングが選択される。一方、発生タイミングとして、発生期間が規定された特定変動情報を受信した場合には、発生期間中の実行可能タイミングが少なくとも１つ選択される。
【０５８４】
（ステップＳ１２２０−１１）
サブＣＰＵ３３０ａは、ポイント獲得演出の詳細な内容を決定する。
【０５８５】
（ステップＳ１２２０−１３）
サブＣＰＵ３３０ａは、当該変動演出において特定演出を実行することが決定されているかを判定する。その結果、特定演出を実行する場合にはステップＳ１２２０−１５に処理を移し、特定演出を実行しない場合にはステップＳ１２２０−２３に処理を移す。
【０５８６】
（ステップＳ１２２０−１５）
サブＣＰＵ３３０ａは、示唆演出で獲得するポイントの合計が２４（最大）であるかを判定する。その結果、獲得ポイントが最大であると判定した場合にはステップＳ１２２０−１７に処理を移し、獲得ポイントは最大ではないと判定した場合にはステップＳ１２２０−２３に処理を移す。
【０５８７】
（ステップＳ１２２０−１７）
サブＣＰＵ３３０ａは、示唆演出の演出系統が即発動系統であるかを判定する。その結果、即発動系統であればステップＳ１２２０−１９に処理を移し、即発動系統でなければステップＳ１２２０−２１に処理を移す。
【０５８８】
（ステップＳ１２２０−１９）
サブＣＰＵ３３０ａは、最後に実行されるポイント獲得演出の実行タイミングを、特定演出の実行タイミングとしてセットする。
【０５８９】
（ステップＳ１２２０−２１）
サブＣＰＵ３３０ａは、特定変動情報に規定された発生ポイントを特定演出の実行タイミングにセットするとともに、最後に実行されるポイント獲得演出の実行タイミングから、特定演出の実行タイミングまで待機演出を実行するための待機演出実行処理を行う。
【０５９０】
（ステップＳ１２２０−２３）
サブＣＰＵ３３０ａは、上記各ステップで決定した変動演出中に実行する全ての演出について、オペレーションバッファにコマンドをセットするコマンド設定処理を行い、当該変動コマンド受信処理を終了する。ここでオペレーションバッファにセットされたコマンドは、上記ステップＳ１１００−７のタイムスケジュール管理処理において、変動演出の開始からの経過時間に応じて演出デバイスに送信される。また、ここでは、保留が記憶されたときに実行が決定された示唆演出や特定演出に係るコマンドもオペレーションバッファにセットされる。
【０５９１】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【０５９２】
上記の遊技性、すなわち、遊技の進行条件や各種制御方法は一例にすぎず、例えば、大役遊技の実行可否を決定する大役抽選を開始するための始動条件や、大役遊技の種別、特別図柄の種別、数、内容等、遊技者に付与する遊技利益の内容は、本発明の目的を実現可能な範囲で適宜設計可能である。上記実施形態では、登録設定値に応じて遊技の進行が制御される場合について説明したが、登録設定値は必須ではない。また、本実施形態では、複数の遊技状態が設けられることとしたが、遊技状態は１つでもよい。さらには、上記実施形態では、大当たり図柄および小当たり図柄が設けられることとしたが、大当たり図柄および小当たり図柄のいずれかのみが設けられてもよい。
【０５９３】
上記実施形態では、所謂先読み演出として、対象前変動から示唆演出が実行され得る場合について説明したが、示唆演出は、対象変動においてのみ実行されてもよい。したがって、上記実施形態では、保留が記憶されたときに特定演出および示唆演出の実行有無等を決定したが、変動演出の開始時に特定演出および示唆演出の実行有無等を決定してもよい。
【０５９４】
上記実施形態では、示唆演出の実行パターンが複数設けられることとしたが、示唆演出の実行パターンは１つのみでもよい。また、示唆演出の実行パターンが複数設けられる場合には、実行パターンによって、特定演出が実行される期待値、すなわち、獲得ポイントの期待値が異なってもよい。
【０５９５】
上記実施形態における特定演出および示唆演出の内容は一例に過ぎず、適宜設計可能である。例えば、特定演出として、メイン演出表示部２００ａに所定の画像が表示される予告演出を採用してもよいし、演出役物装置２０２が作動する役物演出を採用してもよい。いずれにしても、特定演出は、所定条件にしたがって実行有無が決定されればよく、示唆演出は、特定演出の開始前に実行可能な演出であれば、その具体的な内容は特に限定されるものではない。
【０５９６】
上記実施形態では、示唆演出が実行された後、特定演出の開始前に実行される所定演出として、待機演出が実行されることとしたが、所定演出の内容は適宜設計可能である。例えば、待機演出として、所謂タイマ演出のように、特定演出が開始されるまでの時間をカウントダウンしてもよい。いずれにしても、所定の実行パターンで示唆演出が実行された後、特定演出の開始前に所定演出を実行し得るものであればよい。そして、演出の流れとして、示唆演出の実行後、所定演出が実行されてから特定演出を実行する第１のパターンと、示唆演出の実行後、所定演出が実行されずに特定演出を実行する第２のパターンとがあればよい。
【０５９７】
上記実施形態では、示唆演出が実行されてから所定期間が経過したとき、または、示唆演出が実行された直後を、特定演出の実行タイミングとして決定可能であり、示唆演出が実行されてから所定期間が経過したときが特定演出の実行タイミングとして決定された場合、所定期間中に所定演出を実行することとしたが、特定演出の実行タイミングはこれに限らない。例えば、特定演出は、示唆演出が実行された直後に実行されることはなく、常に、示唆演出が実行されてから所定期間が経過したときに実行されてもよい。このとき、所定演出が実行される場合と実行されない場合とがあればよい。
【０５９８】
また、例えば、示唆演出が実行されてから第１の期間が経過したとき、または、示唆演出が実行されてから、第１の期間と異なる第２の期間が経過したときを、特定演出の実行タイミングとして決定可能であり、示唆演出が実行されてから第２の期間が経過したときが、特定演出の実行タイミングとして決定された場合、第２の期間中に所定演出を実行するとしてもよい。この場合、第２の期間は、第１の期間よりも短くてもよいし長くてもよい。
【０５９９】
なお、上記実施形態において、図６８のステップＳ１２１０−３の処理を実行するサブＣＰＵ３３０ａが、本発明の特定演出実行決定手段に相当する。
また、上記実施形態において、図６８のステップＳ１２１０−１１の処理を実行するサブＣＰＵ３３０ａが、本発明の示唆演出実行決定手段に相当する。
また、上記実施形態において、図６７のステップＳ１１００−７の処理を実行するサブＣＰＵ３３０ａが、本発明の特定演出実行手段、示唆演出実行手段、所定演出実行手段に相当する。
【符号の説明】
【０６００】
１００  遊技機
３００  主制御基板
３００ａ  メインＣＰＵ
３００ｂ  メインＲＯＭ
３００ｃ  メインＲＡＭ
３３０  副制御基板
３３０ａ  サブＣＰＵ
３３０ｂ  サブＲＯＭ
３３０ｃ  サブＲＡＭ
【図１】
2020198985.tif 000003
【図２】
2020198985.tif 000004
【図３】
2020198985.tif 000005
【図４】
2020198985.tif 000006
【図５】
2020198985.tif 000007
【図６】
2020198985.tif 000008
【図７】
2020198985.tif 000009
【図８】
2020198985.tif 000010
【図９】
2020198985.tif 000011
【図１０】
2020198985.tif 000012
【図１１】
2020198985.tif 000013
【図１２】
2020198985.tif 000014
【図１３】
2020198985.tif 000015
【図１４】
2020198985.tif 000016
【図１５】
2020198985.tif 000017
【図１６】
2020198985.tif 000018
【図１７】
2020198985.tif 000019
【図１８】
2020198985.tif 000020
【図１９】
2020198985.tif 000021
【図２０】
2020198985.tif 000022
【図２１】
2020198985.tif 000023
【図２２】
2020198985.tif 000024
【図２３】
2020198985.tif 000025
【図２４】
2020198985.tif 000026
【図２５】
2020198985.tif 000027
【図２６】
2020198985.tif 000028
【図２７】
2020198985.tif 000029
【図２８】
2020198985.tif 000030
【図２９】
2020198985.tif 000031
【図３０】
2020198985.tif 000032
【図３１】
2020198985.tif 000033
【図３２】
2020198985.tif 000034
【図３３】
2020198985.tif 000035
【図３４】
2020198985.tif 000036
【図３５】
2020198985.tif 000037
【図３６】
2020198985.tif 000038
【図３７】
2020198985.tif 000039
【図３８】
2020198985.tif 000040
【図３９】
2020198985.tif 000041
【図４０】
2020198985.tif 000042
【図４１】
2020198985.tif 000043
【図４２】
2020198985.tif 000044
【図４３】
2020198985.tif 000045
【図４４】
2020198985.tif 000046
【図４５】
2020198985.tif 000047
【図４６】
2020198985.tif 000048
【図４７】
2020198985.tif 000049
【図４８】
2020198985.tif 000050
【図４９】
2020198985.tif 000051
【図５０】
2020198985.tif 000052
【図５１】
2020198985.tif 000053
【図５２】
2020198985.tif 000054
【図５３】
2020198985.tif 000055
【図５４】
2020198985.tif 000056
【図５５】
2020198985.tif 000057
【図５６】
2020198985.tif 000058
【図５７】
2020198985.tif 000059
【図５８】
2020198985.tif 000060
【図５９】
2020198985.tif 000061
【図６０】
2020198985.tif 000062
【図６１】
2020198985.tif 000063
【図６２】
2020198985.tif 000064
【図６３】
2020198985.tif 000065
【図６４】
2020198985.tif 000066
【図６５】
2020198985.tif 000067
【図６６】
2020198985.tif 000068
【図６７】
2020198985.tif 000069
【図６８】
2020198985.tif 000070
【図６９】
2020198985.tif 000071